(57)【要約】【課題】複数の被介護者の介護サービスに関する情報を一画面で一元的に管理することが可能な介護記録プログラムを提供する。【解決手段】介護サービス情報を入力するために操作される入力操作表示２１Ａ〜２１Ｃと、介護サービスの提供を受ける複数の被介護者のそれぞれを特定するための複数の被介護者情報表示２５Ａと、介護サービスが提供される時間を示す複数の時間表示２６と、いずれか一の被介護者情報表示２５Ａ及びいずれか一の時間表示２６の両方に対応するように行列配置された複数の選択表示２７とを含み、入力操作表示２１Ａ〜２１Ｃは、異なる介護サービス情報を入力するために操作される複数のボタンで構成され、入力操作表示２１Ａ〜２１Ｃを構成するいずれか一のボタンが選択されることによって、選択されたボタンに割り当てられた介護サービス情報の入力が可能となり、入力された介護サービス情報は、選択された一以上の選択表示２７に関連づけられる。【選択図】図４
2020135734.tif 000002
【特許請求の範囲】
【請求項１】
介護記録を作成するために、被介護者に提供される介護サービスに関する情報をコンピュータに処理させる介護記録プログラムであって、
情報を入力するための画像をディスプレイに表示させる処理を実行する表示制御手段と、情報を入力するための処理を実行する入力制御手段と、入力された情報を記憶するための処理を実行する記憶制御手段と、を含み、
前記画像は、入力操作表示領域と、前記ディスプレイの横方向又は縦方向に延びる被介護者情報表示領域と、前記被介護者情報表示領域と直交する方向に延びる時間表示領域と、前記被介護者情報表示領域及び前記時間表示領域の両方に隣接する選択表示領域と、を含み、
前記入力操作表示領域は、介護サービス情報を入力するために操作される少なくとも一の入力操作表示を含み、
前記被介護者情報表示領域は、介護サービスの提供を受ける複数の被介護者のそれぞれを特定するための複数の被介護者情報表示を含み、
前記時間表示領域は、介護サービスが提供される時間を示す複数の時間表示を含み、
前記選択表示領域は、いずれか一の前記被介護者情報表示及びいずれか一の前記時間表示の両方に対応するように行列配置された複数の選択表示を含み、
前記入力操作表示は、異なる介護サービス情報を入力するために操作される複数のボタンで構成され、
前記入力操作表示を構成するいずれか一の前記ボタンが選択されることによって、選択された前記ボタンに割り当てられた介護サービス情報の入力が可能となり、入力された介護サービス情報は、選択された一以上の前記選択表示に関連づけられる、介護記録プログラム。
【請求項２】
前記入力操作表示を構成する少なくとも一の前記ボタンには、あらかじめ所定の介護サービス情報が割り当てられており、所定の介護サービス情報を示す文字、図形又は色彩の少なくとも１つが表示される請求項１に記載の介護記録プログラム。
【請求項３】
前記入力操作表示には、あらかじめ用意された複数の介護サービス情報のうちの一以上を選択して割り当てることが可能である請求項１に記載の介護記録プログラム。
【請求項４】
前記入力操作表示には、ユーザーによって入力された一以上の任意の介護サービス情報を割り当てることが可能である請求項１に記載の介護記録プログラム。
【請求項５】
前記入力操作表示が、任意のテキスト情報を入力するための前記ボタンを含む、請求項１〜４のいずれか１項に記載の介護記録プログラム。
【請求項６】
前記選択表示が、前記入力操作表示と同一又は類似の外観にデザインされた請求項１〜５のいずれか１項に記載の介護記録プログラム。
【請求項７】
入力された介護サービス情報の内容を示す情報が、前記選択表示に表示される請求項１〜６のいずれか１項に記載の介護記録プログラム。
【請求項８】
介護サービス情報が入力されたことを示す情報が、前記選択表示に表示される請求項１〜７のいずれか１項に記載の介護プログラム。
【請求項９】
入力される介護サービス情報が、水分摂取、服薬、食事、便、尿、入浴、食事介助、配膳、身辺介助、口腔ケア、入浴介助、清拭介助、更衣介助、移乗又は移動介助、服薬介助、シーツ交換又は清掃、排泄介助、受診付添、血圧測定のうちから選択される一以上の情報である請求項１〜８のいずれか１項に記載の介護記録プログラム。
【請求項１０】
前記入力操作表示領域が、複数の前記入力操作表示を含み、前記選択表示領域には、複数の前記入力操作表示のうちから選択された一の前記入力操作表示に対応する複数の前記選択表示が表示される請求項１〜９のいずれか１項に記載の介護記録プログラム。
【請求項１１】
いずれか一の前記時間表示を選択することにより、選択された前記時間表示に対応する全ての前記選択表示が選択された状態になる請求項１〜１０のいずれか１項に記載の介護記録プログラム。
【請求項１２】
前記時間表示領域が、１時間ごとに２４時間分の前記時間表示を含み、９時間分の前記時間表示と、この９時間分の前記時間表示に対応する前記選択表示とが前記ディスプレイに表示される請求項１〜１１のいずれか１項に記載の介護記録プログラム。
【請求項１３】
現在の時（o’clock）に相当する一の前記時間表示に対応する全ての前記選択表示が、他の前記選択表示と区別可能に表示される請求項１２に記載の介護記録プログラム。
【請求項１４】
選択された一以上の前記選択表示に関連づけられた介護サービス情報を、前記ディスプレイに表示させる閲覧ボタンを備えた請求項１〜１３のいずれか１項に記載の介護記録プログラム。
【請求項１５】
被介護者の症状に関する情報を入力するために操作される症状入力ボタンを含み、
一以上の前記選択表示が選択され、且つ前記症状入力ボタンが選択されることによって、症状に関する情報の入力が可能となり、入力された症状に関する情報には、前記選択表示に対応する前記被介護者情報と、前記症状に関する情報が入力された年月日及び時間の情報とが関連づけられる請求項１〜１４のいずれか１項に記載の介護記録プログラム。
【請求項１６】
被介護者ごとに情報を入力し、又は入力された情報を閲覧するために操作される記録ボタンを含み、
前記記録ボタンが選択されることによって、サービス計画表、業務日誌、支援経過記録、報告書、測定結果、介護サービス実施表、リハビリ記録、介護サービスの詳細、症状及びバイタルサインのうちの少なくとも１つに関する情報の入力又は閲覧が可能となる請求項１〜１５のいずれか１項に記載の介護記録プログラム。
【請求項１７】
被介護者ごとに介護記録を作成するための処理を実行する介護記録作成手段を含み、
前記介護記録作成手段は、前記選択表示に関連づけられた介護サービス情報と、前記選択表示に対応する被介護者情報と、前記介護サービス情報が入力された年月日及び時間の情報とに基づいて、前記業務日誌、前記支援経過記録及び前記介護サービス実施表のうちの少なくとも１つのデータを作成する請求項１６に記載の介護記録プログラム。
【請求項１８】
前記バイタルサインに関する情報は、被介護者の体温の値を含み、
前記介護記録作成手段は、被介護者情報と、前記体温の値と、前記体温の値が入力された年月日とに基づいて、前記体温の値の折れ線グラフを含む熱型表のデータを作成する請求項１６に記載の介護記録プログラム。
【請求項１９】
前記バイタルサインに関する情報は、被介護者のＳｐＯ２の値を含み、
前記介護記録作成手段は、被介護者情報と、前記ＳｐＯ２の値と、前記ＳｐＯ２の値が入力された年月日とに基づいて、前記ＳｐＯ２の値の折れ線グラフのデータを作成し、前記ＳｐＯ２の値の折れ線グラフを前記熱型表に表示させる請求項１８に記載の介護記録プログラム。
【請求項２０】
前記バイタルサインに関する情報は、被介護者の脈拍数の値を含み、
前記介護記録作成手段は、被介護者情報と、前記脈拍数の値と、前記脈拍数の値が入力された年月日とに基づいて、前記脈拍数の値の折れ線グラフのデータを作成し、前記脈拍数の値の折れ線グラフを前記熱型表に表示させる請求項１８又は１９に記載の介護記録プログラム。
【請求項２１】
前記バイタルサインに関する情報は、被介護者の最高血圧及び最低血圧の値を含み、
前記介護記録作成手段は、被介護者情報と、前記最高血圧及び前記最低血圧の値と、前記最高血圧及び前記最低血圧の値が入力された年月日とに基づいて、同日に入力された前記最高血圧の値と前記最低血圧の値とを結ぶ棒グラフのデータを作成し、前記棒グラフを前記熱型表に表示させる請求項１８〜２０のいずれか１項に記載の介護記録プログラム。
【請求項２２】
前記折れ線グラフには、前記体温の値を示すプロットが含まれ、
前記介護記録作成手段は、被介護者が頓服薬を服用したことを、前記プロットの表示形態によって前記熱型表に表示させる請求項１８に記載の介護記録プログラム。
【請求項２３】
前記折れ線グラフには、前記体温、前記ＳｐＯ２及び前記脈拍数のうちの少なくとも１つの値を示すプロットが含まれ、
前記介護記録作成手段は、前記値が複数回の測定を経て得られたものであることを、前記プロットの表示形態によって前記熱型表に表示させる請求項１８〜２２のいずれか１項に記載の介護記録プログラム。
【請求項２４】
前記被介護者情報表示領域は、いずれか一の前記被介護者情報表示に対応するように配置された複数のバイタル表示ボタンを含み、
前記バイタル表示ボタンは、前記バイタルサインに関する情報に異常な値が含まれる場合に異常を視覚的に報知し、前記バイタル表示ボタンが選択されることによって、前記熱型表が表示される請求項１８〜２３のいずれか１項に記載の介護記録プログラム。
【請求項２５】
前記介護記録作成手段は、被介護者情報と、前記バイタルサインに関する情報と、前記症状に関する情報と、前記バイタルサイン及び前記症状に関する情報が入力された年月日とに基づいて、被介護者の病態記録のデータを作成し、少なくとも前記バイタルサインに関する情報に含まれる異常な値を視覚的に報知する請求項１６〜２４のいずれか１項に記載の介護記録プログラム。
【請求項２６】
前記介護記録作成手段は、被介護者の既往歴に関する情報に基づいて、前記病態記録のデータを作成する請求項２５に記載の介護記録プログラム。
【請求項２７】
前記被介護者情報表示領域は、いずれか一の前記被介護者情報表示に対応するように配置された複数の症状表示ボタンを含み、
前記症状表示ボタンは、前記症状に関する情報に異常な値が含まれる場合に異常を視覚的に報知し、前記症状表示ボタンが選択されることによって、前記病態記録が表示される請求項２５又は２６に記載の介護記録プログラム。
【請求項２８】
前記被介護者情報表示が選択されることによって、被介護者の個人情報、病歴、障害、感染症、生活習慣、家系図、健康診断、日常生活動作（ＡＤＬ）、全身管理、処方及び緊急連絡先のうちから選択される一以上の情報が表示される請求項１〜２７のいずれか１項に記載の介護記録プログラム。
【請求項２９】
便に関する介護サービス情報が入力された日時に基づいて、被介護者の排便の時間間隔を算出する排便間隔算出手段と、
前記排便の時間間隔を示す情報を、前記被介護者情報表示に対応させて前記ディスプレイに表示させる排便間隔表示ボタンと、を備えた請求項１〜２８のいずれか１項に記載の介護記録プログラム。
【請求項３０】
インターネットを通じてサーバにデータを送受信するための通信制御手段を含む請求項１〜２９のいずれか１項に記載の介護記録プログラム。
【請求項３１】
前記介護記録プログラムの利用を開始するためのログイン処理を制御する認証制御手段を含み、
前記認証制御手段は、一のユーザーがログインしている状態の前記介護記録プログラムに他のユーザーをログインさせることを可能とし、前記他のユーザーをログインさせる場合は、前記一のユーザーをログアウトさせる請求項１〜３０のいずれか１項に記載の介護記録プログラム。
【請求項３２】
請求項１〜３１のいずれか１項に記載された介護記録プログラムがインストールされたコンピュータによって構成される介護記録装置。
【請求項３３】
請求項３２に記載された複数の介護記録装置が、インターネットを通じてサーバに接続され、一の前記介護記録装置に入力された各種情報が、前記サーバのデータベースに記憶され、前記データベースを共有する他の前記介護記録装置に受信される介護記録システム。
【発明の詳細な説明】
【技術分野】
【０００１】
本発明は、介護記録を作成するために、被介護者に提供される介護サービスに関する情報をコンピュータに処理させる介護記録プログラムと、介護記録プログラムがインストールされたコンピュータによって構成される介護記録装置と、複数の介護記録装置の間で各種情報を共有する介護記録システムとに関する。
【背景技術】
【０００２】
介護サービスを提供する施設又は事業所においては、介護記録を残し、保管することが義務づけられる。介護記録には、介護サービスの利用者（被介護者）の生活全般の様子や介護サービスの内容が継時的に記載される。介護記録は、適切な介護サービスを提供していたことの証明となり、また、より質の高い介護サービスを提供するための重要な資料となる。
【０００３】
介護者が作成する主な介護記録として、例えば、ケース記録と業務日誌とを挙げることができる。ケース記録には、個々の被介護者の生活状況や提供した介護サービスの内容が時系列に記載される。ケース記録は、介護サービスの改善やケアプラン作成のための資料となる。一方、業務日誌には、ケース記録に記載された情報のうち、被介護者に関する重要事項が選別されて記載される。業務日誌に記載すべき重要事項とは、例えば、被介護者の訴え、言動、状態変化、状態異常など、介護を行う上で必要と判断される情報である。業務日誌は、例えば、日勤者から夜勤者への申し送りに活用される。
【０００４】
一般的に、介護記録は、罫線が印刷された記録用紙に手書きされていた。例えば、特開２００１−２１９６７７号公報（特許文献１）には、介護項目が記載された介護項目記載欄と、介護項目記載欄の中から介護者が実施した介護項目をチェックする欄が設けられた介護項目実施欄と、介護項目を実施した日時を記入する日時記入欄とを備えた介護記録紙が提案されている。
【０００５】
また、近年、コンピュータで介護記録を作成するためのプログラムが普及しつつある。例えば、特開２０１６−８５６７３号公報（特許文献２）には、介護者が携行し、被介護者に提供した介護サービスに関するを記録する介護記録用携帯端末が提案されている。特許文献２の介護記録用携帯端末は、介護者がその日に担当する介護項目を時系列で示したタイムテーブルが画面に表示される。このタイムテーブルは、縦軸を時間とし、時間帯毎に担当する被介護者の氏名と、被介護者に提供する介護項目の内容をイメージ化した介護項目イメージ画像とが表示される。このようなタイムテーブルの表示を見て、介護者は、何時、どの被介護者に、どのような介護サービスを提供するのかを把握する。そして、介護者が介護項目イメージ画像を選択すると、被介護者に提供した介護サービスに関する情報を入力することが可能となる。
【先行技術文献】
【特許文献】
【０００６】
【特許文献１】特開２００１−２１９６７７号公報
【特許文献２】特開２０１６−８５６７３号公報
【発明の概要】
【発明が解決しようとする課題】
【０００７】
介護サービスは、一日のケアプランに従って決められた時間に提供される。介護者は、決められた時間内に、被介護者に介護サービスを提供し、介護サービスに関する情報を記録する。特に、多数の被介護者が入居する大規模の介護施設では、一人の介護者が、複数の被介護者を担当する。この場合、介護者は、決められた時間内に、複数の被介護者に介護サービスを提供し、それぞれの介護サービスに関する情報を記録しなければならない。ところが、従来の介護記録用紙及び介護記録プログラムは、複数の被介護者の介護サービスに関する情報を効率よく記録することができず、記録した情報を介護記録の作成に有効活用することができなかった。
【０００８】
＜介護記録用紙の問題点＞
従来の介護記録用紙は、一人の被介護者の介護サービスに関する情報を記入する構成となっていた（特許文献１を参照）。このため、複数の被介護者の介護サービスに関する情報を記録する場合は、被介護者ごとに別の介護記録用紙を携行し、それぞれの介護記録用紙に情報を手書きしていた。手書きは、情報を詳細に記入するのに手間が掛かり、また、記入ミスが生じやすい問題がある。
【０００９】
また、介護者は、介護記録用紙に記入した情報に基づいて、業務日誌を作成しなければならない。業務日誌を作成するためには、介護記録用紙に記入した情報から重要事項を選別し、業務日誌に手書きする手間が掛かる。自らが担当する複数の被介護者について、日々、介護記録用紙及び業務日誌を手書きで作成する手間は、介護者にとって重い負担になる。したがって、多数の被介護者が入居する大規模の介護施設では、介護記録用紙を廃止して、介護記録プログラムを導入することが望まれる。
【００１０】
＜介護記録プログラムの問題点＞
従来の介護記録プログラムは、複数の被介護者の介護サービスに関する情報を入力することが可能である（特許文献２を参照）。しかし、従来の介護記録プログラムは、複数の被介護者の介護サービスに関する情報を、一画面に表示して一元的に管理することができないという問題がある。
【００１１】
すなわち、従来の介護記録プログラムは、被介護者ごとに介護サービスに関する情報を入力し、入力された情報を被介護者ごとに表示する構成となっていた。このため、従来の介護記録プログラムは、複数の被介護者の介護サービスに関する情報を、一画面で入力し、入力した情報を一画面に集約して表示することができなかった。このように、従来の介護記録プログラムは、複数の被介護者の介護サービスに関する情報を一元的に管理することができず、多数の被介護者が入居する大規模の介護施設において、非常に使い難いものであった。
【００１２】
また、従来の介護記録プログラムは、複数の被介護者のそれぞれに同一の情報を繰り返し入力する手間が掛かった。例えば、１０人の被介護者が食事を完食した場合は、１０人の被介護者のそれぞれに「完食」を示す情報を繰り返し入力しなければならない。同一の情報を繰り返し入力する手間は、複数の被介護者を担当する介護者の負担になる。
【００１３】
さらに、従来の介護記録プログラムにおいても、介護者は、介護記録プログラムに入力した情報に基づいて、業務日誌を作成しなければならない。従来の介護記録プログラムには、業務日誌を作成する機能がないので、介護記録プログラムに入力した情報から重要事項を選別し、業務日誌に手書きする手間が掛かる。
【００１４】
＜発明の目的＞
本願発明は、上記問題点に鑑みてなされたものであり、複数の被介護者の介護サービスに関する情報を一画面で一元的に管理することが可能であり、記録した情報を介護記録の作成に有効活用することができる介護記録プログラム、介護記録装置及び介護記録システムを提供することを目的とする。
【課題を解決するための手段】
【００１５】
（１）上記目的を達成するために、本発明の介護記録プログラムは、介護記録を作成するために、被介護者に提供される介護サービスに関する情報をコンピュータに処理させる介護記録プログラムであって、情報を入力するための画像をディスプレイに表示させる処理を実行する表示制御手段と、情報を入力するための処理を実行する入力制御手段と、入力された情報を記憶するための処理を実行する記憶制御手段と、を含み、前記画像は、入力操作表示領域と、前記ディスプレイの横方向又は縦方向に延びる被介護者情報表示領域と、前記被介護者情報表示領域と直交する方向に延びる時間表示領域と、前記被介護者情報表示領域及び前記時間表示領域の両方に隣接する選択表示領域と、を含み、前記入力操作表示領域は、介護サービス情報を入力するために操作される少なくとも一の入力操作表示を含み、前記被介護者情報表示領域は、介護サービスの提供を受ける複数の被介護者のそれぞれを特定するための複数の被介護者情報表示を含み、前記時間表示領域は、介護サービスが提供される時間を示す複数の時間表示を含み、前記選択表示領域は、いずれか一の前記被介護者情報表示及びいずれか一の前記時間表示の両方に対応するように行列配置された複数の選択表示を含み、前記入力操作表示は、異なる介護サービス情報を入力するために操作される複数のボタンで構成され、前記入力操作表示を構成するいずれか一の前記ボタンが選択されることによって、選択された前記ボタンに割り当てられた介護サービス情報の入力が可能となり、入力された介護サービス情報は、選択された一以上の前記選択表示に関連づけられる。
【００１６】
（２）好ましくは、上記（１）の介護記録プログラムにおいて、前記入力操作表示を構成する少なくとも一の前記ボタンには、あらかじめ所定の介護サービス情報が割り当てられており、所定の介護サービス情報を示す文字、図形又は色彩の少なくとも１つが表示される。
【００１７】
（３）好ましくは、上記（１）の介護記録プログラムにおいて、前記入力操作表示には、あらかじめ用意された複数の介護サービス情報のうちの一以上を選択して割り当てることが可能である。
【００１８】
（４）好ましくは、上記（１）の介護記録プログラムにおいて、前記入力操作表示には、ユーザーによって入力された一以上の任意の介護サービス情報を割り当てることが可能である。
【００１９】
（５）好ましくは、上記（１）〜（４）のいずれかの介護記録プログラムにおいて、前記入力操作表示が、任意のテキスト情報を入力するための前記ボタンを含む。
【００２０】
（６）好ましくは、上記（１）〜（５）のいずれかの介護記録プログラムにおいて、前記選択表示が、前記入力操作表示と同一又は類似の外観にデザインされる。
【００２１】
（７）好ましくは、上記（１）〜（６）のいずれかの介護記録プログラムにおいて、入力された介護サービス情報の内容を示す情報が、前記選択表示に表示される。
【００２２】
（８）好ましくは、上記（１）〜（７）のいずれかの介護記録プログラムにおいて、介護サービス情報が入力されたことを示す情報が、前記選択表示に表示される。
【００２３】
（９）好ましくは、上記（１）〜（８）のいずれかの介護記録プログラムにおいて、入力される介護サービス情報が、水分摂取、服薬、食事、便、尿、入浴、食事介助、配膳、身辺介助、口腔ケア、入浴介助、清拭介助、更衣介助、移乗又は移動介助、服薬介助、シーツ交換又は清掃、排泄介助、受診付添、血圧測定のうちから選択される一以上の情報である。
【００２４】
（１０）好ましくは、上記（１）〜（９）のいずれかの介護記録プログラムにおいて、前記入力操作表示領域が、複数の前記入力操作表示を含み、前記選択表示領域には、複数の前記入力操作表示のうちから選択された一の前記入力操作表示に対応する複数の前記選択表示が表示される。
【００２５】
（１１）好ましくは、上記（１）〜（１０）のいずれかの介護記録プログラムにおいて、いずれか一の前記時間表示を選択することにより、選択された前記時間表示に対応する全ての前記選択表示が選択された状態になる。
【００２６】
（１２）好ましくは、上記（１）〜（１１）のいずれかの介護記録プログラムにおいて、前記時間表示領域が、１時間ごとに２４時間分の前記時間表示を含み、９時間分の前記時間表示と、この９時間分の前記時間表示に対応する前記選択表示とが前記ディスプレイに表示される。
【００２７】
（１３）好ましくは、上記（１２）の介護記録プログラムにおいて、現在の時（o’clock）に相当する一の前記時間表示に対応する全ての前記選択表示が、他の前記選択表示と区別可能に表示される。
【００２８】
（１４）好ましくは、上記（１）〜（１３）のいずれかの介護記録プログラムにおいて、選択された一以上の前記選択表示に関連づけられた介護サービス情報を、前記ディスプレイに表示させる閲覧ボタンを備える。
【００２９】
（１５）好ましくは、上記（１）〜（１４）のいずれかの介護記録プログラムにおいて、被介護者の症状に関する情報を入力するために操作される症状入力ボタンを含み、一以上の前記選択表示が選択され、且つ前記症状入力ボタンが選択されることによって、症状に関する情報の入力が可能となり、入力された症状に関する情報には、前記選択表示に対応する前記被介護者情報と、前記症状に関する情報が入力された年月日及び時間の情報とが関連づけられる。
【００３０】
（１６）好ましくは、上記（１）〜（１５）のいずれかの介護記録プログラムにおいて、被介護者ごとに情報を入力し、又は入力された情報を閲覧するために操作される記録ボタンを含み、前記記録ボタンが選択されることによって、サービス計画表、業務日誌、支援経過記録、報告書、測定結果、介護サービス実施表、リハビリ記録、介護サービスの詳細、症状及びバイタルサインのうちの少なくとも１つに関する情報の入力又は閲覧が可能となる。
【００３１】
（１７）好ましくは、上記（１６）の介護記録プログラムにおいて、被介護者ごとに介護記録を作成するための処理を実行する介護記録作成手段を含み、前記介護記録作成手段は、前記選択表示に関連づけられた介護サービス情報と、前記選択表示に対応する被介護者情報と、前記介護サービス情報が入力された年月日及び時間の情報とに基づいて、前記業務日誌、前記支援経過記録及び前記介護サービス実施表のうちの少なくとも１つのデータを作成する。
【００３２】
（１８）好ましくは、上記（１６）の介護記録プログラムにおいて、前記バイタルサインに関する情報は、被介護者の体温の値を含み、前記介護記録作成手段は、被介護者情報と、前記体温の値と、前記体温の値が入力された年月日とに基づいて、前記体温の値の折れ線グラフを含む熱型表のデータを作成する。
【００３３】
（１９）好ましくは、上記（１６）の介護記録プログラムにおいて、前記バイタルサインに関する情報は、被介護者のＳｐＯ２の値を含み、前記介護記録作成手段は、被介護者情報と、前記ＳｐＯ２の値と、前記ＳｐＯ２の値が入力された年月日とに基づいて、前記ＳｐＯ２の値の折れ線グラフのデータを作成し、前記ＳｐＯ２の値の折れ線グラフを前記熱型表に表示させる。
【００３４】
（２０）好ましくは、上記（１８）又は（１９）の介護記録プログラムにおいて、前記バイタルサインに関する情報は、被介護者の脈拍数の値を含み、前記介護記録作成手段は、被介護者情報と、前記脈拍数の値と、前記脈拍数の値が入力された年月日とに基づいて、前記脈拍数の値の折れ線グラフのデータを作成し、前記脈拍数の値の折れ線グラフを前記熱型表に表示させる。
【００３５】
（２１）好ましくは、上記（１８）〜（２０）のいずれかの介護記録プログラムにおいて、前記バイタルサインに関する情報は、被介護者の最高血圧及び最低血圧の値を含み、前記介護記録作成手段は、被介護者情報と、前記最高血圧及び前記最低血圧の値と、前記最高血圧及び前記最低血圧の値が入力された年月日とに基づいて、同日に入力された前記最高血圧の値と前記最低血圧の値とを結ぶ棒グラフのデータを作成し、前記棒グラフを前記熱型表に表示させる。
【００３６】
（２２）好ましくは、上記（１８）の介護記録プログラムにおいて、前記折れ線グラフには、前記体温の値を示すプロットが含まれ、前記介護記録作成手段は、被介護者が頓服薬を服用したことを、前記プロットの表示形態によって前記熱型表に表示させる。
【００３７】
（２３）好ましくは、上記（１８）〜（２２）のいずれかの介護記録プログラムにおいて、前記折れ線グラフには、前記体温、前記ＳｐＯ２及び前記脈拍数のうちの少なくとも１つの値を示すプロットが含まれ、前記介護記録作成手段は、前記値が複数回の測定を経て得られたものであることを、前記プロットの表示形態によって前記熱型表に表示させる。
【００３８】
（２４）好ましくは、上記（１８）〜（２３）のいずれかの介護記録プログラムにおいて、前記被介護者情報表示領域は、いずれか一の前記被介護者情報表示に対応するように配置された複数のバイタル表示ボタンを含み、前記バイタル表示ボタンは、前記バイタルサインに関する情報に異常な値が含まれる場合に異常を視覚的に報知し、前記バイタル表示ボタンが選択されることによって、前記熱型表が表示される。
【００３９】
（２５）好ましくは、上記（１６）〜（２４）のいずれかの介護記録プログラムにおいて、前記介護記録作成手段は、被介護者情報と、前記バイタルサインに関する情報と、前記症状に関する情報と、前記バイタルサイン及び前記症状に関する情報が入力された年月日とに基づいて、被介護者の病態記録のデータを作成し、少なくとも前記バイタルサインに関する情報に含まれる異常な値を視覚的に報知する。
【００４０】
（２６）好ましくは、上記（２５）の介護記録プログラムにおいて、前記介護記録作成手段は、被介護者の既往歴に関する情報に基づいて、前記病態記録のデータを作成する。
【００４１】
（２７）好ましくは、上記（２５）又は（２６）の介護記録プログラムにおいて、前記被介護者情報表示領域は、いずれか一の前記被介護者情報表示に対応するように配置された複数の症状表示ボタンを含み、前記症状表示ボタンは、前記症状に関する情報に異常な値が含まれる場合に異常を視覚的に報知し、前記症状表示ボタンが選択されることによって、前記病態記録が表示される。
【００４２】
（２８）好ましくは、上記（１）〜（２７）のいずれかの介護記録プログラムにおいて、前記被介護者情報表示が選択されることによって、被介護者の個人情報、病歴、障害、感染症、生活習慣、家系図、健康診断、日常生活動作（ＡＤＬ）、全身管理、処方及び緊急連絡先のうちから選択される一以上の情報が表示される。
【００４３】
（２９）好ましくは、上記（１）〜（２８）のいずれかの介護記録プログラムにおいて、便に関する介護サービス情報が入力された日時に基づいて、被介護者の排便の時間間隔を算出する排便間隔算出手段と、前記排便の時間間隔を示す情報を、前記被介護者情報表示に対応させて前記ディスプレイに表示させる排便間隔表示ボタンと、を備える。
【００４４】
（３０）好ましくは、上記（１）〜（２９）のいずれかの介護記録プログラムにおいて、インターネットを通じてサーバにデータを送受信するための通信制御手段を含む。
【００４５】
（３１）好ましくは、上記（１）〜（３０）のいずれかの介護記録プログラムにおいて、前記介護記録プログラムの利用を開始するためのログイン処理を制御する認証制御手段を含み、前記認証制御手段は、一のユーザーがログインしている状態の前記介護記録プログラムに他のユーザーをログインさせることを可能とし、前記他のユーザーをログインさせる場合は、前記一のユーザーをログアウトさせる。
【００４６】
（３２）上記目的を達成するために、本発明の介護記録装置は、上記（１）〜（３２）のいずれかの介護記録プログラムがインストールされたコンピュータによって構成される。
【００４７】
（３３）上記目的を達成するために、本発明の介護記録システムは、上記（３２）に記載された複数の介護記録装置が、インターネットを通じてサーバに接続され、一の前記介護記録装置に入力された各種情報が、前記サーバのデータベースに記憶され、前記データベースを共有する他の前記介護記録装置に受信される。
【発明の効果】
【００４８】
本発明の介護記録プログラム、介護記録装置及び介護記録システムによれば、複数の被介護者の介護サービスに関する情報を一画面で一元的に管理することが可能であり、記録した情報を介護記録の作成に有効活用することができる。
【図面の簡単な説明】
【００４９】
【図１】図１（ａ）は、本実施形態に係る介護記録プログラムを含む健康管理プログラムをインストールしたコンピュータを示すブロック図である。図１（ｂ）は、上記介護記録プログラムを示すブロック図である。
【図２】図２（ａ）、（ｂ）は、上記健康管理プログラムのログイン画面に表示される画像を示す。図２（ｃ）は、上記健康管理プログラムのメインメニュー画面に表示される画像を示す。
【図３】図３は、上記介護記録プログラムよって表示される複数の画面の遷移を示すブロック図である。
【図４】図４は、上記介護記録プログラムの一括入力画面を構成する画像を示す。図４に示す上記一括入力画面は、第１入力操作表示が選択された状態となっており、「水分」、「服薬」、「主食」、「副食」に関する情報を入力することが可能である。
【図５】図５は、上記一括入力画面を構成する複数の選択表示が個別に選択された状態を示す。
【図６】図６は、上記一括入力画面を構成する複数の選択表示が一括で選択された状態を示す。
【図７】図７（ａ）〜（ｄ）は、上記第１入力操作表示を示す。図７（ａ）は、上記第１入力操作表示を構成するボタンのうち、「水分」に関する情報を入力するためのボタンが選択された状態を示す。図７（ｂ）は、上記第１入力操作表示を構成するボタンのうち、「服薬」に関する情報を入力するためのボタンが選択された状態を示す。図７（ｃ）は、上記第１入力操作表示を構成するボタンのうち、「主食」に関する情報を入力するためのボタンが選択された状態を示す。図７（ｄ）は、上記第１入力操作表示を構成するボタンのうち、「副食」に関する情報を入力するためのボタンが選択された状態を示す。図７（ｅ）は、「水分」、「服薬」、「主食」、「副食」に関する情報が入力された後の上記選択表示を示す。
【図８】図８は、上記一括入力画面を構成する画像を示す。図８に示す上記一括入力画面は、第２入力操作表示が選択された状態となっており、「尿」、「便」、「入浴」、「フリーコメント」に関する情報を入力することが可能である。
【図９】図９（ａ）〜（ｄ）は、上記第２入力操作表示を示す。図９（ａ）は、上記第２入力操作表示を構成するボタンのうち、「尿」に関する情報を入力するためのボタンが選択された状態を示す。図９（ｂ）は、上記第２入力操作表示を構成するボタンのうち、「便」に関する情報を入力するためのボタンが選択された状態を示す。図９（ｃ）は、上記第２入力操作表示を構成するボタンのうち、「入浴」に関する情報を入力するためのボタンが選択された状態を示す。図９（ｄ）は、上記第２入力操作表示を構成するボタンのうち、「フリーコメント」を入力するためのボタンが選択された状態を示す。図９（ｅ）は、「尿」、「便」、「入浴」、「フリーコメント」に関する情報が入力された後の上記選択表示を示す。
【図１０】図１０は、上記一括入力画面を構成する画像を示す。図１０に示す上記一括入力画面は、第３入力操作表示が選択された状態となっており、「その他」の介護サービス情報を入力することが可能である。
【図１１】図１１は、上記一括入力画面を構成する画像を示す。上記第３入力操作表示が選択されると、「その他」の介護サービス情報を選択するための複数の項目を含むウィンドウが表示される。
【図１２】図１２は、上記一括入力画面を構成する画像を示す。上記ウィンドウ中の項目追加ボタンが選択されると、介護サービス情報の文字入力が可能となる。
【図１３】図１３は、上記一括入力画面を構成する画像を示す。介護サービス情報の文字入力が完了すると、上記ウィンドウに新たな項目が追加される。
【図１４】図１４は、上記一括入力画面を構成する画像を示す。上記第３入力操作表示によって入力された「その他」の介護サービス情報は、上記選択表示に表示される。
【図１５】図１５は、上記一括入力画面を構成する上記第１入力操作表示及び閲覧ボタンが選択された状態を示す。上記第１入力操作表示及び閲覧ボタンが選択されると、「水分」、「服薬」、「主食」、「副食」に関する情報が表示される。
【図１６】図１６は、上記一括入力画面を構成する上記第２入力操作表示及び閲覧ボタンが選択された状態を示す。上記第２入力操作表示及び閲覧ボタンが選択されると、「尿」、「便」、「入浴」、「フリーコメント」に関する情報が表示される。
【図１７】図１７は、上記一括入力画面を構成する症状入力ボタンが選択された状態を示す。上記症状入力ボタンが選択されると、症状を入力するためのウィンドウが表示される。
【図１８】図１８は、上記一括入力画面を構成する記録ボタンが選択された状態を示す。上記記録ボタンが選択されると、週間サービス計画表、業務日誌、報告書一覧、測定一覧、サービス実施表、個別登録、リハビリ記録の各画面へ遷移するためのリンクボタンが表示される。
【図１９】図１９は、週間サービス計画表の入力画面を構成する画像を示す。
【図２０】図２０は、業務日誌の表示画面を構成する画像を示す。
【図２１】図２１は、報告書一覧の表示画面を構成する画像を示す。
【図２２】図２２は、測定一覧の表示画面を構成する画像を示す。
【図２３】図２３は、サービス実施表の表示画面を構成する画像を示す。
【図２４】図２４は、個別登録のうちの「排泄」の入力画面を構成する画像を示す。
【図２５】図２５は、個別登録のうちの「食事」の入力画面を構成する画像を示す。
【図２６】図２６は、個別登録のうちの「服薬」の入力画面を構成する画像を示す。
【図２７】図２７は、個別登録のうちの「入浴」の入力画面を構成する画像を示す。
【図２８】図２８は、個別登録のうちの「介護サービス」の入力画面を構成する画像を示す。
【図２９】図２９は、個別登録のうちの「症状」の入力画面を構成する画像を示す。
【図３０】図３０は、個別登録のうちの「バイタル」の入力画面を構成する画像を示す。
【図３１】図３１は、熱型表の表示画面を構成する画像を示す。
【図３２】図３２は、上記熱型表の表示画面を構成する画像を示す。折れ線グラフのプロット、棒グラフの上端又は下端にカーソルを合わせると、詳細情報が表示される。
【図３３】図３３は、病態記録の表示画面を構成する画像を示す。
【図３４】図３４は、リハビリ記録の表示画面を構成する画像を示す。
【図３５】図３５は、上記一括入力画面を構成する支援経過記録ボタンが選択された状態を示す。上記支援経過記録ボタンが選択されると、支援経過記録の表示画面が表示される。
【図３６】図３６は、上記支援経過記録の表示画面を構成する画像を示す。
【図３７】図３７は、上記支援経過記録の表示画面を構成するフリーコメントボタンが選択された状態を示す。上記フリーコメントボタンが選択されると、支援内容の入力画面が表示される。
【図３８】図３８は、上記一括入力画面を構成する画像を示す。上記一括入力画面中の担当者氏名を変更すると、他の担当者がログインするための入力画面が表示される。
【図３９】図３９は、上記一括入力画面を構成する画像を示す。図３８に示す状態で担当者カードが使用された場合は、ＰＩＮコードの入力画面が表示される。
【発明を実施するための形態】
【００５０】
以下、本発明の介護記録プログラム、介護記録装置及び介護記録システムの実施形態について、図面を参照しつつ説明する。
【００５１】
＜介護記録装置＞
図１（ａ）は、本実施形態の介護記録装置１の構成を示す。介護記録装置１は、本実施形態の介護記録プログラム１２を汎用のコンピュータにインストールした構成となっている。汎用のコンピュータが介護記録プログラム１２を実行することにより、介護記録装置１が実現される。
【００５２】
なお、介護記録装置１を構成する汎用のコンピュータの形態は、特に限定されるものではなく、例えば、デスクトップ型、ノートブック型、タブレット型等の各種パーソナルコンピュータ又はスマートフォンであってもよい。本実施形態では、タッチパネルディスプレイ４を備えたダブレット型のパーソナルコンピュータを採用している。
【００５３】
図１（ａ）に示すように、介護記録装置１は、主として、制御部２、記憶部３、タッチパネルディスプレイ４、ユーザーインターフェース５、音声入力部６、音声出力部７、無線通信部８、ＩＣカードリーダー／ライター９を含む。
【００５４】
制御部２は、ＣＰＵ（central processing unit）であり、コンピュータ全体の制御処理を実行する。記憶部３は、コンピュータに内蔵されたＲＡＭ（Random Access Memory）及びＲＯＭ（Read Only Memory）、ＳＤカードなどの外部メモリを含む記憶手段の総称である。記憶部３には、オペレーティングシステム（ＯＳ）１０Ａ、及び健康管理プログラム１０Ｂが記憶される。本実施形態の介護記録プログラム１２は、健康管理プログラム１０Ｂに含まれる。この健康管理プログラム１０Ｂの詳細については、後述する。
【００５５】
タッチパネルディスプレイ４は、主として、液晶ディスプレイの表面に位置入力部を積層した構成となっており、画面に表示された画像に触れることで直感的な操作が可能である。ユーザーインターフェース５は、例えば、キーボードやマウスなどのタッチパネルディスプレイ４以外の入力装置を含む。音声入力部６は、マイク及びマイク入力端子を含む。音声出力部７は、スピーカー及びヘッドホン入力端子を含む。
【００５６】
無線通信部８は、例えば、Ｗｉ−Ｆｉ通信、Ｂｌｕｅｔｏｏｔｈ（登録商標）等を可能とする無線通信手段を含む。また、介護記録装置１を構成する汎用のコンピュータがスマートフォンの場合、無線通信部８は、例えば、３Ｇ、４Ｇ及びＬＴＥ（Long Term Evolution）等のモバイルデータ通信を可能とする無線通信手段を含む。本実施形態の介護記録プログラム１２を含む健康管理プログラム１０Ｂは、例えば、無線通信部８を介して、汎用のコンピュータにダウンロードされる。
【００５７】
ＩＣカードリーダー／ライター９は、非接触型ＩＣカードと無線通信し、データの読み書きを行う。例えば、ＩＣカードリーダー／ライター９は、介護者、看護師、医師の所有するＩＣカードのデータを読み込み、健康管理プログラム１０Ｂのログイン処理を行う。また例えば、ＩＣカードリーダー／ライター９は、被介護者のバイタルサインを測定する際に、被介護者の所有するＩＣカードのデータを読み込み、バイタルサインの測定値を、特定の被介護者に対応させる。非接触型ＩＣカードの技術方式として、例えば、ソニー株式会社の「ＦｅｌｉＣａ（登録商標）」を適用することができる。ＩＣカードリーダー／ライター９は、「ＦｅｌｉＣａ（登録商標）」を搭載した測定機器から測定値データを読み込むことが可能である。
【００５８】
＜健康管理プログラム＞
健康管理プログラム１０Ｂは、オペレーティングシステム１０Ａによって動作されるアプリケーションソフトウエアであり、制御部２によって実行される。健康管理プログラム１０Ｂには、バイタル入力プログラム１１、介護記録プログラム１２、健康ケア記録プログラム１３、医師管理プログラム１４、管理プログラム１５が含まれる。これら５つのプログラム１１〜１５は、介護者、看護師、医師によって使用され、これら三者が連携して被介護者の健康状態を管理するシステムを構築する。
【００５９】
バイタル入力プログラム１１は、体温、血圧、呼吸数、ＳｐＯ２、脈拍数、体重、血糖値等のバイタルサインの測定値を記録するためのものであり、介護者及び看護師に使用される。バイタル入力プログラム１１に入力されたバイタルサインの測定値は、各プログラム１１〜１５に共通のデータベースに保存され、介護記録プログラム１２、健康ケア記録アプリ１３及び医師管理プログラム１４に反映される。例えば、介護者又は看護師は、一日一回、被介護者のバイタルサインを測定し、バイタル入力プログラム１１に入力する。
【００６０】
介護記録プログラム１２は、介護サービス情報、例えば、水分摂取、服薬、食事、便、尿、入浴、食事介助、配膳、身辺介助、口腔ケア、入浴介助、清拭介助、更衣介助、移乗又は移動介助、服薬介助、シーツ交換又は清掃、排泄介助、受診付添、血圧測定などの情報を記録するためのものであり、介護者によって使用される。介護記録プログラム１２に入力された介護サービス情報は、健康ケア記録アプリ１３及び医師管理プログラム１４に反映される。例えば、介護者は、被介護者に介護サービスを提供したその場で、介護記録プログラム１２に情報を入力する。介護記録プログラム１２については、後に詳述する。
【００６１】
健康ケア記録アプリ１３は、介護記録プログラム１２によって記録された介護サービス情報を閲覧し、及び看護に関する情報の記録するためのものであり、看護師によって使用される。健康ケア記録アプリ１３には、被介護者の異常な測定値、異常な症状等を「警告」及び「注意」の二段階で表示する機能がある。例えば、「警告」に該当する情報には赤色の表示が関連付けられ、「注意」に該当する情報には黄色の表示が関連付けられる。健康ケア記録アプリ１３に入力された看護に関する情報は、介護記録プログラム１２及び医師管理プログラム１４に反映される。
【００６２】
医師管理プログラム１４は、指定した日付ごとに、被介護者の「警告」及び「注意」に該当する情報の一覧を表示するためのものであり、医師によって使用される。例えば、バイタル入力プログラム１１又は健康ケア記録アプリ１３によって、被介護者の異常な測定値、異常な症状等が記録された場合、医師管理プログラム１４は、指定した日付ごとに、異常な情報だけを、「警告」を示す赤色、又は「注意」を示す黄色と関連付けて一覧に表示する。
【００６３】
管理プログラム１５は、健康管理プログラム１０Ｂのユーザー（介護者、看護師、医師）、及び健康管理プログラム１０Ｂによって健康を管理される被介護者を登録するためのものであり、例えば、介護施設の管理者によって使用される。ユーザーは、管理プログラム１５によって新規登録され、健康管理プログラム１０Ｂの使用が可能となる。管理プログラム１５により、ユーザーが使用可能なプログラム１１〜１５を設定することが可能である。また、管理プログラム１５は、ユーザーに入力、編集、設定の権限を付与又は制限する機能がある。さらに、管理プログラム１５によって、個々のユーザー、被介護者を認証するためのＩＣカードを作成することが可能ある。
【００６４】
健康管理プログラム１０Ｂは、ユーザーが図示しないアイコンを選択することで起動する。健康管理プログラム１０Ｂが起動すると、図２（ａ）に示す画像を含むログイン画面が表示される。図２（ａ）に示す画像に「ユーザー名」及び「パスワード」を入力することで、健康管理プログラム１０Ｂにログインすることができる。一方、上述したＩＣカードリーダー／ライター９にＩＣカードをかざすことによっても、健康管理プログラム１０Ｂにログインすることが可能である。ＩＣカードによってログインする場合は、図２（ｂ）に示すＰＩＮ番号の入力が必要となる。
【００６５】
健康管理プログラム１０Ｂへのログインが完了すると、図２（ｃ）に示す画像を含むメインメニュー画面が表示される。メインメニュー画面には、バイタル入力プログラム１１、介護記録プログラム１２、健康ケア記録プログラム１３、医師管理プログラム１４、管理プログラム１５を起動させるためのアイコンが表示される。なお、図２（ｃ）に示すメインメニュー画面には、５つのプログラム１１〜１５に対応する５つのアイコンが表示されるが、実際は、管理プログラム１５によって、使用を許可されたプログラム１１〜１５のアイコンのみが表示される。ユーザーが、図２（ｃ）に示すいずれか１つのアイコンを選択することで、５つのプログラム１１〜１５のいずれか１つが起動する。
【００６６】
＜介護記録プログラム＞
次に、本実施形態の介護記録プログラム１２について、図面を参照しつつ詳述する。
【００６７】
＜＜プログラム構成＞＞
図１（ｂ）に示すように、介護記録プログラム１２は、表示制御手段１２Ａ、入力制御手段１２Ｂ、記憶制御手段１２Ｃ、介護記録作成手段１２Ｄ、通信制御手段１２Ｅ及び認証制御手段１２Ｆを含む。
【００６８】
表示制御手段１２Ａは、情報を入力するための画像をディスプレイに表示させる処理を実行する。入力制御手段１２Ｂは、情報を入力するための処理を実行する。記憶制御手段１２Ｃは、入力された情報を記憶するための処理を実行する。介護記録作成手段１２Ｄは、被介護者ごとに介護記録を作成するための処理を実行する。通信制御手段１２Ｅは、インターネットを通じてサーバにデータを送受信する。認証制御手段１２Ｆは、介護記録プログラム１２の利用を開始するためのログイン処理を制御する。
【００６９】
介護記録プログラム１２は、ユーザーが、図２（ｃ）中の鎖線で囲まれた「介護記録プログラム」のアイコンを選択することにより起動する。
【００７０】
＜＜複数の画面の遷移＞＞
介護記録プログラム１２は、介護サービスに関する多種多様な情報を入力することができ、入力された情報に基づいて、数種の介護記録を自動作成することが可能である。多種多様な介護サービス情報を入力するために、及び数種の介護記録を表示するために、介護記録プログラム１２は、図３に示す複数の画面２０、３０、４０、５０、６０、７０、８０、９０、１００、１１０、１２０、１３０、１４０を切り替えて、タッチパネルディスプレイ４に表示させる。
【００７１】
図３中の矢印は、複数の画面２０〜１４０の遷移を示すものである。ユーザーが、図２（ｃ）に示す「介護記録プログラム」のアイコンを選択すると、図３の介護サービス情報一括入力画面２０が表示される。介護サービス情報一括入力画面２０には、他の画面３０〜１４０に遷移するためのボタンが含まれる。ユーザーが、いずれかのボタンを選択することにより、タッチパネルディスプレイ４の表示が、他の画面３０〜１４０のいずれかに切り替わる。
【００７２】
以下、介護記録プログラム１２によって表示される各画面２０〜１４０の構成及び機能について、図面を参照しつつ詳細に説明する。
【００７３】
＜＜介護サービス情報一括入力画面＞＞
図４は、介護サービス情報一括入力画面２０を構成する画像を示す。図４に示すように、介護サービス情報一括入力画面２０は、入力操作表示領域２０Ａ、被介護者情報表示領域２０Ｂ、時間表示領域２０Ｃ、及び選択表示領域２０Ｄの４つに区画される。このうち、被介護者情報表示領域２０Ｂ及び選択表示領域２０Ｄは、横方向にスクロールさせることが可能である。また、時間表示領域２０Ｃ及び選択表示領域２０Ｄは、縦方向にスクロールさせることが可能である。
【００７４】
＜＜＜入力操作表示領域＞＞＞
入力操作表示領域２０Ａは、介護サービス情報一括入力画面２０の最も上に位置し、横方向に延びる。入力操作表示領域２０Ａには、その長手方向に沿って、第１〜第３入力操作表示２１Ａ〜２１Ｃ、保存ボタン２２Ａ、クリアボタン２２Ｂ、閲覧ボタン２２Ｃ、ホームボタン２３Ａ、症状入力ボタン２３Ｂ、記録ボタン２３Ｃ、支援経過記録表示ボタン２３Ｄ、フロア表示２４Ａ、日付表示２４Ｂ、担当者表示２４Ｃが配置される。
【００７５】
第１入力操作表示２１Ａは、「水分」、「服薬」、「主食」、「副食」に関する情報を入力するために操作される４つのボタンで構成される。第２入力操作表示２１Ｂは、「尿」、「便」、「入浴」に関する情報、及び「フリーコメント」を入力するために操作される４つのボタンで構成される。第３入力操作表示２１Ｃは、「その他」の介護サービス情報を入力するために操作されるボタンであり、ユーザーによって入力された任意の４つの介護サービス情報を割り当てることが可能である。
【００７６】
第１〜第３入力操作表示２１Ａ〜２１Ｃは、いずれか１つだけを選択することが可能であり、２つ以上を選択することはできない。図４に示す介護サービス情報一括入力画面２０は、第１入力操作表示２１Ａが選択された状態となっており、「水分」、「服薬」、「主食」、「副食」に関する情報を入力することが可能である。選択された第１入力操作表示２１Ａは、濃い色の輪郭線、及び背景色と異なる色彩で目立つように表示される。一方、選択されない第２及び第３入力操作表示２１Ｂ、２１Ｃは、薄い色の輪郭線、及び背景色と同じ色で目立たないように表示される。第１〜第３入力操作表示２１Ａ〜２１Ｃの詳細については、後に図面を参照しつつ説明する。
【００７７】
保存ボタン２２Ａは、入力した情報のデータを保存させるために操作される。ここで、本実施形態の介護記録プログラム１２は、オフライン状態で入力及び閲覧といった通常動作を行い、インターネットに接続されたサーバとデータの送受信を行う場合のみ、オンライン状態となる。保存ボタン２２Ａが選択されると、介護記録プログラム１２は、コンピュータをオンライン状態にし、インターネットに接続されたサーバにデータを送信する。送信されたデータは、サーバのデータベースに保存される。このデータベースに保存されたデータは、図３に示すバイタル入力プログラム１１、介護記録プログラム１２、健康ケア記録プログラム１３、医師管理プログラム１４及び管理プログラム１５によって共有される。
【００７８】
クリアボタン２２Ｂは、入力した情報を保存する前に消去するために操作される。閲覧ボタン２２Ｃは、第１及び第２入力操作表示２１Ａ、２１Ｂによって入力された介護サービス情報を表示させるために操作される。閲覧ボタン２２Ｃによって表示される画像については、後に図面を参照しつつ説明する。
【００７９】
ホームボタン２３Ａは、図２（ｃ）に示すメインメニュー画面を表示させるために操作される。症状入力ボタン２３Ｂは、被介護者の症状に関する情報を入力するために操作される。症状入力ボタン２３Ｂが選択されると、図３の症状入力画面３０が表示される。この症状入力画面３０については、後に図面を参照しつつ説明する。
【００８０】
記録ボタン２３Ｃは、被介護者ごとに情報を入力し、又は入力された情報を閲覧するために操作される。記録ボタン２３Ｃが選択されると、図３の週間サービス計画表入力画面４０、業務日誌表示画面５０、報告書一覧表示画面６０、測定一覧表示画面７０、サービス実施表表示画面８０、個別登録画面９０、リハビリ記録表示画面１００を表示させるためのリンクボタンが表示される。これらのリンクボタン及び各画面４０〜１００については、後に図面を参照しつつ説明する。
【００８１】
支援経過記録表示ボタン２３Ｄは、図３の支援経過記録表示画面１１０を表示させるために操作される。支援経過記録表示画面１１０については、後に図面を参照しつつ説明する。
【００８２】
フロア表示２４Ａは、介護施設のフロアを選択するために操作される。本実施形態の介護記録装置１のユーザーは、フロア表示２４Ａを操作して、自らが担当するフロアを選択する。すると、選択したフロアに入居する全ての被介護者の氏名及び部屋番号が、被介護者情報表示領域２０Ｂに表示される。日付表示２４Ｂは、年月日を選択するために操作される。日付表示２４Ｂによって年月日が選択されると、その年月日に入力された介護サービス情報が、被介護者情報表示領域２０Ｂ及び選択表示領域２０Ｄに表示される。
【００８３】
＜＜＜被介護者情報表示領域＞＞＞
被介護者情報表示領域２０Ｂは、上述した入力操作表示領域２０Ａの直下に位置し、介護サービス情報一括入力画面２０の横方向に延びる。被介護者情報表示領域２０Ｂの長手方向に沿って、複数の被介護者のそれぞれを特定するための複数の被介護者情報表示２５Ａが配置される。本実施形態の被介護者情報表示２５Ａは、被介護者の氏名及び部屋番号である。
【００８４】
本実施形態の被介護者情報表示領域２０Ｂは、２０人分の被介護者情報表示２５Ａを表示する構成となっている。被介護者情報表示領域２０Ｂ及び選択表示領域２０Ｄを横方向にスクロールさせると、図４に表示されていない２１人目以降の被介護者情報表示２５Ａが、被介護者情報表示領域２０Ｂに表示される。
【００８５】
被介護者情報表示領域２０Ｂにおける被介護者情報表示２５Ａの上方には、複数のバイタル表示ボタン２５Ｂ及び複数の症状表示ボタン２５Ｃが配置される。バイタル表示ボタン２５Ｂ及び症状表示ボタン２５Ｃは、複数の被介護者情報表示２５Ａのそれぞれに対応する。
【００８６】
バイタル表示ボタン２５Ｂが選択されることによって、図３の熱型表表示画面１２０が表示される。また、バイタル表示ボタン２５Ｂは、これに対応する被介護者のバイタルサインに関する情報に異常な値が含まれる場合に、異常を「警告」及び「注意」の二段階で表示する。例えば、バイタル表示ボタン２５Ｂは、「警告」を示す赤色、又は「注意」を示す黄色に点灯する。
【００８７】
症状表示ボタン２５Ｃが選択されることによって、図３の病態記録表示画面１３０が表示される。また、症状表示ボタン２５Ｃは、これに対応する被介護者の症状に関する情報に異常が含まれる場合に、異常を「警告」及び「注意」の二段階で表示する。例えば、症状表示ボタン２５Ｃは、「警告」を示す赤色、又は「注意」を示す黄色に点灯する。
【００８８】
＜＜＜時間表示領域＞＞＞
時間表示領域２０Ｃは、上述した被介護者情報表示領域２０Ｂの一端下方に位置し、介護サービス情報一括入力画面２０の縦方向に延びる。時間表示領域２０Ｃの長手方向に沿って、複数の時間表示２６が配置される。各時間表示２６は、介護サービスが提供される時間を示す。本実施形態の時間表示領域２０Ｃは、９時間分の時間表示２６を表示する構成となっている。時間表示領域２０Ｃ及び選択表示領域２０Ｄを縦方向にスクロールさせることにより、本実施形態の時間表示領域２０Ｃには、１時間ごとに２４時間分の時間表示２６を表示することが可能である。
【００８９】
＜＜＜選択表示領域＞＞＞
選択表示領域２０Ｄは、上述した被介護者情報表示領域２０Ｂ及び時間表示領域２０Ｃによって画定され、これらの両方に隣接する。選択表示領域２０Ｄには、複数の選択表示２７が行列配置される。各選択表示２７は、いずれか一の被介護者情報表示２５Ａ及びいずれか一の時間表示２６の両方に対応する。
【００９０】
ここで、図４に示す介護サービス情報一括入力画面２０は、第１入力操作表示２１Ａが選択された状態となっており、各選択表示２７には、第１入力操作表示２１Ａと同様の「水分」、「服薬」、「主食」、「副食」を示す図柄が表示される。各選択表示２７の図柄は、第１〜第３入力操作表示２１Ａ〜２１Ｃの選択に対応して切り替わる。第１〜第３入力操作表示２１Ａ〜２１Ｃによって入力された介護サービス情報は、選択された一以上の選択表示２７に関連づけられる。
【００９１】
その他、隣り合う被介護者情報表示２５Ａに対応する、バイタル表示ボタン２５Ｂ、症状表示ボタン２５Ｃ及び複数の選択表示２７からなる縦の列は、交互に異なる色彩で表示される。図４に示す具体例では、奇数の部屋番号の被介護者情報表示２５Ａに対応する縦の列は暗い色（例：灰色）で表示され、偶数の部屋番号の被介護者情報表示２５Ａに対応する縦の列は明るい色（例：白色）で表示される。さらに、現在の時（o’clock）に相当する一の時間表示２６（例：「１６時」）に対応する、複数の選択表示２７からなる横の行は、他の選択表示２７と区別可能に表示される。例えば、図４中の「１６時」に対応する複数の選択表示２７からなる横の行は、他の選択表示２７と異なる色彩（例：橙色）で表示される。
【００９２】
選択表示領域２０Ｄに行列配置された複数の選択表示２７の色分けすることにより、介護サービス情報を入力すべき所定の選択表示２７を正確に特定することが容易となる。これにより、以下に述べる介護サービス情報の一括入力の操作を直感的に行うことが可能となる。
【００９３】
＜＜＜介護サービス情報の一括入力手順＞＞＞
上述した介護サービス情報一括入力画面２０は、第１〜第３入力操作表示２１Ａ〜２１Ｃ及び複数の選択表示２７を用いて、複数の被介護者のそれぞれに同一の情報を一括入力することが可能である。以下、第１〜第３入力操作表示２１Ａ〜２１Ｃ及び複数の選択表示２７を用いた介護サービス情報の一括入力の手順について説明する。
【００９４】
まず、第１入力操作表示２１Ａによる介護サービス情報の入力手順について、図５〜図７を参照しつつ説明する。
【００９５】
図５に示す介護サービス情報一括入力画面２０において、「水分」、「服薬」、「主食」、「副食」に関する情報を入力する場合は、第１入力操作表示２１Ａを選択する。第１入力操作表示２１Ａを選択すると、選択表示領域２０Ｄに行列配置された全ての選択表示２７が、第１入力操作表示２１Ａと同様の図柄に切り替わる。
【００９６】
次いで、介護サービス情報を入力する被介護者（被介護者情報表示２５Ａ）と、介護サービスを提供した時間（時間表示２６）との両方に対応する選択表示２７を選択する。この場合、図５に示すように、一又は複数の選択表示２７を個別に選択することが可能である。選択された選択表示２７の上には、チェックマーク２７ａが表示される。
【００９７】
また、図６に示すように、いずれかの一の時間表示２６（例：「１２時」）を選択すると、この時間表示２６に対応する横の行の選択表示２７が全て選択され、各選択表示２７の上にチェックマーク２７ａが表示される。
【００９８】
次いで、第１入力操作表示２１Ａを用いた介護サービス情報の入力操作について説明する。図７（ａ）〜（ｄ）に示すように、第１入力操作表示２１Ａは、水分入力ボタン２１１、服薬入力ボタン２１２、主食入力ボタン２１３、及び副食入力ボタン２１４で構成される。これらの４つのボタン２１１〜２１４には、「水分」、「服薬」、「主食」及び「副食」を示す図柄が表示される。
【００９９】
ユーザーは、４つのボタン２１１〜２１４のいずれか１つを選択して「水分」、「服薬」、「主食」又は「副食」に関する情報を入力する。入力された介護サービス情報は、図５又は図６において選択された一以上の選択表示２７に関連づけられ、選択表示２７に情報が表示される（図７（ｅ）を参照）。
【０１００】
図７（ａ）に示すように、ユーザーが、水分入力ボタン２１１を選択すると、水分入力ウィンドウ２１１１が表示される。水分入力ウィンドウ２１１１は、被介護者が摂取した水分量の割合を入力するための「少」、「中」、「多」、「０」の４つのボタンを含む。ユーザーは、「少」、「中」、「多」、「０」の４つのボタンのいずれか１つを選択して、被介護者が摂取した水分量の割合を入力する。
【０１０１】
また、水分入力ウィンドウ２１１１は、被介護者が摂取した水分量の数値（ｍｌ）を入力するための数値入力欄２１１１ａを含む。ユーザーが、数値入力欄２１１１ａを選択すると、テンキー表示２１１２が表示される。ユーザーは、テンキー表示２１１２を操作して、数値入力欄２１１１ａに任意の数値（ｍｌ）を入力することが可能である。さらに、数値入力欄２１１１ａに入力した数値（ｍｌ）は、「少」、「中」、「多」、「０」のいずれかの割合に換算され、４つのボタンのうちのいずれか１つが入力された状態になる。
【０１０２】
図７（ｂ）に示すように、ユーザーが、服薬入力ボタン２１２を選択すると、服薬入力ウィンドウ２１２１が表示される。服薬入力ウィンドウ２１２１は、被介護者の服薬を担当した者の氏名を入力するための担当者氏名入力欄２１２１ａを含む。ユーザーが、担当者氏名入力欄２１２１ａの横に設けられたボタンを選択すると、複数の担当者氏名を含むドロップダウンリスト（図示せず）が表示される。ユーザーは、このドロップダウンリスト中から被介護者の服薬を担当した者の氏名を選択する。
【０１０３】
図７（ｃ）に示すように、ユーザーが、主食入力ボタン２１３を選択すると、主食入力ウィンドウ２１３１が表示される。主食入力ウィンドウ２１３１は、被介護者が食べた主食の量の割合を「０」〜「１０」段階で入力するためのボタンを含む。主食とは、日常の食事で主となる食べ物をいい、例えば、米飯やパンが該当する。ユーザーは、「０」〜「１０」のいずれかのボタンを選択して、被介護者が食べた主食の量の割合を入力する。
【０１０４】
図７（ｄ）に示すように、副食入力ボタン２１４を選択すると、副食入力ウィンドウ２１４１が表示される。副食入力ウィンドウ２１４１は、被介護者が食べた副食の量の割合を「０」〜「１０」段階で入力するためのボタンを含む。副食とは、主食とあわせて食べる物であり、おかずや惣菜が該当する。ユーザーは、「０」〜「１０」のいずれかのボタンを選択して、被介護者が食べた副食の量の割合を入力する。
【０１０５】
図７（ｅ）に示すように、選択表示２７は、第１〜第４領域２７１〜２７４に区画される。第１〜第４領域２７１〜２７４は、第１入力操作表示２１Ａを構成する４つのボタン２１１〜２１４のそれぞれに対応しており、「水分」、「服薬」、「主食」及び「副食」を示す図柄が表示される。
【０１０６】
図７（ａ）に示す水分入力ウィンドウ２１１１の入力が完了すると、図７（ｅ）に示す選択表示２７の第１領域２７１の色彩が変更される。第１領域２７１の色彩は、例えば、白色から緑色に変更される。以下に説明する第２領域２７２〜２７４についても同様である。また、水分入力ウィンドウ２１１１の数値入力欄２１１１ａに入力された水分量の数値（テキスト情報）は、選択表示２７の第１領域２７１に表示される。
【０１０７】
図７（ｂ）に示す服薬入力ウィンドウ２１２１の入力が完了すると、図７（ｅ）に示す選択表示２７の第２領域２７２の色彩が、白色から緑色に変更される。
【０１０８】
図７（ｃ）に示す主食入力ウィンドウ２１３１の入力が完了すると、図７（ｅ）に示す選択表示２７の第３領域２７３の色彩が、白色から緑色に変更される。主食入力ウィンドウ２１３１に入力された主食の量の割合を示す「０」〜「１０」のテキスト情報は、選択表示２７の第３領域２７３に表示される。
【０１０９】
図７（ｄ）に示す副食入力ウィンドウ２１４１の入力が完了すると、図７（ｅ）に示す選択表示２７の第４領域２７４の色彩が、白色から緑色に変更される。副食入力ウィンドウ２１４１に入力された副食の量の割合を示す「０」〜「１０」のテキスト情報は、選択表示２７の第４領域２７４に表示される。
【０１１０】
次に、第２入力操作表示２１Ｂによる介護サービス情報の入力手順について、図８及び図９を参照しつつ説明する。
【０１１１】
図８に示す介護サービス情報一括入力画面２０において、「便」、「尿」、「入浴」、「フリーコメント」に関する情報を入力する場合は、第２入力操作表示２１Ｂを選択する。第２入力操作表示２１Ｂを選択すると、選択表示領域２０Ｄに行列配置された全ての選択表示２７が、第２入力操作表示２１Ｂと同様の図柄に切り替わる。
【０１１２】
次いで、介護サービス情報を入力する被介護者（被介護者情報表示２５Ａ）と、介護サービスを提供した時間（時間表示２６）との両方に対応する一又は複数の選択表示２７を選択する。選択された選択表示２７の上には、チェックマーク２７ａが表示される。
【０１１３】
また、図６と同様に、いずれかの一の時間表示２６を選択すると、この時間表示２６に対応する横の行の選択表示２７が全て選択され、各選択表示２７の上にチェックマーク２７ａが表示される。
【０１１４】
次いで、第２入力操作表示２１Ｂを用いた介護サービス情報の入力操作について説明する。図９（ａ）〜（ｄ）に示すように、第２入力操作表示２１Ｂは、便入力ボタン２２１、尿入力ボタン２２２、入浴入力ボタン２２３、及びフリーコメント入力ボタン２２４で構成される。これらの４つのボタン２２１〜２２４には、「便」、「尿」、「入浴」及び「フリーコメント」を示す図柄が表示される。
【０１１５】
図９（ａ）に示すように、ユーザーが、便入力ボタン２２１を選択すると、便入力ウィンドウ２２１１が表示される。便入力ウィンドウ２２１１は、上下２段に配置された８つのボタンを含む。便入力ウィンドウ２２１１の上段には、被介護者が排泄した便の量の割合を入力するための「０」、「少」、「中」、「多」の４つのボタンが配置される。便入力ウィンドウ２２１１の下段には、被介護者が排泄した便の状態を入力するための「硬」、「柔」、「泥」、「その他」の４つのボタンが配置される。
【０１１６】
ユーザーは、「０」、「少」、「中」、「多」の４つのボタンのいずれか１つを選択して、被介護者が排泄した便の量の割合を入力する。また、ユーザーは、「硬」、「柔」、「泥」、「その他」の４つのボタンのいずれか１つを選択して、被介護者が排泄した便の状態を入力する。「その他」のボタンを選択すると、フリーコメント入力欄２２１１ａが表示される。フリーコメント入力欄２２１１ａには、任意のテキスト情報を入力することが可能である。
【０１１７】
図９（ｂ）に示すように、ユーザーが、尿入力ボタン２２２を選択すると、尿入力ウィンドウ２２２１が表示される。尿入力ウィンドウ２２２１は、上下２段に配置された８つのボタンを含む。尿入力ウィンドウ２２１１の上段には、被介護者が排泄した尿の量の割合を入力するための「０」、「少」、「中」、「多」の４つのボタンが配置される。尿入力ウィンドウ２２２１の下段には、被介護者が排泄した尿の状態を入力するための「血尿」、「混濁尿」、「尿臭」、「その他」の４つのボタンが配置される。
【０１１８】
ユーザーは、「０」、「少」、「中」、「多」の４つのボタンのいずれか１つを選択し、被介護者が排泄した尿の量の割合を入力する。また、ユーザーは、「血尿」、「混濁尿」、「尿臭」、「その他」の４つのボタンのいずれか１つを選択して、被介護者が排泄した尿の状態を入力する。「その他」のボタンを選択すると、フリーコメント入力欄２２２１ｂが表示される。フリーコメント入力欄２２２１ｂには、任意のテキスト情報を入力することが可能である。
【０１１９】
また、尿入力ウィンドウ２２２１は、被介護者が排泄した尿の量の数値（ｍｌ）を入力するための数値入力欄２２２１ａを含む。ユーザーが、数値入力欄２２２１ａを選択すると、テンキー表示２２２２が表示される。ユーザーは、テンキー表示２２２２を操作して、数値入力欄２２２１ａに任意の数値（ｍｌ）を入力することが可能である。さらに、数値入力欄２２２１ａに入力した数値（ｍｌ）は、「０」、「少」、「中」、「多」のいずれかの割合に換算され、４つのボタンのうちのいずれか１つが入力された状態になる。
【０１２０】
図９（ｃ）に示すように、ユーザーが、入浴入力ボタン２２３を選択すると、入浴入力ウィンドウ２２３１が表示される。入浴入力ウィンドウ２２３１は、被介護者の入浴の実施状況を入力するためのものである。入浴入力ウィンドウ２２３１の初期状態は、上段の「実施」、「部分浴」、「異常」、「中止」の４つのボタンで構成される。４つのボタンのうちの「部分浴」のボタンが選択されると、下段の「シャワー浴」、「清拭」、「足浴」、「手浴」、「洗髪」の５つのボタンが出現する。
【０１２１】
上段の「実施」、「部分浴」、「異常」、「中止」の４つのボタンは、これらのうちの複数を選択することが可能である。「実施」、「部分浴」、「異常」のボタンは、これらのうちの２つ又は３つを選択することができる。また、「異常」及び「中止」のボタンは、両方を選択することができる。「中止」のボタンが選択されると、図示しないフリーコメント入力欄が表示され、任意のテキスト情報を入力することが可能となる。
【０１２２】
下段の「シャワー浴」、「清拭」、「足浴」、「手浴」、「洗髪」の５つのボタンは、これらのうちの一部又は全部を選択することが可能である。これらの５つのボタンを使用して、被介護者の部分浴の実施状況を詳しく記録することが可能である。
【０１２３】
図９（ｄ）に示すように、ユーザーが、フリーコメント入力ボタン２２４を選択すると、フリーコメント入力ウィンドウ２２４１が表示される。フリーコメント入力ウィンドウ２２４１には、任意のテキスト情報を入力することが可能である。
【０１２４】
図９（ｅ）に示すように、選択表示２７の第１〜第４領域２７１〜２７４は、第２入力操作表示２１Ｂを構成する４つのボタン２２１〜２２４のそれぞれに対応しており、「便」、「尿」、「入浴」及び「フリーコメント」を示す図柄が表示される。
【０１２５】
図９（ａ）に示す便入力ウィンドウ２２１１の入力が完了すると、図９（ｅ）に示す選択表示２７の第１領域２７１の色彩が、白色から緑色に変更される。便入力ウィンドウ２２１１に入力された便の量の割合を示す「０」、「少」、「中」又は「多」のテキスト情報は、選択表示２７の第１領域２７１に表示される。
【０１２６】
図９（ｂ）に示す尿入力ウィンドウ２２２１の入力が完了すると、図９（ｅ）に示す選択表示２７の第２領域２７２の色彩が、白色から緑色に変更される。但し、本実施形態では、被介護者の状態異常を示す色彩に変更される。すなわち、図９（ｂ）に示す尿入力ウィンドウ２２２１は、下段の「血尿」のボタンが選択されている。「血尿」は、被介護者の尿の状態異常に該当する。このような場合、例えば、選択表示２７の第２領域２７２の背景色は白色のまま変更されず、「尿」を示す図柄が赤色に変更される。さらに、選択表示２７の第２領域２７２を囲む枠線２７２ａが赤色に変更される。上記と同様に、尿入力ウィンドウ２２２１に入力された尿の量の割合を示す「０」、「少」、「中」又は「多」のテキスト情報は、選択表示２７の第２領域２７２に表示される。
【０１２７】
図９（ｃ）に示す入浴入力ウィンドウ２２３１の入力が完了すると、図９（ｅ）に示す選択表示２７の第３領域２７３の色彩が、白色から緑色に変更される。但し、本実施形態では、被介護者の状態異常を示す色彩に変更される。すなわち、図９（ｃ）に示す入浴入力ウィンドウ２２３１は、上段の「異常」のボタンが選択されている。このような場合、例えば、選択表示２７の第３領域２７３の背景色は白色のまま変更されず、「入浴」を示す図柄が赤色に変更される。さらに、選択表示２７の第３領域２７３を囲む枠線２７３ａが赤色に変更される。
【０１２８】
図９（ｄ）に示すフリーコメント入力ウィンドウ２２４１の入力が完了すると、図９（ｅ）に示す選択表示２７の第４領域２７４の色彩が、白色から緑色に変更される。また、フリーコメント入力ウィンドウ２２４１に入力されたテキスト情報の最初から４文字は、選択表示２７の第４領域２７４に表示される。
【０１２９】
次に、第３入力操作表示２１Ｃによる介護サービス情報の入力手順について、図１０〜図１４を参照しつつ説明する。
【０１３０】
図１０に示す介護サービス情報一括入力画面２０において、「その他」の介護サービス情報を入力する場合は、第３入力操作表示２１Ｃを選択する。第３入力操作表示２１Ｃは、図柄がない枠線だけの外観であり、枠線の中央に「その他」の文字が表示される。また、第３入力操作表示２１Ｃは、第１及び第２入力操作表示２１Ａ、２１Ｂのように４つのボタンの集合体ではなく、全体が１つのボタンとなっている。
【０１３１】
第３入力操作表示２１Ｃを選択すると、選択表示領域２０Ｄに行列配置された全ての選択表示２７が、第３入力操作表示２１Ｃと同様の外観に切り替わる。すなわち、選択表示２７は、第３入力操作表示２１Ｃと同様に、図柄がない枠線だけの外観になる。つまり、選択表示２７の第１〜第４領域２７１〜２７４は、いずれも空白となる。
【０１３２】
次いで、介護サービス情報を入力する被介護者（被介護者情報表示２５Ａ）と、介護サービスを提供した時間（時間表示２６）との両方に対応する一又は複数の選択表示２７を選択する。選択された選択表示２７の上には、チェックマーク２７ａが表示される。
【０１３３】
また、図１０に示すように、いずれかの一の時間表示２６を選択すると、この時間表示２６に対応する横の行の選択表示２７が全て選択され、各選択表示２７の上にチェックマーク２７ａが表示される。
【０１３４】
次いで、第３入力操作表示２１Ｃを用いた介護サービス情報の入力操作について説明する。第３入力操作表示２１Ｃを選択すると、図１１に示す介護サービス項目入力ウィンドウ２３０が表示される。介護サービス項目入力ウィンドウ２３０は、７つの項目選択チェックボックス２３０１〜２３０７と、３つのブランクチェックボックス２３０８〜２３１０とで構成される。
【０１３５】
選択チェックボックス２３０１〜２３０７には、７つの介護サービス情報があらかじめ割り当てられている。例えば、選択チェックボックス２３０１には「身辺介護」、選択チェックボックス２３０２には「口腔ケア」、選択チェックボックス２３０３には「更衣介助」、選択チェックボックス２３０４には「移乗・移動介助」、選択チェックボックス２３０５には「シーツ交換及び掃除」、選択チェックボックス２３０６には「レクリエーション」、選択チェックボックス２３０７には「巡回」が割り当てられている。
【０１３６】
一方、ブランクチェックボックス２３０８〜２３１０には、ユーザーが任意の介護サービス情報を割り当てることが可能である。ブランクチェックボックス２３０８〜２３１０には、項目追加ボタン２３０８ａ〜２３１０ａが設けられている。これらの項目追加ボタン２３０８ａ〜２３１０ａのいずれかを選択すると、図１２に示す項目入力ウィンドウ２３１１が表示される。項目入力ウィンドウ２３１１には、任意のテキスト情報を入力することが可能である。ユーザーは、任意の介護サービス情報（テキスト情報）を項目入力ウィンドウ２３１１に入力する。項目入力ウィンドウ２３１１に入力された介護サービス情報は、ブランクチェックボックス２３０８〜２３１０に割り当てられ、且つ表示される。つまり、ブランクチェックボックス２３０８〜２３１０は、任意の介護サービス情報を割り当てることにより、この任意の介護サービス情報が表示された項目選択チェックボックスに変化する。
【０１３７】
例えば、図１１に示すブランクチェックボックス２３０８の項目追加ボタン２３０８ａを選択することによって、図１２に示す項目入力ウィンドウ２３１１が表示される。この項目入力ウィンドウ２３１１に「体位変換」と入力した場合、ブランクチェックボックス２３０８は、図１３に示す「体位変換」の項目選択チェックボックスに変化する。
【０１３８】
ブランクチェックボックス２３０８が変化した「体位変換」の項目選択チェックボックスには、図１３に示す項目編集ボタン２３０８ｂが追加される。項目編集ボタン２３０８ｂを選択すると、図１２に示す項目入力ウィンドウ２３１１が表示され、ブランクチェックボックス２３０８に割り当てる任意の介護サービス情報を編集することができる。
【０１３９】
上述した項目選択チェックボックス２３０１〜２３０７及びブランクチェックボックス２３０８〜２３１０のうち、最低１つ、最大４つを選択すると、選択したチェックボックスの介護サービス情報が、第３入力操作表示２１Ｃに割り当てられる。
【０１４０】
図１３に示す具体例では、選択チェックボックス２３０１、２３０３、２３０６及びブランクチェックボックス２３０８が選択されている。この場合は、「身辺介護」、「更衣介助」、「レクリエーション」、「体位変換」の４つの介護サービス情報が、第３入力操作表示２１Ｃに割り当てられる。
【０１４１】
このような第３入力操作表示２１Ｃを選択すると、図１４に示すように、既に選択された選択表示２７に「身辺介護」、「更衣介助」、「レクリエーション」、「体位変換」の４つの介護サービス情報が関連付けられ、且つ表示される。例えば、選択表示２７の第１領域２７１には「身辺」、第２領域２７２には「レク」、第３領域には「更衣」の二文字が表示される。選択表示２７の第４領域２７４には「体位変換」の四文字が表示される。
【０１４２】
ここで、図１３に示す７つの項目選択チェックボックス２３０１〜２３０７は、背景色を互いに異なる色彩としてある。一方、３つのブランクチェックボックス２３０８〜２３１０は、任意の介護サービス情報が割り当てられる前は、互いに同じ色彩の背景色であるが、任意の介護サービス情報が割り当てられた後は、互いに異なる色彩の背景色となる。選択されたチェックボックス２３０１〜２３１０の背景色は、図１４に示すように、介護サービス情報が関連付けられた選択表示２７の第１〜第４領域２７１〜２７４の色彩に反映される。
【０１４３】
ユーザーは、選択表示２７の第１〜第４領域２７１〜２７４に表示される文字及び色を見て、「身辺介護」、「更衣介助」、「レクリエーション」、「体位変換」の４つの介護サービス情報を直感的に理解することが可能である。
【０１４４】
＜＜閲覧ボタン＞＞
次に、介護サービス情報一括入力画面２０の入力操作表示領域２０Ａに配置された閲覧ボタン２２Ｃについて、図１５及び図１６を参照しつつ説明する。ユーザーは、閲覧ボタン２２Ｃを選択することにより、上述した第１及び第２入力操作表示２１Ａ、２１Ｂによって入力した介護サービス情報を閲覧することができる。
【０１４５】
まず、第１入力操作表示２１Ａによって入力した介護サービス情報を閲覧する場合の手順について説明する。
【０１４６】
図１５に示すように、ユーザーは、既に介護サービス情報が関連付けられた一又は複数の選択表示２７を選択する。複数の選択表示２７は、個別に選択してもよいし、時間表示２６を選択することにより一括で選択してもよい。次いで、ユーザーは、第１入力操作表示２１Ａを選択した後、閲覧ボタン２２Ｃを選択する。
【０１４７】
すると、介護サービス情報一括入力画面２０の上に、閲覧ウィンドウ２４０が表示される。閲覧ウィンドウ２４０の上辺には、５つの被介護者情報タブ２４１〜２４５が設けられている。これらの被介護者情報タブ２４１〜２４５の左右両側には、スピンボタン２４６Ｌ、２４６Ｒが設けられている。
【０１４８】
被介護者情報タブ２４１〜２４５は、最大で５名の被介護者情報を表示する。例えば、本実施形態では、「１５時」の時間表示２６を選択することにより、この時間表示２６に対応する横の行の選択表示２７が全て選択されている（チェックマーク２７ａを参照）。つまり、２０名の選択表示２７が一括で選択されていることになる。被介護者情報タブ２４１〜２４５は、２０名のうちの５名の被介護者情報を表示する。そして、スピンボタン２４６Ｌ、２４６Ｒは、被介護者情報タブ２４１〜２４５に表示される５名の被介護者情報を左右方向にスクロールさせ、２０名の被介護者情報を全て表示させる。
【０１４９】
ユーザーは、被介護者情報タブ２４１〜２４５のいずれか１つを選択すると、これに対応する一の選択表示２７に関連付けられた「水分」、「服薬」、「主食」、「副食」に関する情報が、閲覧ウィンドウ２４０に表示される。閲覧ウィンドウ２４０に表示される介護サービス情報は、上述した図７（ａ）〜（ｄ）に示す手順に従って入力されたものである。
【０１５０】
次に、第２入力操作表示２１Ｂによって入力した介護サービス情報を閲覧する場合の手順について説明する。
【０１５１】
図１６に示すように、ユーザーは、既に介護サービス情報が関連付けられた一又は複数の選択表示２７を選択する。本実施形態では、「１５時」の時間表示２６に対応する横の行の選択表示２７が全て選択されている（チェックマーク２７ａを参照）。次いで、ユーザーは、第２入力操作表示２１Ｂを選択した後、閲覧ボタン２２Ｃを選択する。
【０１５２】
すると、介護サービス情報一括入力画面２０の上に、閲覧ウィンドウ２５０が表示される。閲覧ウィンドウ２５０の構成は、図１５に示す閲覧ウィンドウ２４０と同じである。閲覧ウィンドウ２５０の上辺には、５つの被介護者情報タブ２５１〜２５５が設けられている。これらの被介護者情報タブ２５１〜２５５の左右両側には、スピンボタン２５６Ｌ、２５６Ｒが設けられている。
【０１５３】
ユーザーは、被介護者情報タブ２５１〜２５５のいずれか１つを選択すると、これに対応する一の選択表示２７に関連付けられた「便」、「尿」、「入浴」、「フリーコメント」に関する情報が、閲覧ウィンドウ２５０に表示される。閲覧ウィンドウ２５０に表示される介護サービス情報は、上述した図９（ａ）〜（ｄ）に示す手順に従って入力されたものである。
【０１５４】
＜＜症状入力画面＞＞
図１７は、症状入力画面３０を示す。図１７に示す症状入力画面３０は、被介護者の症状に関する情報を入力するためにユーザーによって操作される。図４に示す介護サービス情報一括入力画面２０において、ユーザーは、一又は複数の選択表示２７を選択した後、症状入力ボタン２３Ｂを選択する。すると、介護サービス情報一括入力画面２０が暗転して操作できない状態となり、暗転した介護サービス情報一括入力画面２０の上に症状入力画面３０が表示される。
【０１５５】
図１７に示すように、症状入力画面３０は、主として、大項目入力部３１、小項目入力部３２、被介護者情報表示３３Ａ、被介護者詳細表示ボタン３３Ｂ、保存ボタン３４Ａ、閉じるボタン３４Ｂで構成される。
【０１５６】
大項目入力部３１には、種々の症状名が表示された複数の大項目入力ボタン３１ａが含まれる。本実施形態の大項目入力ボタン３１ａには、「呼吸困難（息切れ）」、「咳嗽・喀痰」、「顔色不良」、「元気がない」、「転倒」、「浮腫」、「チアノーゼ」、「冷感」、「悪心・嘔吐」、「腹痛」、「頭痛」、「腰痛」、「掻痒感」、「けいれん」、「運動麻痺」、「認知機能障害」、「めまい」、「不眠」、「その他の症状」の合計１９種の症状名が表示される。
【０１５７】
ユーザーが、いずれかの大項目入力ボタン３１ａを選択すると、小項目入力部３２の表示内容が変化する。具体的には、選択された大項目入力ボタン３１ａに表示された症状名に対応して、小項目入力部３２の入力欄の数と、各入力欄の左側に表示される入力項目とが変化する。例えば、ユーザーが「呼吸困難（息切れ）」の大項目入力ボタン３１ａを選択すると、小項目入力部３２の入力欄の数は６つになり、１〜５つ目の入力欄の左側に表示される入力項目は、「どのような」、「呼吸状態」、「状況」、「体位」、「起こり方」、「程度」となる。６つ目の「フリーコメント」の入力欄は、全ての大項目入力ボタン３１ａが選択された場合に共通して表示される。
【０１５８】
ユーザーは、小項目入力部３２の各入力欄に表示される入力項目に従って、症状の詳細を入力する。症状の詳細は、小項目入力部３２の各入力欄に設けられた小項目ドロップダウンリスト３２ａを展開し、あらかじめ用意された複数の定型文から１つを選択する。フリーコメント入力欄３２ｂには、任意のテキスト情報を入力することが可能である。
【０１５９】
大項目入力部３１及び小項目入力部３２に入力した症状に関する情報は、ユーザーが保存ボタン３４Ａを選択することにより、インターネットに接続されたサーバのデータベースに保存される。上述したように、介護記録プログラム１２は、サーバにデータを送信するときに、コンピュータをオフライン状態からオンライン状態にする。
【０１６０】
データベースに保存された症状に関する情報は、被介護者情報、入力された年月日及び時間の情報と関連づけられる。その後、ユーザーが閉じるボタン３４Ｂを選択することにより、図１７に示す症状入力画面３０は閉じられる。すると、図４に示す介護サービス情報一括入力画面２０が明転して操作可能な状態となる。
【０１６１】
ここで、ユーザーが、図４に示す複数の選択表示２７のうちの１つだけを選択した場合は、図１７に示す被介護者情報表示３３Ａ及び被介護者詳細表示ボタン３３Ｂが表示される。被介護者情報表示３３Ａには、一の選択表示２７に対応する被介護者の氏名が表示される。被介護者詳細表示ボタン３３Ｂを選択すると、一の選択表示２７に対応する被介護者の詳細情報が表示される。表示される詳細情報には、被介護者の基本情報、病歴、障害、感染症、生活習慣、家系図、健康診断の結果、日常生活動作（ＡＤＬ）、全身管理、処方、緊急連絡先などが含まれる。
【０１６２】
＜＜記録ボタン＞＞
図４に示す介護サービス情報一括入力画面２０において、上述した症状入力ボタン２３Ｂの隣には、記録ボタン２３Ｃが配置されている。図１８は、記録ボタン２３Ｃが選択された状態を示す。記録ボタン２３Ｃが選択されると、介護サービス情報一括入力画面２０が暗転して操作できない状態となり、暗転した介護サービス情報一括入力画面２０の上に「週間サービス計画表」、「業務日誌」、「報告書一覧」、「測定一覧」、「サービス実施表」、「個別登録」、「リハビリ記録」の各画面４０〜１００へ遷移するためのリンクボタン２６１〜２６７が表示される。
【０１６３】
＜＜週間サービス計画表入力画面＞＞
図１８に示す「週間サービス計画表」のリンクボタン２６１を選択すると、図１９に示す週間サービス計画表入力画面４０が表示される。週間サービス計画表入力画面４０は、個々の被介護者のケアプラン（介護サービス計画書）を作成するためのものである。週間サービス計画表入力画面４０への入力は、例えば、ケアマネージャー（介護支援専門員）が行う。ケアマネージャーは、被介護者やその家族等と面談し、必要な介護サービスを分析したうえで、一週間単位のケアプランを週間サービス計画表入力画面４０に入力する。週間サービス計画表入力画面４０に入力したケアプランは、サーバのデータベースに保存することにより、全てのユーザーの介護記録プログラム１２に反映され、共有される。
【０１６４】
図１９に示す週間サービス計画表入力画面４０の構成について説明する。週間サービス計画表入力画面４０の最も上には、上述したリンクボタン２６１〜２６７が配置される。「週間サービス計画表」のリンクボタン２６１は、他のリンクボタン２６２〜２６７と異なる色で表示され、現在、選択された状態であることを示している。図１９に示す状態において、他のリンクボタン２６２〜２６７のいずれかを選択すると、「業務日誌」、「報告書一覧」、「測定一覧」、「サービス実施表」、「個別登録」、「リハビリ記録」のいずれかの画面５０〜１００に遷移する。なお、図４に示す介護サービス情報一括入力画面２０に戻る場合は、リンクボタン２６７の隣に配置された遷移ボタン４１Ｄを選択する。
【０１６５】
リンクボタン２６１〜２６７の下には、フロア表示４１Ａ、日付表示４１Ｂ、担当者表示４１Ｃが横方向に配置される。これらの表示４１Ａ〜４１Ｃのさらに下には、複数の被介護者情報表示４２が横方向に配置される。
【０１６６】
フロア表示４１Ａは、その横に設けられたボタンを選択することにより、複数のフロア番号を含むドロップダウンリストを展開する。このドロップダウンリスト中の複数のフロア番号のうちから１つを選択すると、選択したフロアに入居する複数の被介護者の部屋番号及び氏名が被介護者情報表示４２として表示される。被介護者情報表示４２は、被介護者の部屋番号及び氏名の他に、この被介護者情報表示４２が選択されたことを示す円形のインジケータを含む。
【０１６７】
週間サービス計画表入力画面４０にケアプランを入力する際には、フロア表示４１Ａによって所定のフロア番号を選択した後、いずれかの被介護者情報表示４２を選択する。これにより、週間サービス計画表入力画面４０は、選択した被介護者情報表示４２についてのケアプランを入力することが可能な状態となる。
【０１６８】
複数の被介護者情報表示４２の下には、「月曜日」〜「日曜日」の曜日表示４３が横方向に配置される。また、曜日表示４３の一端側の下には、２４時間分の時間表示４４が縦方向に配置される。そして、曜日表示４３と時間表示４４との両方に隣接する箇所は、時間枠表示領域４５となっている。時間枠表示領域４５には、前半枠４５ａと後半枠４５ｂとのペアが行列配置される。各ペア４５ａ、４５ｂは、いずれか一の曜日表示４３及びいずれか一の時間表示４４の両方に対応する。前半枠４５ａは、一の時間表示４４の前半３０分に相当し、後半枠４５ｂは、一の時間表示４４の後半３０分に相当する。これらの前半枠４５ａ及び後半枠４５ｂには、一週間単位のケアプランを構成する介護サービスの名称が入力される。
【０１６９】
複数の被介護者情報表示４２の他端側の下には、サービス内容ボタン４６Ａが縦方向に配置される。サービス内容ボタン４６Ａは、時間枠表示領域４５の前半枠４５ａ及び後半枠４５ｂに、介護サービスの名称を入力するための複数のボタンの集合である。本実施形態のサービス内容ボタン４６Ａには、「排泄介助」、「更衣介助」、「口腔清潔介助」、「水分補給介助」、「起床」、「入浴」、「レクリエーション」、「安否確認」、「朝食」、「昼食」、「夕食」、「定期薬」の各ボタンが含まれる。
【０１７０】
いずれかのサービス内容ボタン４６Ａを選択した後、一又は複数の前半枠４５ａ、後半枠４５ｂを選択する。これにより、選択した前半枠４５ａ、後半枠４５ｂに、サービス内容ボタン４６Ａに表示された介護サービスの名称が入力される。このように、サービス内容ボタン４６Ａを用いて、所定の曜日表示４３及び所定の時間表示４４に対応する前半枠４５ａ又は後半枠４５ｂに介護サービスの名称を入力し、所定の被介護者のためのケアプランを作成する。
【０１７１】
サービス内容ボタン４６Ａの下には、処理ボタン４６Ｂが縦方向に配置される。本実施形態の処理ボタン４６Ｂには、「コピー」、「削除」、「呼出し」、「印刷」の各ボタンが含まれる。
【０１７２】
「コピー」の処理ボタン４６Ｂは、前半枠４５ａ及び後半枠４５ｂに入力した介護サービスの名称を、異なる曜日間、又は異なる被介護者間でコピーするためのものである。例えば、「月曜日」の曜日表示４３に対応する前半枠４５ａ及び後半枠４５ｂをコピー元に選択し、「火曜日」の曜日表示４３に対応する前半枠４５ａ及び後半枠４５ｂをコピー先に選択し、コピーを実行する。これにより、「月曜日」の曜日表示４３に対応する前半枠４５ａ及び後半枠４５ｂに入力した介護サービスの名称（すなわち、月曜日のケアプランの内容）が、「火曜日」の曜日表示４３に対応する前半枠４５ａ及び後半枠４５ｂにコピーされる。
【０１７３】
また例えば、「２０１号」の被介護者情報表示４２をコピー元に選択し、「２０２号」の被介護者情報表示４２をコピー先に選択し、コピーを実行する。これにより、「２０１号」の被介護者情報表示４２について入力済の一週間のケアプランの内容が、「２０２号」の被介護者情報表示４２の一週間の前半枠４５ａ及び後半枠４５ｂにコピーされる。
【０１７４】
「削除」の処理ボタン４６Ｂは、前半枠４５ａ及び後半枠４５ｂに入力した介護サービスの名称を削除するために用いられる。「削除」は、前半枠４５ａ又は後半枠４５ｂの一単位で実行することができる。また、一又は複数の時間表示４４を選択することにより、この時間表示４４に対応する横の行の前半枠４５ａ及び後半枠４５ｂに入力した介護サービスの名称を全て削除することも可能である。
【０１７５】
「呼出し」の処理ボタン４６Ｂは、一の被介護者情報表示４２について入力済の一週間のケアプランの内容を呼び出し、他の被介護者情報表示４２の一週間のケアプランの内容に反映させるために用いられる。例えば、「２０２号」の被介護者情報表示４２を選択した状態において、「２０１号」の被介護者情報表示４２について入力済の一週間のケアプランの内容を呼び出し、「２０２号」の被介護者情報表示４２の一週間のケアプランの内容に反映させる。
【０１７６】
「印刷」の処理ボタン４６Ｂは、週間サービス計画表入力画面４０の現在の表示内容をプリントアウトするために用いられる。
【０１７７】
「印刷」の処理ボタン４６Ｂの下には、クリアボタン４７Ａ及び保存ボタン４７Ｂが横方向に並んで配置される。クリアボタン４７Ａは、週間サービス計画表入力画面４０に入力した事項を全て削除するために用いられる。また、保存ボタン４７Ｂは、週間サービス計画表入力画面４０の現状を保存するために用いられる。保存ボタン４７Ｂを選択すると、コンピュータがオンライン状態となり、インターネットに接続されたサーバにケアプランのデータが送信される。送信されたデータは、サーバのデータベースに保存され、全てのユーザーの介護記録プログラム１２に反映される。
【０１７８】
その他、時間枠表示領域４５の下には、「週単位以外のサービス」を入力するためのフリー入力欄４８Ａが配置される。また、時間枠表示領域４５と各ボタン４６Ａ、４６Ｂとの間には、「主な日常生活上の活動」を入力するためのフリー入力欄４８Ｂが配置される。これらのフリー入力欄４８Ａ、４８Ｂには、任意のテキスト情報を入力することが可能である。
【０１７９】
＜＜業務日誌表示画面＞＞
図１８又は図１９に示す「業務日誌」のリンクボタン２６２を選択すると、図２０に示す業務日誌表示画面５０が表示される。業務日誌表示画面５０は、被介護者ごとの業務日誌を作成するためのものである。業務日誌には、被介護者に提供されたサービスの内容、被介護者の状態、特に、状態異常や事故報告など、担当者から他者へ報告すべき重要な事項が選別して記載される。業務日誌は、例えば、日勤者から夜勤者への申し送り、夜勤者から日勤者への申し送り、又は介護者から看護師又は医者への報告などに用いられる。
【０１８０】
図２０に示す業務日誌表示画面５０の構成について説明する。業務日誌表示画面５０の最も上には、上述したリンクボタン２６１〜２６７が配置される。「業務日誌」のリンクボタン２６２は、他のリンクボタン２６１、２６３〜２６７と異なる色で表示され、現在、選択された状態であることを示している。
【０１８１】
リンクボタン２６１〜２６７の下には、施設棟表示５１Ａ、フロア表示５１Ｂ、日付表示５１Ｃが横方向に配置される。これらの表示５１Ａ〜５１Ｃのさらに下には、複数の部屋番号表示５２、被介護者情報表示５３、時間表示５４、支援内容表示５５、記入者表示５６が行列配置される。記入者表示５６の横には、スクロールバー５７が配置される。さらに、業務日誌表示画面５０の最も下の中央には、作成ボタン５８が配置される。
【０１８２】
ユーザーが担当するいずれかの被介護者についての業務日誌を作成する場合には、施設棟表示５１Ａ、フロア表示５１Ｂ、日付表示５１Ｃをそれぞれ選択する。
【０１８３】
施設棟表示５１Ａは、その横に設けられたボタンを選択することにより、複数の施設棟名を含むドロップダウンリストを展開する。このドロップダウンリスト中の複数の施設棟名のうちから１つを選択する。例えば、図２０では「東棟」が選択されている。
【０１８４】
フロア表示５１Ｂは、複数のフロア番号を含むドロップダウンリストを展開する。このドロップダウンリスト中の複数のフロア番号のうちから１つを選択する。例えば、図２０では「２Ｆ」が選択されている。
【０１８５】
日付表示５１Ｃは、その横に設けられたボタンを選択することにより、複数の年月日を含むドロップダウンリストを展開する。このドロップダウンリスト中の複数の年月日のうちから１つを選択する。業務日誌表示画面５０には、選択された年月日に入力された情報が表示される。例えば、図２０では「２０１８年２月１０日（土）」が選択されており、その年月日に入力された情報が表示される。
【０１８６】
施設棟表示５１Ａ、フロア表示５１Ｂ、日付表示５１Ｃがそれぞれ選択されると、ユーザーが担当した部屋番号、被介護者の氏名、介護サービスを提供した時間、提供した介護サービスの内容に関する情報がそれぞれ特定され、これらの情報が、部屋番号表示５２、被介護者情報表示５３、時間表示５４、支援内容表示５５に表示される。記入者表示５６には、支援内容表示５５に表示される情報を入力した担当者の氏名が表示される。
【０１８７】
ここで、図２０に示す部屋番号表示５２、被介護者情報表示５３、時間表示５４、記入者表示５６に表示される情報は、いずれも図４に示す介護サービス情報一括入力画面２０で保存された情報が反映されたものである。
【０１８８】
すなわち、図２０に示す部屋番号表示５２及び被介護者情報表示５３に表示される情報は、図４において選択されたいずれかの選択表示２７に対応する被介護者情報表示２５Ａの情報である。図２０に示す時間表示５４に表示される情報は、図４において選択されたいずれかの選択表示２７に対応する時間表示２６の情報である。図２０に示す記入者表示５６に表示される情報は、図４に示す担当者表示２４Ｃの情報である。
【０１８９】
また、図２０に示す支援内容表示５５に表示される情報は、図４に示す介護サービス情報一括入力画面２０で保存された情報に加えて、後述する個別登録画面９０（図２４〜図３０を参照）で保存された情報が反映されたものである。
【０１９０】
すなわち、図２０に示す支援内容表示５５に表示される情報は、図４に示す第１〜第３入力操作表示２１Ａ〜２１Ｃを用いて入力された介護サービス情報、及び図２４〜図３０に示される「排泄」、「食事」、「服薬」、「入浴」、「介護サービス」、「症状」、「バイタル」の各入力画面で入力された介護サービス情報である。
【０１９１】
部屋番号表示５２、被介護者情報表示５３、時間表示５４、支援内容表示５５、記入者表示５６は、行列配置を維持したままで全体を縦方向にスクロールさせることが可能である。縦の列を構成する全ての被介護者情報表示５３には、チェックボックス５３ａがそれぞれ設けられている。
【０１９２】
ユーザーは、行列配置された部屋番号表示５２、被介護者情報表示５３、時間表示５４、支援内容表示５５、記入者表示５６を縦方向にスクロールさせ、各支援内容表示５５に表示される情報を確認する。業務日誌に記載すべき内容の支援内容表示５５があれば、この支援内容表示５５に対応する被介護者情報表示５３のチェックボックス５３ａを選択してチェックマークを表示させる。ユーザーは、業務日誌に記載すべき全ての情報を選択した後、作成ボタン５８を選択する。これにより、ユーザーが選択した情報だけが記載された業務日誌が作成される。業務日誌は、例えば、汎用の表計算ソフトの形式で作成され、出力される。
【０１９３】
＜＜報告書一覧表示画面＞＞
図１８〜図２０に示す「報告書一覧」のリンクボタン２６３を選択すると、図２１に示す報告書一覧表示画面６０が表示される。報告書一覧表示画面６０は、被介護者ごとの報告書を作成し、作成した報告書を削除、閲覧又はアップロードするためのものである。報告書一覧表示画面６０によって作成される報告書には、例えば、「事故」、「状況」、「ヒヤリハット」、「苦情」、「トラブル」、「ミス」やその他の事項が記載される。
【０１９４】
図２１に示す報告書一覧表示画面６０の構成について説明する。報告書一覧表示画面６０の最も上には、上述したリンクボタン２６１〜２６７が配置される。「報告書一覧」のリンクボタン２６３は、他のリンクボタン２６１、２６２、２６４〜２６７と異なる色で表示され、現在、選択された状態であることを示している。
【０１９５】
リンクボタン２６１〜２６７の下、図２１の左側の約１／３のスペースには、施設棟表示６１Ａ、フロア表示６１Ｂ、複数の被介護者情報表示６１Ｃ、スクロールバー６１Ｄが一纏まりに配置される。施設棟表示６１Ａ及びフロア表示６１Ｂが横並びに配置され、その下に複数の被介護者情報表示６１Ｃが縦方向に配置される。
【０１９６】
施設棟表示６１Ａは、その横に設けられたボタンを選択することにより、複数の施設棟名を含むドロップダウンリストを展開する。このドロップダウンリスト中の複数の施設棟名のうちから１つを選択する。例えば、図２１では「東棟」が選択されている。
【０１９７】
フロア表示６１Ｂは、複数のフロア番号を含むドロップダウンリストを展開する。このドロップダウンリスト中の複数のフロア番号のうちから１つを選択する。例えば、図２１では「２Ｆ」が選択されている。
【０１９８】
施設棟表示６１Ａ及びフロア表示６１Ｂがそれぞれ選択されると、選択された施設棟及びフロアの各部屋番号とそこに入居する被介護者の氏名とが、複数の被介護者情報表示６１Ｃのそれぞれに個別に表示される。複数の被介護者情報表示６１Ｃの横には、スクロールバー６１Ｄが配置される。ユーザーは、複数の被介護者情報表示６１Ｃを縦方向にスクロールさせ、報告書の作成等の対象となるいずれか一の被介護者情報表示６１Ｃを選択する。各被介護者情報表示６１Ｃは、それぞれ円形のインジケータを備えており、選択された一の被介護者情報表示６１Ｃのインジケータに丸印が表示される。
【０１９９】
リンクボタン２６１〜２６７の下、図２１の右側の約２／３のスペースには、「個別報告一覧表」が表示される。「個別報告一覧表」は、第１及び第２日付表示６２Ａ、６２Ｂ、ファイル表示ウィンドウ６３、ファイル選択ボタン６４Ａ、ファイルパス表示窓６４Ｂ、作成ボタン６５、削除ボタン６６、閲覧ボタン６７、アップロードボタン６８によって構成される。
【０２００】
「個別報告一覧表」のタイトル表示の下には、第１及び第２日付表示６２Ａ、６２Ｂが配置される。第１及び第２日付表示６２Ａ、６２Ｂは、報告書のデータファイルが作成又は更新された期間を指定するためのものである。第１日付表示６２Ａには、指定する期間の始めとなる年月日が入力される。第２日付表示６２Ｂには、指定する期間の終わりとなる年月日が入力される。第１及び第２日付表示６２Ａ、６２Ｂのそれぞれの横に設けられたボタンを選択することにより、カレンダー表示６２Ｃが展開される。ユーザーは、任意の年月のカレンダー表示６２Ｃから任意の日を選択することにより、第１及び第２日付表示６２Ａ、６２Ｂのそれぞれに任意の年月日を入力することができる。なお、第１及び第２日付表示６２Ａ、６２Ｂのそれぞれに同じ年月日を入力することにより、特定の１日を指定することも可能である。
【０２０１】
第１及び第２日付表示６２Ａ、６２Ｂの下には、ファイル表示ウィンドウ６３が配置される。第１及び第２日付表示６２Ａ、６２Ｂにより任意の期間を指定すると、その期間に作成又は更新された報告書の「ファイル名」と「更新日時」とがファイル表示ウィンドウ６３に表示される。なお、「更新日時」には、報告書のデータファイルが最初に作成された日時も含まれる。ここで、ファイル表示ウィンドウ６３に表示されるのは、既にサーバにアップロードされた報告書のデータファイルである。ユーザーは、ファイル表示ウィンドウ６３に表示されるいずれかの報告書のデータファイルを選択し、後述する削除又は閲覧のいずれかの処理をすることが可能である。
【０２０２】
ファイル表示ウィンドウ６３の下には、ファイル選択ボタン６４Ａとファイルパス表示窓６４Ｂとが横並びに配置される。ここで、ユーザーが作成した報告書のデータファイルは、介護記録プログラム１２をインストールしたコンピュータに保存される。ファイル選択ボタン６４Ａを選択すると、報告書のデータファイルが保存された所定のフォルダーが開かれる。ユーザーがいずれかのデータファイルを選択すると、選択されたデータファイルの場所を示すパス（path）がファイルパス表示窓６４Ｂに表示される。ファイルパス表示窓６４Ｂに表示された報告書のデータファイルは、サーバにアップロードすることができる。
【０２０３】
ファイル選択ボタン６４Ａ及びファイルパス表示窓６４Ｂの下には、作成ボタン６５、削除ボタン６６、閲覧ボタン６７、アップロードボタン６８が横並びに配置される。
【０２０４】
作成ボタン６５は、新たな報告書を作成する場合に用いられる。ユーザーが作成ボタン６５を選択すると、サーバから当該コンピュータに報告書のテンプレートのデータがダウンロードされる。報告書のテンプレートは、例えば、汎用の表計算ソフトの形式で作成される。ユーザーは、報告書のテンプレートをベースにして、選択したいずれか一の被介護者情報表示６１Ｃに対応する被介護者の報告書を作成する。作成した報告書のデータファイルは、汎用の表計算ソフトの保存機能により、介護記録プログラム１２をインストールしたコンピュータの所定のフォルダーに保存される。
【０２０５】
削除ボタン６６は、サーバにアップロードされた報告書のデータファイルを削除する場合に用いられる。ユーザーは、ファイル表示ウィンドウ６３に表示されるいずれかの報告書のデータファイルを選択した後に、削除ボタン６６を選択する。すると、選択された報告書のデータファイルがサーバから削除される。
【０２０６】
閲覧ボタン６７は、サーバにアップロードされた報告書のデータファイルを閲覧する場合に用いられる。ユーザーは、ファイル表示ウィンドウ６３に表示されるいずれかの報告書のデータファイルを選択した後に、閲覧ボタン６７を選択する。すると、選択された報告書のデータファイルがサーバから当該コンピュータの所定のフォルダーにダウンロードされ、閲覧可能となる。
【０２０７】
アップロードボタン６８は、当該コンピュータの所定のフォルダーに保存された報告書のデータファイルをサーバにアップロードするために用いられる。上述したように、ファイル選択ボタン６４Ａを選択すると、報告書のデータファイルが保存された所定のフォルダーが開かれる。ユーザーがいずれかのデータファイルを選択すると、選択されたデータファイルの場所を示すパス（path）がファイルパス表示窓６４Ｂに表示される。この状態において、ユーザーがアップロードボタン６８を選択すると、ファイルパス表示窓６４Ｂに表示された報告書のデータファイルがサーバにアップロードされる。サーバにアップロードされた報告書のデータファイルは、全てのユーザーの介護記録プログラム１２で閲覧可能となる。
【０２０８】
＜＜測定値一覧表示画面＞＞
図１８〜図２１に示す「測定一覧」のリンクボタン２６４を選択すると、図２２に示す測定値一覧表示画面７０が表示される。測定値一覧表示画面７０は、介護施設に入居する全ての被介護者のバイタルサインの測定値一覧を表示するためのものである。測定値一覧表示画面７０によって表示されるバイタルサインの測定値には、例えば、「体温」、「最高血圧」、「最低血圧」、「脈圧」、「脈拍数」、「ＳｐＯ２」、「呼吸回数」、「体重」、「血糖値」、「意識レベル」が含まれる。
【０２０９】
図２２に示す測定値一覧表示画面７０の構成について説明する。測定値一覧表示画面７０の最も上には、上述したリンクボタン２６１〜２６７が配置される。「測定値一覧」のリンクボタン２６４は、他のリンクボタン２６１〜２６３、２６５〜２６７と異なる色で表示され、現在、選択された状態であることを示している。
【０２１０】
リンクボタン２６１〜２６７の下には、施設棟表示７１Ａ、フロア表示７１Ｂ、日付表示７１Ｃ、担当者表示７１Ｄ、印刷ボタン７１Ｅが横方向に配置される。これらの表示７１Ａ〜７１Ｅのさらに下には、複数の部屋番号表示７２、被介護者情報表示７３、バイタルサインの測定値表示７４Ａ〜７４Ｊが行列配置される。この測定値表示には、例えば、体温表示７４Ａ、最高血圧表示７４Ｂ、最低血圧表示７４Ｃ、脈圧表示７４Ｄ、脈拍数表示７４Ｅ、ＳｐＯ２表示７４Ｆ、呼吸回数表示７４Ｇ、体重表示７４Ｈ、血糖値表示７４Ｉ、意識レベル表示７４Ｊが含まれる。意識レベル表示７４Ｊの横には、スクロールバー７５が配置される。
【０２１１】
施設棟表示７１Ａは、その横に設けられたボタンを選択することにより、複数の施設棟名を含むドロップダウンリストを展開する。このドロップダウンリスト中の複数の施設棟名のうちから１つを選択する。例えば、図２２では「東棟」が選択されている。
【０２１２】
フロア表示７１Ｂは、複数のフロア番号を含むドロップダウンリストを展開する。このドロップダウンリスト中の複数のフロア番号のうちから１つを選択する。例えば、図２２では「２Ｆ」が選択されている。
【０２１３】
日付表示７１Ｃは、その横に設けられたボタンを選択することにより、複数の年月日を含むドロップダウンリストを展開する。このドロップダウンリスト中の複数の年月日のうちから１つを選択する。測定値一覧表示画面７０には、選択された年月日に測定された情報が表示される。例えば、図２２では「２０１８年２月１０日（土）」が選択されており、その年月日に測定された情報が表示される。
【０２１４】
施設棟表示７１Ａ、フロア表示７１Ｂ、日付表示７１Ｃがそれぞれ選択されると、ユーザーが担当した部屋番号、被介護者の氏名、バイタルサインの測定値に関する情報がそれぞれ特定され、これらの情報が、部屋番号表示７２、被介護者情報表示７３、バイタルサインの測定値表示７４Ａ〜７４Ｊに表示される。担当者表示７１Ｄには、担当者であるユーザーの氏名が表示される。
【０２１５】
ここで、図２２に示す部屋番号表示７２、被介護者情報表示７３、バイタルサインの測定値表示７４Ａ〜７４Ｊに表示される情報のソースは、次の２通りある。第１ソースとして、後述する個別登録画面９０（図２４〜図３０を参照）のうちの図３０に示される「バイタル」の入力画面で保存された情報が、バイタルサインの測定値表示７４Ａ〜７４Ｊに反映される。第２ソースとして、図１（ａ）に示されるバイタル入力プログラム１１で保存された情報が、バイタルサインの測定値表示７４Ａ〜７４Ｊに反映される。
【０２１６】
すなわち、図２２に示すバイタルサインの測定値表示７４Ａ〜７４Ｊに表示される情報は、図３０に示される「バイタル」の入力画面で入力された「体温」、「呼吸回数」、「ＳｐＯ２」、「体重」、「血圧（上）」、「血圧（下）」、「脈拍数」、「血糖値」、「意識レベル」の測定値に基づくものである。図２２中の脈圧表示７４Ｄには、図３０に示される「血圧（上）」の測定値から「血圧（下）」の測定値を減算した値が表示される。一方、図示しないが、図１（ａ）に示されるバイタル入力プログラム１１も、図３０に示されるものと同様の「バイタル」の入力画面を表示させる機能を備える。
【０２１７】
意識レベル表示７４Ｊを除く、バイタルサインの測定値表示７４Ａ〜７４Ｉには、正常な値が「黒」、警告すべき値が「赤」、注意すべき値が「黄」の数字で表示される。意識レベル表示７４Ｊには、「正常」の文字、又は異常を表す「I-1」、「I-3」、「II-10」といった分類番号が表示される。異常を表す分類番号は、多数設けられており、各分類番号に対応して異常の状態が定義されている。したがって、ユーザーは、意識レベル表示７４Ｊに表示された分類番号に基づいて、意識レベルの異常の状態を具体的に特定することができる。
【０２１８】
ユーザーは、部屋番号表示７２、被介護者情報表示７３、バイタルサインの測定値表示７４Ａ〜７４Ｊを縦方向にスクロールさせ、複数の被介護者のバイタルサインの測定値を閲覧することが可能である。そして、ユーザーは、印刷ボタン７１Ｅを選択することにより、部屋番号表示７２、被介護者情報表示７３、バイタルサインの測定値表示７４Ａ〜７４Ｊが行列配置された一覧表が、汎用の表計算ソフトの形式で出力され、印刷される。
【０２１９】
＜＜サービス実施表表示画面＞＞
図１８〜図２２に示す「サービス実施表」のリンクボタン２６５を選択すると、図２３に示すサービス実施表表示画面８０が表示される。サービス実施表表示画面８０は、一の被介護者に対して１ヶ月以内に実施された介護サービスの一覧表を出力させ、ユーザーに閲覧可能とする。
【０２２０】
図２３に示すサービス実施表表示画面８０の構成について説明する。サービス実施表表示画面８０の最も上には、上述したリンクボタン２６１〜２６７が配置される。「サービス実施表」のリンクボタン２６５は、他のリンクボタン２６１〜２６４、２６６、２６７と異なる色で表示され、現在、選択された状態であることを示している。
【０２２１】
リンクボタン２６１〜２６７の下、図２３の左側の約１／３のスペースには、施設棟表示８１Ａ、フロア表示８１Ｂ、複数の被介護者情報表示８１Ｃ、スクロールバー８１Ｄが一纏まりに配置される。施設棟表示８１Ａ及びフロア表示８１Ｂが横並びに配置され、その下に複数の被介護者情報表示８１Ｃが縦方向に配置される。
【０２２２】
施設棟表示８１Ａは、その横に設けられたボタンを選択することにより、複数の施設棟名を含むドロップダウンリストを展開する。このドロップダウンリスト中の複数の施設棟名のうちから１つを選択する。例えば、図２３では「東棟」が選択されている。
【０２２３】
フロア表示８１Ｂは、複数のフロア番号を含むドロップダウンリストを展開する。このドロップダウンリスト中の複数のフロア番号のうちから１つを選択する。例えば、図２３では「２Ｆ」が選択されている。
【０２２４】
施設棟表示８１Ａ及びフロア表示８１Ｂがそれぞれ選択されると、選択された施設棟及びフロアの各部屋番号とそこに入居する被介護者の氏名とが、複数の被介護者情報表示８１Ｃのそれぞれに個別に表示される。複数の被介護者情報表示８１Ｃの横には、スクロールバー８１Ｄが配置される。ユーザーは、複数の被介護者情報表示８１Ｃを縦方向にスクロールさせ、サービス実施表の作成等の対象となるいずれか一の被介護者情報表示８１Ｃを選択する。各被介護者情報表示８１Ｃは、それぞれ円形のインジケータを備えており、選択された一の被介護者情報表示８１Ｃのインジケータに丸印が表示される。
【０２２５】
リンクボタン２６１〜２６７の下、図２３の右側の約２／３のスペースには、「サービス実施一覧表」の入力画面が表示される。「サービス実施一覧表」の入力画面には、日付表示８２Ａ及び閲覧ボタン８３が含まれる。
【０２２６】
日付表示８２Ａには、年月が入力される。日付表示８２Ａの横に設けられたボタンを選択することにより、カレンダー表示８２Ｂが展開される。ユーザーは、任意の年のカレンダー表示８２Ｂから任意の月を選択することにより、日付表示８２Ａに任意の年月を入力することができる。例えば、図２３の日付表示８２Ａには「２０１８年２月」が入力されている。
【０２２７】
日付表示８２Ａに任意の年月を入力した後、閲覧ボタン８３を選択すると、図示しないサービス実施一覧表が出力される。このサービス実施一覧表は、一の被介護者に対して１ヶ月以内に実施された介護サービスの一覧表であり、例えば、汎用の表計算ソフトの形式で出力される。サービス実施一覧表は、例えば、図４に示す第１〜第３入力操作表示２１Ａ〜２１Ｃを用いて入力された介護サービス情報に基づいて作成される。
【０２２８】
＜＜個別登録画面＞＞
図２４〜図３０は、いずれも介護サービス情報の個別登録画面９０を示す。個別登録画面９０は、一の被介護者ごとに「排泄」、「食事」、「服薬」、「入浴」、「介護サービス」、「症状」、「バイタル」の介護サービス情報を個別に入力するためのものである。
【０２２９】
＜＜＜各個別登録画面に共通する構成＞＞＞
まず、図２４〜図３０に示す各個別登録画面９０に共通する構成について、図２４を参照しつつ説明する。
【０２３０】
図１８〜図２３に示す「個別登録」のリンクボタン２６６を選択すると、図２４に示す「排泄」の個別登録画面９０が表示される。図２４に示す「個別登録」のリンクボタン２６６は、他のリンクボタン２６１〜２６５、２６７（これらの符号は、図１８〜図２３を参照）と異なる色で表示され、現在、選択された状態であることを示している。
【０２３１】
これらリンクボタン２６１〜２６７の下、図２４の右側の約２／３のスペースには、「排泄」、「食事」、「服薬」、「入浴」、「介護サービス」、「症状」、「バイタル」の各個別入力画面９０へ遷移するための更なるリンクボタン２８１〜２８７が表示される。これらリンクボタン２８１〜２８７の下のスペースに「排泄」、「食事」、「服薬」、「入浴」、「介護サービス」、「症状」又は「バイタル」のいずれかの情報を個別入力するための専用画像が表示される（図２４〜図３０を参照）。
【０２３２】
リンクボタン２６１〜２６７の下、図２４の左側の約１／３のスペースには、担当者表示９０Ａ、日付表示９０Ｂ、施設棟表示９０Ｃ、フロア表示９０Ｄ、被介護者情報表示９０Ｅ、スクロールバー９０Ｆが一纏まりに配置される。
【０２３３】
担当者表示９０Ａには、担当者であるユーザーの氏名が表示される。日付表示９０Ｂは、その横に設けられたボタンを選択することにより、カレンダー表示（例えば、図２１のカレンダー表示６２Ｃを参照）が展開される。ユーザーは、任意の年月のカレンダー表示から任意の日を選択することにより、日付表示９０Ｂに任意の年月日を入力することができる。ここで、各個別入力画面９０の日付表示９０Ｂには、「時」と「分」の時間表示が含まれる。各個別入力画面９０によって個別入力した情報は、この時間表示に表示された時刻と関連付けて保存される。
【０２３４】
施設棟表示９０Ｃは、その横に設けられたボタンを選択することにより、複数の施設棟名を含むドロップダウンリストを展開する。このドロップダウンリスト中の複数の施設棟名のうちから１つを選択する。例えば、図２４では「東棟」が選択されている。
【０２３５】
フロア表示９０Ｄは、複数のフロア番号を含むドロップダウンリストを展開する。このドロップダウンリスト中の複数のフロア番号のうちから１つを選択する。例えば、図２４では「２Ｆ」が選択されている。
【０２３６】
施設棟表示９０Ｃ及びフロア表示９０Ｄがそれぞれ選択されると、選択された施設棟及びフロアの各部屋番号とそこに入居する被介護者の氏名とが、複数の被介護者情報表示９０Ｅのそれぞれに個別に表示される。複数の被介護者情報表示９０Ｅの横には、スクロールバー９０Ｆが配置される。ユーザーは、複数の被介護者情報表示９０Ｅを縦方向にスクロールさせ、情報入力の対象となるいずれか一の被介護者情報表示９０Ｅを選択する。各被介護者情報表示９０Ｅは、それぞれ円形のインジケータを備えており、選択された一の被介護者情報表示９０Ｅのインジケータに丸印が表示される。
【０２３７】
個別登録画面９０の最も下の中央には、クリアボタン９０Ｇ、保存ボタン９０Ｈが横並びに配置される。個別登録画面９０に入力した情報を全て削除するために用いられる。また、保存ボタン９０Ｈは、個別登録画面９０に入力した情報を保存するために用いられる。保存ボタン９０Ｈを選択すると、コンピュータがオンライン状態となり、インターネットに接続されたサーバに入力した情報のデータが送信される。送信されたデータは、サーバのデータベースに保存され、全てのユーザーの介護記録プログラム１２に反映される。
【０２３８】
以上が、図２４〜図３０に示す各個別登録画面９０に共通する構成についての説明である。以下、「排泄」、「食事」、「服薬」、「入浴」、「介護サービス」、「症状」、「バイタル」の各個別登録画面９０に特有の構成について説明する。
【０２３９】
＜＜＜排泄の個別登録画面＞＞＞
既に述べたとおり、図１８〜図２３に示す「個別登録」のリンクボタン２６６を選択すると、図２４に示す「排泄」の個別登録画面９０が表示される。また、図２５〜図３０に示す「排泄」のリンクボタン２８１を選択すると、図２４に示す「排泄」の個別登録画面９０が表示される。「排泄」の個別登録画面９０は、一の被介護者の排泄に関する情報を個別に登録するために用いられる。
【０２４０】
図２４に示す「排泄」のリンクボタン２８１は、他のリンクボタン２８２〜２８７と異なる色で表示され、現在、選択された状態であることを示している。リンクボタン２８１〜２８７の下には、排泄のタイトルバー９１が配置される。タイトルバー９１中の左側には、「排泄」の文字と、「排泄」を直感させる図柄とが表示される。一方、タイトルバー９１中の右側には、被介護者の氏名と、詳細情報表示ボタン９１Ａとが表示される。
【０２４１】
複数の被介護者情報表示９０Ｅのいずれか１つを選択すると、選択された一の被介護者の氏名がタイトルバー９１に表示される。詳細情報表示ボタン９１Ａは、既に述べた図１７の被介護者詳細表示ボタン３３Ｂと同じである。詳細情報表示ボタン９１Ａを選択すると、あらかじめ登録された被介護者の基本情報、病歴、障害、感染症、生活習慣、家系図、健康診断の結果、日常生活動作（ＡＤＬ）、全身管理、処方、緊急連絡先などの詳細情報が表示される。
【０２４２】
タイトルバー９１の下には、陰部洗浄チェックボックス９１Ｂ及び排泄場所入力表示９１Ｃが横並びに配置される。被介護者の陰部洗浄を行った場合は、陰部洗浄チェックボックス９１Ｂを選択する。すると、陰部洗浄チェックボックス９１Ｂにチェックマークが表示される。排泄場所入力表示９１Ｃを選択すると、複数の排泄場所の名称を含むドロップダウンリスト（図示せず）が表示される。ユーザーは、このドロップダウンリスト中から被介護者の排泄場所を選択する。
【０２４３】
陰部洗浄チェックボックス９１Ｂ及び排泄場所入力表示９１Ｃの下には、尿情報入力表示９１Ｄが配置される。尿情報入力表示９１Ｄは、尿の「量」、「尿状態」、「尿測」、「フリーコメント」に関する情報を入力するための画像を含む。
【０２４４】
尿の「量」に関する情報を入力する場合は、「少」、「中」、「多」、「なし」のいずれか１つのインジケータを選択する。尿漏れがあった場合は、「尿漏れ」のチェックボックスを選択すると、チェックマークが表示される。なお、尿の「量」の「なし」のインジケータが選択された場合は、「尿漏れ」、「尿状態」、「尿測」に関する情報は、入力不可となる。
【０２４５】
「尿状態」に関する情報を入力する場合は、「血尿」、「混濁尿」、「尿臭」、「異常なし」のいずれか１つのインジケータを選択する。被介護者の尿量を測定した場合は、「尿測」の数値入力欄に測定した尿量（ｍｌ）の数値を入力する。「フリーコメント」の入力欄には、任意のテキスト情報を入力することが可能である。
【０２４６】
尿情報入力表示９１Ｄの下には、便情報入力表示９１Ｅが配置される。便情報入力表示９１Ｅは、便の「量」、「回数」、「状態」、「フリーコメント」に関する情報を入力するための画像を含む。
【０２４７】
便の「量」に関する情報を入力する場合は、「少」、「中」、「多」、「なし」のいずれか１つのインジケータを選択する。「少」、「中」、「多」のインジケータを選択した場合は、「回数」の数値入力欄に数値を入力する。「状態」の入力欄を選択すると、例えば、硬便、軟便、水様便など、便の状態を表す複数の選択肢を含むドロップダウンリスト（図示せず）が表示される。ユーザーは、このドロップダウンリスト中から被介護者の便の状態に合致するいずれかの選択肢を選択する。なお、便の「量」の「なし」のインジケータが選択された場合は、「回数」及び「状態」に関する情報は、入力不可となる。「フリーコメント」の入力欄には、任意のテキスト情報を入力することが可能である。
【０２４８】
図２４の左側、複数の被介護者情報表示９０Ｅ及びスクロールバー９０Ｆの下には、尿道カテーテル尿量入力表示９１Ｆ及び消化器官ストーマ状態入力表示９１Ｇが縦並びに配置される。尿道カテーテル尿量入力表示９１Ｆには、被介護者が尿道カテーテルを使用している場合の導尿量（ｍｌ）の数値を入力する。一方、消化器官ストーマ状態入力表示９１Ｇには、被介護者が消化器官ストーマ（人工肛門）を使用している場合の便の状態を入力する。消化器官ストーマ状態入力表示９１Ｇの入力欄を選択すると、便の状態を表す複数の選択肢を含むドロップダウンリスト（図示せず）が表示される。ユーザーは、このドロップダウンリスト中から被介護者の便の状態に合致するいずれかの選択肢を選択する。
【０２４９】
図２４に示す「排泄」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２５０】
＜＜＜食事の個別登録画面＞＞＞
図２４、図２６〜図３０に示す「食事」のリンクボタン２８２を選択すると、図２５に示す「食事」の個別登録画面９０が表示される。「食事」の個別登録画面９０は、一の被介護者の食事に関する情報を個別に登録するために用いられる。
【０２５１】
図２５に示す「食事」のリンクボタン２８２は、他のリンクボタン２８１、２８３〜２８７と異なる色で表示され、現在、選択された状態であることを示している。リンクボタン２８１〜２８７の下には、食事のタイトルバー９２が配置される。タイトルバー９２中の左側には、「食事」の文字と、「食事」を直感させる図柄とが表示される。一方、タイトルバー９２中の右側には、被介護者の氏名と、詳細情報表示ボタン９２Ａとが表示される。
【０２５２】
複数の被介護者情報表示９０Ｅのいずれか１つを選択すると、選択された一の被介護者の氏名がタイトルバー９２に表示される。詳細情報表示ボタン９２Ａは、上述した図２４の詳細情報表示ボタン９１Ａと同じであり、あらかじめ登録された被介護者の詳細情報が表示される。
【０２５３】
タイトルバー９２の下には、食事情報入力表示９２Ｂが配置される。食事情報入力表示９２Ｂは、食事の「種別」、「食事量」、「フリーコメント」に関する情報を入力するための画像を含む。
【０２５４】
食事の「種別」に関する情報を入力する場合は、「朝」、「昼」、「夕」、「間食」のいずれか１つのインジケータを選択する。「朝」、「昼」、「夕」、「間食」の選択は、被介護者が食事をした時間に基づいて行う。例えば、食事の時間が６：００〜１０：００の間であれば「朝」を選択する。食事の時間が１１：００〜１４：００の間であれば「昼」を選択する。食事の時間が１６：００〜２０：００の間であれば「夜」を選択する。これらの時間以外で被介護者が食事をした場合は「間食」を選択する。
【０２５５】
食事の「食事量」に関する情報を入力する場合は、「主食」及び「副食」の各数値入力欄に、被介護者が食べた「主食」及び「副食」の割合を示す数値をそれぞれ入力する。「主食」及び「副食」の各数値入力欄を選択すると、図７（ｃ）、（ｄ）と同様のテンキー表示が表示される。ユーザーは、テンキー表示を操作して、「主食」及び「副食」の各数値入力欄に「１」〜「１０」の任意の数値をそれぞれ入力することが可能である。「フリーコメント」の入力欄には、任意のテキスト情報を入力することが可能である。
【０２５６】
食事情報入力表示９２Ｂの下には、水分情報入力表示９２Ｃが配置される。水分情報入力表示９２Ｃは、被介護者が摂取した「水分量」に関する情報を入力するための画像を含む。「水分量」に関する情報を入力する場合は、「少」、「中」、「多」、「なし」のいずれか１つのインジケータを選択する。「少」、「中」、「多」のインジケータを選択した場合は、「水分量」の数値入力欄に数値（ｍｌ）を入力する。
【０２５７】
水分情報入力表示９２Ｃの下には、口腔ケア入力表示９２Ｄが配置される。口腔ケア入力表示９２Ｄを選択すると、口腔ケアの種類を示す複数の選択肢を含むドロップダウンリスト（図示せず）が表示される。ユーザーは、このドロップダウンリスト中から被介護者に実施した口腔ケアの種類を選択する。
【０２５８】
図２５の左側、複数の被介護者情報表示９０Ｅ及びスクロールバー９０Ｆの下には、介助レベル入力表示９２Ｅ及び経管栄養入力表示９２Ｆが縦並びに配置される。介助レベル入力表示９２Ｅには、被介護者の食事についての介助レベルを入力する。介助レベル入力表示９２Ｅの入力欄を選択すると、例えば、「自立」、「一部介助」、「全介助」といった複数の選択肢を含むドロップダウンリスト（図示せず）が表示される。ユーザーは、このドロップダウンリスト中から被介護者に合致するいずれかの選択肢を選択する。一方、経管栄養入力表示９２Ｆには、被介護者がチューブ又はカテーテルなどを使用して水分や栄養を摂取している場合の摂取量（ｍｌ）の数値を入力する。
【０２５９】
図２５に示す「食事」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２６０】
＜＜＜服薬の個別登録画面＞＞＞
図２４、図２５、図２７〜図３０に示す「服薬」のリンクボタン２８３を選択すると、図２６に示す「服薬」の個別登録画面９０が表示される。「服薬」の個別登録画面９０は、一の被介護者の服薬に関する情報を個別に登録するために用いられる。
【０２６１】
図２６に示す「服薬」のリンクボタン２８３は、他のリンクボタン２８１、２８２、２８４〜２８７と異なる色で表示され、現在、選択された状態であることを示している。リンクボタン２８１〜２８７の下には、服薬のタイトルバー９３が配置される。タイトルバー９３中の左側には、「服薬」の文字と、「服薬」を直感させる図柄とが表示される。一方、タイトルバー９３中の右側には、被介護者の氏名と、詳細情報表示ボタン９３Ａとが表示される。
【０２６２】
複数の被介護者情報表示９０Ｅのいずれか１つを選択すると、選択された一の被介護者の氏名がタイトルバー９３に表示される。詳細情報表示ボタン９３Ａは、上述した図２４の詳細情報表示ボタン９１Ａと同じであり、あらかじめ登録された被介護者の詳細情報が表示される。
【０２６３】
タイトルバー９３の右下には、服薬担当者入力表示９３Ｂが配置される。服薬担当者入力表示９３Ｂには、被介護者の服薬を担当した者の氏名を入力する。服薬担当者入力表示９３Ｂの入力欄の横に設けられたボタンを選択すると、複数の担当者氏名を含むドロップダウンリスト（図示せず）が表示される。ユーザーは、このドロップダウンリスト中から被介護者の服薬を担当した者の氏名を選択する。
【０２６４】
服薬担当者入力表示９３Ｂの下には、定期薬情報入力表示９３Ｃが配置される。定期薬情報入力表示９３Ｃは、「定期薬」の見出しの横に配置されたインジケータを選択することにより、情報の入力が可能となる。
【０２６５】
定期薬情報入力表示９３Ｃには、被介護者が定期薬を服用した時間を入力する。定期薬の服用時間として「起床時」、「朝（前）」、「朝（後）」、「昼（前）」、「昼（後）」、「夕（前）」、「夕（後）」、「時間指定」のいずれか１つのインジケータを選択する。例えば、服用時期が５：００〜７：００の間であれば「起床時」を選択する。服用時間が７：００〜９：００の間であれば「朝（前）」を選択する。服用時間が９：００〜１１：００の間であれば「朝（後）」を選択する。服用時間が１１：００〜１２：００の間であれば「昼（前）」を選択する。服用時間が１２：００〜１３：００の間であれば「昼（後）」を選択する。服用時間が１６：００〜１８：００の間であれば「夕（前）」を選択する。服用時間が１８：００〜２０：００の間であれば「夕（後）」を選択する。これらの時間以外で被介護者が定期薬を服用した場合は「時間指定」を選択する。「時間指定」のインジケータを選択した場合は、図２６中の鎖線で囲まれた時分入力表示が、定期薬情報入力表示９３Ｃの枠内に表示される。この時分入力表示を用いて、被介護者が定期薬を服用した時分を入力する。
【０２６６】
定期薬情報入力表示９３Ｃの下には、頓服薬情報入力表示９３Ｄが配置される。頓服薬情報入力表示９３Ｄは、「頓服薬」の見出しの横に配置されたインジケータを選択することにより、情報の入力が可能となる。
【０２６７】
頓服薬情報入力表示９３Ｄは、定期薬情報入力表示９３Ｃと同様の服用時間を入力するための画像の他に「症状」、「薬剤」に関する情報を入力するための画像、及び「バイタル影響」に関する情報を表示するための画像を含む。
【０２６８】
「症状」の入力欄を選択すると、複数の症状名（例えば、図１７を参照）の選択肢を含む図示しないドロップダウンリストが表示される。ユーザーは、このドロップダウンリスト中から被介護者の症状に合致するいずれかの選択肢を選択する。
【０２６９】
「薬剤」の入力欄を選択すると、複数の薬剤名の選択肢を含む図示しないドロップダウンリストが表示される。ユーザーは、このドロップダウンリスト中から被介護者に頓服薬として服用させた薬剤名を選択する。
【０２７０】
「バイタル影響」の欄には、頓服薬が被介護者のバイタルサインに与える影響が定型文で表示される。「バイタル影響」の欄に表示される定型文は、「症状」及び「薬剤」の各入力欄に入力された情報に基づいて選定される。
【０２７１】
頓服薬情報入力表示９３Ｄの下には、備考入力欄９３Ｅが配置される。備考入力欄９３Ｅには、任意のテキスト情報を入力することが可能である。
【０２７２】
図２６に示す「服薬」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２７３】
＜＜＜入浴の個別登録画面＞＞＞
図２４〜図２６、図２８〜図３０に示す「入浴」のリンクボタン２８４を選択すると、図２７に示す「入浴」の個別登録画面９０が表示される。「入浴」の個別登録画面９０は、一の被介護者の入浴に関する情報を個別に登録するために用いられる。
【０２７４】
図２７に示す「入浴」のリンクボタン２８４は、他のリンクボタン２８１〜２８３、２８５〜２８７と異なる色で表示され、現在、選択された状態であることを示している。リンクボタン２８１〜２８７の下には、入浴のタイトルバー９４が配置される。タイトルバー９４中の左側には、「入浴」の文字と、「入浴」を直感させる図柄とが表示される。一方、タイトルバー９４中の右側には、被介護者の氏名と、詳細情報表示ボタン９４Ａとが表示される。
【０２７５】
複数の被介護者情報表示９０Ｅのいずれか１つを選択すると、選択された一の被介護者の氏名がタイトルバー９４に表示される。詳細情報表示ボタン９４Ａは、上述した図２４の詳細情報表示ボタン９１Ａと同じであり、あらかじめ登録された被介護者の詳細情報が表示される。
【０２７６】
タイトルバー９４の下には、介助種別入力表示９４Ｂが配置される。介助種別入力表示９４Ｂには、被介護者に実施した入浴、シャワー浴などの介助種別に関する情報を入力する。介助種別に関する情報を入力する場合は、「入浴」、「シャワー浴」、「清拭」、「足浴」、「手浴」、「洗髪」のいずれか１つのチェックボックスを選択する。
【０２７７】
介助種別入力表示９４Ｂの下には、身体異常入力表示９４Ｃが配置される。身体異常入力表示９４Ｃには、被介護者の身体異常の有無を入力する。身体異常入力表示９４Ｃは、身体異常の「無」、「有」に対応する２つのインジケータを含む。ユーザーは、入浴やシャワー浴などを実施した際に、被介護者の身体に異常がなかった場合は「無」のインジケータを選択し、異常があった場合は「有」のインジケータを選択する。「有」のインジケータを選択した場合、ユーザーは、被介護者の身体異常について、支援経過記録に記録することが望ましい。支援経過記録は、後述する支援経過記録表示画面１１０を用いて作成される（図３５を参照）。
【０２７８】
身体異常入力表示９４Ｃの下には、入浴中止チェックボックス９４Ｄが配置される。ユーザーは、入浴やシャワー浴などを中止した場合、入浴中止チェックボックス９４Ｄを選択する。入浴中止チェックボックス９４Ｄの下には、フリーコメント入力欄９４Ｅが配置される。このフリーコメント入力欄９４Ｅには、例えば、上述した被介護者の身体異常の詳細、又は入浴やシャワー浴などを中止した理由について、任意のテキスト情報を入力することが可能である。
【０２７９】
図２７に示す「入浴」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２８０】
＜＜＜介護サービスの個別登録画面＞＞＞
図２４〜図２７、図２９、図３０に示す「介護サービス」のリンクボタン２８５を選択すると、図２８に示す「介護サービス」の個別登録画面９０が表示される。「介護サービス」の個別登録画面９０は、上述した「排泄」、「食事」、「服薬」、「入浴」以外で、一の被介護者に実施した介護サービスのテーマ等を個別に登録するために用いられる。
【０２８１】
図２８に示す「介護サービス」のリンクボタン２８５は、他のリンクボタン２８１〜２８４、２８６、２８７と異なる色で表示され、現在、選択された状態であることを示している。リンクボタン２８１〜２８７の下には、介護サービスのタイトルバー９５が配置される。タイトルバー９５中の左側には、「介護サービス」の文字と、「介護サービス」を直感させる図柄とが表示される。一方、タイトルバー９５中の右側には、被介護者の氏名と、詳細情報表示ボタン９５Ａとが表示される。
【０２８２】
タイトルバー９５の下には、テーマ入力表示９５Ｂが配置される。複数の被介護者情報表示９０Ｅのうちから選択した一の被介護者に対し、上述した「排泄」、「食事」、「服薬」、「入浴」以外の介護サービスを実施した場合は、テーマ入力表示９５Ｂを用いて、実施した介護サービスのテーマを入力する。テーマ入力表示９５Ｂは、「レクリエーション」、「受診」、「外出」、「インシデント・アクシデント」、「クレーム」、「身辺介助」、「シーツ交換」、「安否確認」、「更衣」、「移乗・移動介助」、「その他」のテーマ表示と、これらのテーマ表示を選択するための複数のインジケータとを含む。一の被介護者に対して実施した介護サービスのテーマを入力する場合は、複数のインジケータのうちから１つ以上を選択する。
【０２８３】
テーマ入力表示９５Ｂの枠内において、テーマ表示及びインジケータの下には、「フリーコメント」の入力欄が配置される。選択した介護サービスのテーマについて、説明や特記すべき事項がある場合は、「フリーコメント」の入力欄に任意のテキスト情報を入力する。また、テーマ表示及びインジケータの横には、ユーザーが選択した任意の画像を表示させることが可能である。例えば、「フリーコメント」に入力した文章の説明に加えて、説明の参考になる画像をテーマ入力表示９５Ｂの枠内に表示させることができる。
【０２８４】
図２８に示す「介護サービス」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２８５】
＜＜＜症状の個別登録画面＞＞＞
図２４〜図２８、図３０に示す「症状」のリンクボタン２８６を選択すると、図２９に示す「症状」の個別登録画面９０が表示される。「症状」の個別登録画面９０は、一の被介護者の症状に関する情報を個別に登録するために用いられる。
【０２８６】
図２９に示す「症状」のリンクボタン２８６は、他のリンクボタン２８１〜２８５、２８７と異なる色で表示され、現在、選択された状態であることを示している。リンクボタン２８１〜２８７の下には、症状のタイトルバー９６が配置される。タイトルバー９６中の左側には、「症状」の文字と、「症状」を直感させる図柄とが表示される。一方、タイトルバー９６中の右側には、被介護者の氏名と、詳細情報表示ボタン９６Ａとが表示される。
【０２８７】
タイトルバー９６の下には、図１７に示す症状入力画面３０とほぼ同様の大項目入力部９６Ｂ及び小項目入力部９６Ｃが配置される。
【０２８８】
大項目入力部９６Ｂには、「呼吸困難（息切れ）」、「咳嗽・喀痰」、「顔色不良」、「元気がない」、「転倒」、「浮腫」、「チアノーゼ」、「冷感」、「悪心・嘔吐」、「腹痛」などの症状名と、これらの症状名を選択するための複数のインジケータとが縦並びに配置される。これらの症状名及びインジケータの横には、スクロールバー９６ｂが配置される。ユーザーは、症状名及びインジケータを縦方向にスクロールさせ、被介護者に合致するいずれか１つの症状名を選択する。
【０２８９】
ユーザーが、大項目入力部９６Ｂのいずれか１つの症状名を選択すると、小項目入力部９６Ｃの表示内容が変化する。具体的には、選択された症状名に対応して、小項目入力部９６Ｃの入力欄の数と、各入力欄の左側に表示される入力項目とが変化する。例えば、ユーザーが「呼吸困難（息切れ）」の症状名を選択すると、小項目入力部９６Ｃの入力欄の数は６つになり、１〜５つ目の入力欄の左側に表示される入力項目は、「どのような」、「呼吸状態」、「状況」、「体位」、「起こり方」、「程度」となる。６つ目の「フリーコメント」の入力欄は、全ての症状名が選択された場合に共通して表示される。
【０２９０】
ユーザーは、小項目入力部９６Ｃの各入力欄に表示される入力項目に従って、症状の詳細を入力する。症状の詳細は、小項目入力部９６Ｃの各入力欄の右側に設けられたドロップダウンリストを展開し、あらかじめ用意された複数の定型文から１つを選択する。フリーコメント入力欄には、任意のテキスト情報を入力することが可能である。
【０２９１】
図２９に示す「症状」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０２９２】
＜＜＜バイタルの個別登録画面＞＞＞
図２４〜図２９に示す「バイタル」のリンクボタン２８７を選択すると、図３０に示す「バイタル」の個別登録画面９０が表示される。「バイタル」の個別登録画面９０は、一の被介護者のバイタルサインの測定値を個別に登録するために用いられる。
【０２９３】
図３０に示す「バイタル」のリンクボタン２８７は、他のリンクボタン２８１〜２８６と異なる色で表示され、現在、選択された状態であることを示している。リンクボタン２８１〜２８７の下には、バイタルのタイトルバー９７が配置される。タイトルバー９７中の左側には、「バイタル」の文字と、「バイタル」を直感させる図柄とが表示される。一方、タイトルバー９７中の右側には、被介護者の氏名と、詳細情報表示ボタン９７Ａとが表示される。
【０２９４】
タイトルバー９７の下には、測定値入力表示９７Ｂが配置される。測定値入力表示９７Ｂの枠内には、体温入力部９７ａ、呼吸数入力部９７ｂ、ＳｐＯ２入力部９７ｃ、体重入力部９７ｄ、最高血圧入力部９７ｅ、最低血圧入力部９７ｆ、脈拍数入力部９７ｇ、血糖値入力部９７ｈ、観察・問診結果入力部９７ｉ、意識レベル入力部９７ｊが、縦並びの２列で配置される。
【０２９５】
このうち、体温入力部９７ａ、呼吸数入力部９７ｂ、ＳｐＯ２入力部９７ｃ、体重入力部９７ｄ、最高血圧入力部９７ｅ、最低血圧入力部９７ｆ、脈拍数入力部９７ｇ、血糖値入力部９７ｈへの数値入力は、ユーザーが手入力するほかに、図１（ｃ）に示すＩＣカードリーダー／ライター９を介して、「ＦｅｌｉＣａ（登録商標）」を搭載した測定機器から測定値データを読み込むことが可能である。
【０２９６】
体温入力部９７ａには、３３．０〜４２．０（℃）の範囲内で体温の測定値を入力することが可能である。呼吸数入力部９７ｂには、１〜５０（回）の範囲内で呼吸数の測定値を入力することが可能である。ＳｐＯ２入力部９７ｃには、０〜１００（％）の範囲内でＳｐＯ２の測定値を入力することが可能である。体重入力部９７ｄには、１．０〜２００．０（ｋｇ）の範囲内で体重の測定値を入力することが可能である。最高血圧入力部９７ｅには、０〜３００（ｍｍＨｇ）の範囲内で最高血圧の測定値を入力することが可能である。これと同様に、最低血圧入力部９７ｆにも、０〜３００（ｍｍＨｇ）の範囲内で最低血圧の測定値を入力することが可能である。脈拍数入力部９７ｇには、３０〜２５０（ｂｐｍ）の範囲内で脈拍数の測定値を入力することが可能である。血糖値入力部９７ｈには、１〜９９９９（ｍｇ／ｄｌ）の範囲内で脈拍数の血糖値を入力することが可能である。
【０２９７】
上述した体温入力部９７ａ、呼吸数入力部９７ｂ、ＳｐＯ２入力部９７ｃ、体重入力部９７ｄ、最高血圧入力部９７ｅ、最低血圧入力部９７ｆ、脈拍数入力部９７ｇ、血糖値入力部９７ｈにそれぞれ入力した測定値は、プログラムによって正常な値か否かが判断される。異常な測定値は、「警告」及び「注意」の二段階で表示される。例えば、「警告」に該当する測定値は黄色い数字で表示され、「注意」に該当する測定値は赤色の数字で表示される。さらに、「警告」又は「注意」に該当する測定値が入力された場合は、この測定値が「警告」又は「注意」に該当する旨の定型文を含むウィンドウが表示される。
【０２９８】
観察・問診結果入力部９７ｉは、「正常」又は「異常」を選択するための２つのインジケータを備える。ユーザーは、観察又は問診の結果に基づいて、「正常」又は「異常」のいずれかを選択する。「異常」を選択した場合は、図示しないフリーコメント入力ウィンドウが表示される。ユーザーは、このフリーコメント入力ウィンドウに異常の状態を説明する任意のテキスト情報を入力する。
【０２９９】
意識レベル入力部９７ｊは、「正常」又は「異常」を選択するための２つのインジケータを備える。ユーザーは、被介護者の意識レベルについて、「正常」又は「異常」のいずれかを選択する。「異常」を選択した場合は、図示しないフリーコメント入力ウィンドウが表示される。ユーザーは、このフリーコメント入力ウィンドウに異常の状態を説明する任意のテキスト情報を入力する。
【０３００】
「バイタル」の個別登録画面９０の最も下の中央より右側には、熱型表表示ボタン９７Ｃ及び病態記録表示ボタン９７Ｄが横並びに配置される。熱型表表示ボタン９７Ｃを選択すると、図３１に示す熱型表表示画面１２０が表示される。また、病態記録表示ボタン９７Ｄを選択すると、図３３に示す病態記録表示画面１３０が表示される。これらの熱型表表示画面１２０及び病態記録表示画面１３０については、後に図３１〜図３３を参照して詳しく説明する。
【０３０１】
図３０に示す「バイタル」の個別登録画面９０に入力した情報は、クリアボタン９０Ｇを選択することによって全て削除することが可能であり、又は、保存ボタン９０Ｈを選択することによってサーバのデータベースに保存される。サーバのデータベースに保存された情報は、全てのユーザーの介護記録プログラム１２に反映される。
【０３０２】
＜＜＜熱型表表示画面＞＞＞
上述したように、図３０に示す熱型表表示ボタン９７Ｃを選択すると、図３１に示す熱型表表示画面１２０が表示される。熱型表表示画面１２０は、一の被介護者の「血圧」、「ＳｐＯ２」、「脈拍」、「体温」、「便通」、「尿回数」、「食事」、「入浴」等のバイタルサインの測定結果をグラフ、数値、記号によって表示する。熱型表表示画面１２０には、ユーザーが任意に選択した年月の１ヶ月分の測定結果を表示させることが可能である。
【０３０３】
図３１において、熱型表表示画面１２０の左端には、表示範囲操作部１２１、被介護者情報表示部１２２、基本操作部１２３が縦方向に配置される。
【０３０４】
表示範囲操作部１２１は、年表示１２１ａ、月操作表示１２１ｂ、週操作表示１２１ｃ、戻すボタン１２１ｄで構成される。年表示１２１ａには、現在、熱型表表示画面１２０に表示されているバイタルサインの測定結果が測定された年（西暦）が表示される。
【０３０５】
月操作表示１２１ｂは、熱型表表示画面１２０に表示させるバイタルサインの測定結果が測定された年月を選択するために用いられる。月操作表示１２１ｂの月表示（図中の「１月」）を選択すると、図２３に示すものと同じカレンダー表示が展開される。図２３に示すように、このカレンダー表示には、年（西暦）表示と「１月」〜「１２月」の選択肢とが含まれる。年表示の左右に表示された「＜＜」又は「＞＞」のボタンを選択することによって、年表示を前の年又は次の年に変更させることができる。カレンダー表示中の「１月」〜「１２月」のいずれかを選択することにより、選択した年月に測定されたバイタルサインの測定結果が熱型表表示画面１２０に表示される。また、カレンダー表示で選択した月が、月操作表示１２１ｂの月表示に表示される。
【０３０６】
月操作表示１２１ｂの月表示の左右に表示された「＜」又は「＞」のボタンを選択することによって、熱型表表示画面１２０に表示されるバイタルサインの測定結果が測定された月を、前の月又は次の月に変更させることができる。さらに、月操作表示１２１ｂの下には、週操作表示１２１ｃが配置される。週操作表示１２１ｃの「１週間」の表示の左右に表示された「＜」又は「＞」のボタンを選択することによって、熱型表表示画面１２０に表示されるバイタルサインの測定結果を、一週間ごとに前又は後に変更させることができる。
【０３０７】
週操作表示１２１ｃの下には、戻すボタン１２１ｄが配置される。戻すボタン１２１ｄを選択することによって、熱型表表示画面１２０に表示されるバイタルサインの測定結果の年月が、最初に熱型表表示画面１２０を表示させたときの状態に戻る。
【０３０８】
表示範囲操作部１２１の下には、被介護者情報表示部１２２が配置される。被介護者情報表示部１２２は、被介護者情報表示１２２ａと詳細情報表示ボタン１２２ｂとで構成される。被介護者情報表示１２２ａには、図３０に示す被介護者情報表示９０Ｅにおいて選択された一の被介護者の部屋番号、氏名、年齢が含まれる。詳細情報表示ボタン１２２ｂは、上述した図２４の詳細情報表示ボタン９１Ａと同じであり、あらかじめ登録された被介護者の詳細情報が表示される。
【０３０９】
基本操作部１２３は、設定ボタン１２３ａ、印刷ボタン１２３ｂ、病態記録表示ボタン１２３ｃ、戻るボタン１２３ｄ、更新ボタン１２３ｅで構成される。
【０３１０】
設定ボタン１２３ａは、熱型表表示画面１２０の表示項目を選択するために用いられる。すなわち、後述するグラフ表示部１２４には、「血圧」、「ＳｐＯ２」、「脈拍」、「体温」の４項目の全部又は一部を選択的に表示させることが可能である。また、「血圧」、「脈拍」、「体温」の３項目には、後述する基準域表示１２４ｆを選択的に表示させることが可能である。さらに、後述する数値・記号表示部１２５には、図３１に示す「便通」、「尿回数」、「食事」、「入浴」の４項目ほかに、体重と血糖値との２項目を選択的に表示させることが可能である。設定ボタン１２３ａを選択することにより、図示しない設定画面が展開する。この設定画面において、熱型表表示画面１２０に選択的に表示される表示項目の表示又は非表示を設定することができる。
【０３１１】
設定ボタン１２３ａの下には、印刷ボタン１２３ｂが配置される。印刷ボタン１２３ｂを選択することにより、図示しない印刷画面が展開する。この印刷画面において、熱型表表示画面１２０の表示内容を、図示しないプリンタに印刷させることが可能である。
【０３１２】
印刷ボタン１２３ｂの下には、病態記録表示ボタン１２３ｃが配置される。病態記録表示ボタン１２３ｃは、上述した図３０の病態記録表示ボタン９７Ｄと同じであり、図３３に示す病態記録表示画面１３０が表示される。
【０３１３】
病態記録表示ボタン１２３ｃの下には、戻るボタン１２３ｄが配置される。戻るボタン１２３ｄを選択すると、熱型表表示画面１２０が、その前に表示されていた図３０に示す「バイタル」の個別登録画面９０に切り替わる。
【０３１４】
戻るボタン１２３ｄの下には、更新ボタン１２３ｅが配置される。更新ボタン１２３ｅを選択すると、熱型表表示画面１２０に表示されるバイタルサインの測定結果が最新の状態に更新される。
【０３１５】
次に、グラフ表示部１２４の構成について説明する。グラフ表示部１２４は、上述した表示範囲操作部１２１、被介護者情報表示部１２２、基本操作部１２３の右隣に配置される。グラフ表示部１２４は、主として、４つの縦軸、１つの横軸、３つの折れ線グラフ、１つの棒グラフで構成される。「ＳｐＯ２」、「脈拍」、「体温」の測定結果は、それぞれ折れ線グラフにより表示される。「血圧」の測定結果は、棒グラフにより表示される。
【０３１６】
グラフ表示部１２４の左端には、４つの縦軸、すなわち、血圧縦軸表示１２４Ａ、ＳｐＯ２縦軸表示１２４Ｂ、脈拍数縦軸表示１２４Ｃ、体温縦軸表示１２４Ｄが横並びに配置される。血圧縦軸表示１２４Ａの枠内には、「４０」〜「２２０」ｍｍＨｇの数値が縦並びに表示される。ＳｐＯ２縦軸表示１２４Ｂの枠内には、「８８」〜「１００」％の数値が縦並びに表示される。脈拍数縦軸表示１２４Ｃの枠内には、「５０」〜「２２０」ｂｐｍの数値が縦並びに表示される。体温縦軸表示１２４Ｄの枠内には、「３５．５」〜「４０．０」℃の数値が縦並びに表示される。
【０３１７】
ここで、血圧縦軸表示１２４Ａ、ＳｐＯ２縦軸表示１２４Ｂ、脈拍数縦軸表示１２４Ｃ、体温縦軸表示１２４Ｄのそれぞれの上端には、拡大表示ボタン１２４ａ〜１２４ｄが配置される。「血圧」の拡大表示ボタン１２４ａを選択すると、後述する血圧グラフ１２４１が拡大表示される。「ＳｐＯ２」の拡大表示ボタン１２４ｂを選択すると、後述するＳｐＯ２グラフ１２４２が拡大表示される。「脈拍」の拡大表示ボタン１２４ｃを選択すると、後述するグラフ１２４３が拡大表示される。「体温」の拡大表示ボタン１２４ｄを選択すると、後述するグラフ１２４４が拡大表示される。
【０３１８】
グラフ表示部１２４の上端には、横方向に延びる日付横軸表示１２４Ｅが配置される。日付横軸表示１２４Ｅの枠内には、１ヶ月分の日付及び曜日が表示される。
【０３１９】
グラフ表示部１２４の体温縦軸表示１２４Ｄ、日付横軸表示１２４Ｅ、後述する便通情報表示１２５Ａに囲まれたスペースには、３つの折れ線グラフと１つの棒グラフとが表示される。３つの折れ線グラフは、ＳｐＯ２グラフ１２４２、脈拍数グラフ１２４３、体温グラフ１２４４である。１つの棒グラフは、血圧グラフ１２４１である。図示しないが、４つのグラフ１２４１〜１２４４は、互いに異なる色で表示され、グラフどうしが重なった場合でも視覚的に区別可能となっている。
【０３２０】
ＳｐＯ２グラフ１２４２、脈拍数グラフ１２４３、体温グラフ１２４４は、いずれも図３０に示す測定値入力表示９７ＢのＳｐＯ２入力部９７ｃ、脈拍数入力部９７ｇ、体温入力部９７ａ、又は図１に示すバイタル入力プログラム１１に入力された「ＳｐＯ２」、「脈拍数」、「体温」の各測定値に基づいて作成される。「ＳｐＯ２」、「脈拍数」、「体温」の各測定値は、通常ドット表示１２４ｇ、服薬ドット表示１２４ｈ、主値変更ドット表示１２４ｉのいずれかによって、グラフ上に表示される。通常ドット表示１２４ｇは、被介護者に頓服薬を飲ませず、且つ１回の測定で得られた測定値を示す。服薬ドット表示１２４ｈは、通常ドット表示１２４ｇよりも直径の大きい円で構成される。服薬ドット表示１２４ｈは、被介護者に頓服薬を飲ませた後の測定で得られた測定値を示す。主値変更ドット表示１２４ｉは、白抜きの円で構成される。主値変更ドット表示１２４ｉは、複数回の測定で得られた測定値を示す。なお、複数回の測定を行う場合として、例えば、午前と午後で２回以上測定した場合、又は１回目の測定値が異常な値であったために２回以上測定した場合などがある。
【０３２１】
血圧グラフ１２４１は、図３０に示す最高血圧入力部９７ｅ、最低血圧入力部９７ｆ、又は図１に示すバイタル入力プログラム１１に入力された「最高血圧」及び「最低血圧」の各測定値に基づいて作成される。各測定値は、通常バー表示１２４ｊ又は服薬又は主値変更バー表示１２４ｋのいずれかによって、グラフ上に表示される。通常バー表示１２４ｊは、被介護者に頓服薬を飲ませず、且つ１回の測定で得られた測定値を示す。服薬又は主値変更バー表示１２４ｋは、被介護者に頓服薬を飲ませた後、又は複数回の測定で得られた測定値を示す。各バー表示１２４ｊ、１２４ｋの上端は「最高血圧」、下端は「最低血圧」の測定値を示す。また、各バー表示１２４ｊ、１２４ｋの長さは「最高血圧」と「最低血圧」との差の大きさを直感的にユーザーに伝える。
【０３２２】
図３２に示すように、ＳｐＯ２グラフ１２４２、脈拍数グラフ１２４３、体温グラフ１２４４を構成する各ドット表示１２４ｇ、１２４ｈ、１２４ｉに、図示しないカーソルを合わせると、測定結果表示１２４ｍが表示される。測定結果表示１２４ｍには、測定日、表示項目、測定値、測定回数、症状、頓服薬の効果などの詳細情報が含まれる。また、血圧グラフ１２４１を構成する各バー表示１２４ｊ、１２４ｋの上端又は下端に、図示しないカーソルを合わせると、「最高血圧」又は「最低血圧」の測定値を含む測定結果表示１２４ｍが表示される。
【０３２３】
図３１に戻り、脈拍数グラフ１２４３、体温グラフ１２４４、血圧グラフ１２４１のそれぞれの背後には、基準域表示１２４ｆを選択的に表示させることが可能である。基準域表示１２４ｆは、被介護者情報表示１２２ａに表示される一の被介護者に固有の正常な測定値の範囲を示すものである。したがって、被介護者情報表示１２２ａに表示される一の被介護者の測定値が、基準域表示１２４ｆを外れる場合は、一の被介護者の健康状態に異常が生じている可能性がある。
【０３２４】
基準域表示１２４ｆの上限値及び下限値は、被介護者情報表示１２２ａに表示される一の被介護者（同一固体）の測定値の平均μ及び標準偏差σに基づいて算出される。具体的に、基準域表示１２４ｆの上限値はμ＋ｍσ、下限値はμ−ｎσにより算出される。この数式中のｍ、ｎは、０より大きい数であり、互いに同じ値又は異なる値である数を含む。ｍ、ｎの値は、正常又は異常の判定基準の厳密さ、バイタルサインの種類、一の被介護者の既往歴等の種々の条件を考慮して適宜設定することができる。例えば、健康な高齢者のバイタルサインの測定値は、正規分布する傾向があり、約９５％強の測定値がμ±２σの範囲に分布する。したがって、一例として、基準域表示１２４ｆの上限値をμ＋２σ、下限値はμ−２σとすることが可能である。平均μ及び標準偏差σは、３０日分以上の測定値に基づいて算出されることが好ましい。このような基準域表示１２４ｆに基づく健康状態の判定は、「血圧」、「脈拍」、「体温」の３項目以外のバイタルサインの測定値にも適用することが可能である。
【０３２５】
次に、数値・記号表示部１２５の構成について説明する。数値・記号表示部１２５は、上述したグラフ表示部１２４の下に配置される。数値・記号表示部１２５には、便通情報表示１２５Ａ、尿回数情報表示１２５Ｂ、食事割合情報表示１２５Ｃ、入浴実施情報表示１２５Ｄが含まれる。
【０３２６】
便通情報表示１２５Ａは、数値・記号表示部１２５の最も上に配置される。便通情報表示１２５Ａの表示枠は、上下に２分割されており、上の表示枠に１ヶ月間毎日の便の「量」に関する情報が表示され、下の表示枠に便が「下痢」であったか否かの情報が表示される。
【０３２７】
便通情報表示１２５Ａに表示される便の「量」に関する情報には、便の回数を示す数値（例えば、図３１中の「０」、「３」、「２」、「６」）と、便の量の割合を示す文字（例えば、図３１中の「中」、「少」、「大」）が含まれる。便通情報表示１２５Ａに表示される便の「量」に関する情報は、図９（ａ）に示す便入力ウィンドウ２２１１、又は図２４に示す便情報入力表示９１Ｅに入力された便の「量」及び「回数」に関する情報に基づく。
【０３２８】
一方、便通情報表示１２５Ａの下の表示枠には、便が「下痢」であったことを示す「○」の記号が表示される。便が「下痢」でない場合、便通情報表示１２５Ａの下の表示枠には、空欄のまま何も表示されない。便通情報表示１２５Ａに表示される便が「下痢」であったか否かの情報は、図９（ａ）に示す便入力ウィンドウ２２１１、又は図２４に示す便情報入力表示９１Ｅに入力された便の「泥」又は「状態」に関する情報に基づく。
【０３２９】
便通情報表示１２５Ａの下には、尿回数情報表示１２５Ｂが配置される。尿回数情報表示１２５Ｂには、１ヶ月間毎日の「尿回数」を示す数値（例えば、図３１中の「４」、「５」、「３」）が表示される。尿回数情報表示１２５Ｂに表示される「尿回数」を示す数値は、図９（ｂ）に示す尿入力ウィンドウ２２２１、又は図２４に示す尿情報入力表示９１Ｄに情報が入力された回数（１日に入力データが保存された回数）に基づく。
【０３３０】
尿回数情報表示１２５Ｂの下には、食事割合情報表示１２５Ｃが配置される。食事割合情報表示１２５Ｃの表示枠は、上中下に３分割されており、上の表示枠に「朝」の食事割合、中間の表示枠に「昼」の食事割合、下の表示枠に「夜」の食事割合を示す１ヶ月分の数値（例えば、図３１中の「○の中に１０」、「９」、「７」、「８」）が表示される。食事割合情報表示１２５Ｃに表示される食事割合は、図７（ｃ）に示す主食入力ウィンドウ２１３１、又は図２５に示す食事情報入力表示９２Ｂに入力された「主食」の食事割合に関する情報に基づく。なお、一の被介護者が「主食」を完食した場合は、「○の中に１０」の数値が表示される。
【０３３１】
食事割合情報表示１２５Ｃの下には、入浴実施情報表示１２５Ｄが配置される。入浴実施情報表示１２５Ｄには、１ヶ月間に、一の被介護者の入浴が実施されたこと（図３１中の「○」）、及び一の被介護者の入浴が中止されたこと（図３１中の「×」）が記号で表示される。入浴実施情報表示１２５Ｄに表示される入浴の実施「○」及び中止「×」の情報は、図９（ｃ）に示す入浴入力ウィンドウ２２３１、又は図２７に示す介助種別入力表示９４Ｂ、入浴中止チェックボックス９４Ｄに入力された情報に基づく。
【０３３２】
ここで、数値・記号表示部１２５に表示される「便通」、「尿回数」、「食事」、「入浴」等のバイタルサインの測定結果に異常がある場合は、警告表示１２５ｅ又は注意表示１２５ｆの二段階で表示される。警告表示１２５ｅは、「警告」に該当する異常な測定結果（数値又は記号）の背景色を赤色にする。注意表示１２５ｆは、「注意」に該当する異常な測定結果の背景色を黄色にする。
【０３３３】
＜＜＜病態記録表示画面＞＞＞
上述したように、図３０に示す病態記録表示ボタン９７Ｄ、又は図３１に示す病態記録表示ボタン１２３ｃを選択すると、図３３に示す病態記録表示画面１３０が表示される。病態記録表示画面１３０の上端には、被介護者情報表示１３０ａ及び日付表示１３０ｂが配置される。被介護者情報表示１３０ａには、図３０に示す被介護者情報表示９０Ｅにおいて選択された一の被介護者の氏名、年齢が表示される。日付表示１３０ｂによって任意の年月日を選択すると、その年月日における一の被介護者の病態記録が、被介護者情報表示１３０ａ及び日付表示１３０ｂの下のスペースに表示される。
【０３３４】
病態記録表示画面１３０における被介護者情報表示１３０ａ及び日付表示１３０ｂの下のスペースには、バイタルサイン情報表示１３１、既往歴情報表示１３２、リスクファクター情報表示１３３、観察内容情報表示１３４、特記事項情報表示１３５、頓服薬情報表示１３６が表示される。
【０３３５】
バイタルサイン情報表示１３１は、病態記録表示画面１３０の左側に配置される。バイタルサイン情報表示１３１は、上から順に、判定バー１３１ａ、体温表示１３１ｂ、最高血圧表示１３１ｃ、最低血圧表示１３１ｄ、脈圧表示１３１ｅ、脈拍数表示１３１ｆ、呼吸数表示１３１ｇ、ＳｐＯ２表示１３１ｈ、体重表示１３１ｉ、飲水表示１３１ｊ、意識レベル表示１３１ｋ、尿量表示１３１ｌで構成される。これらの表示項目に表示される数値などの情報は、上述した介護サービス情報一括入力画面２０、個別登録画面９０又はバイタル入力プログラム１１に入力された情報に基づく。
【０３３６】
判定バー１３１ａには、左から順に「２」、「１」、「正常」、「１」、「２」の５つの指標が表示される。これらの５つの指標を用いて、体温表示１３１ｂ、最高血圧表示１３１ｃ、最低血圧表示１３１ｄ、脈圧表示１３１ｅ、脈拍数表示１３１ｆ、呼吸数表示１３１ｇ、ＳｐＯ２表示１３１ｈの各数値が正常か異常かを直感的に判定することが可能である。すなわち、体温表示１３１ｂ、最高血圧表示１３１ｃ、最低血圧表示１３１ｄ、脈圧表示１３１ｅ、脈拍数表示１３１ｆ、呼吸数表示１３１ｇ、ＳｐＯ２表示１３１ｈの各数値は、「２」、「１」、「正常」、「１」、「２」の５つの指標のいずれかの下方に表示される。正常な数値は、バイタルサイン情報表示１３１のほぼ中央の「正常」の指標の下方に表示される。一方、異常な数値は、「正常」の指標から左又は右の方向にシフトして「２」、「１」、「１」、「２」のいずれかの指標の下方に表示される。ユーザーは、体温表示１３１ｂ、最高血圧表示１３１ｃ、最低血圧表示１３１ｄ、脈圧表示１３１ｅ、脈拍数表示１３１ｆ、呼吸数表示１３１ｇ、ＳｐＯ２表示１３１ｈの各数値が表示される位置を見て、正常か異常かを直感的に判定することができる。
【０３３７】
体温表示１３１ｂ、最高血圧表示１３１ｃ、最低血圧表示１３１ｄ、脈圧表示１３１ｅ、脈拍数表示１３１ｆ、呼吸数表示１３１ｇ、ＳｐＯ２表示１３１ｈの各数値が異常な値である場合は、「警告」及び「注意」の二段階で表示される。「警告」に該当する異常な数値の背景色は赤色になる。「注意」に該当する異常な数値の背景色は黄色になる。
【０３３８】
既往歴情報表示１３２は、バイタルサイン情報表示１３１の隣、病態記録表示画面１３０のほぼ中央に配置される。既往歴情報表示１３２には、一の被介護者の病歴が病名によって表示される。スクロールバー１３２ａを操作することにより、既往歴情報表示１３２に含まれる全ての病名を表示させることが可能である。図１（ａ）に示す健康ケア記録プログラム１３及び医師管理プログラム１４によって病態記録表示画面１３０を表示させた場合に限り、既往歴情報表示１３２中の各病名の表示を選択すると、その病気に関する要約（例えば、入院日、症状、異常なバイタルサインの測定値、経過など）が表示される。また、既往歴情報表示１３２のタイトルバーには、詳細情報表示ボタン１３２ｂが配置される。詳細情報表示ボタン１３２ｂを選択すると、既往歴の詳細情報が記録された画面が表示される。既往歴情報表示１３２に表示される情報は、図１（ａ）に示す管理プログラム１５に一の被介護者を登録する際に入力される。
【０３３９】
リスクファクター情報表示１３３は、既往歴情報表示１３２の下に配置される。リスクファクター情報表示１３３には、一の被介護者の生活習慣（例えば、喫煙歴、飲酒歴、運動習慣、睡眠）が表示される。また、リスクファクター情報表示１３３のタイトルバーには、詳細情報表示ボタン１３３ａが配置される。詳細情報表示ボタン１３３ａを選択すると、リスクファクターの詳細情報が記録された画面が表示される。リスクファクター情報表示１３３に表示される情報は、図１（ａ）に示す管理プログラム１５に一の被介護者を登録する際に入力される。
【０３４０】
観察内容情報表示１３４は、リスクファクター情報表示１３３の隣、病態記録表示画面１３０の左側に配置される。観察内容情報表示１３４には、一の被介護者の症状に関する情報が表示される。スクロールバー１３４ａを操作することにより、観察内容情報表示１３４に含まれる全ての症状に関する情報を表示させることが可能である。
【０３４１】
観察内容情報表示１３４に表示される情報は、図１（ａ）に示す介護記録プログラム１２及び健康ケア記録プログラム１３に入力された情報に基づく。既に述べたように、介護記録プログラム１２のユーザーは介護者であり、健康ケア記録プログラム１３のユーザーは看護師である。図３３に示される観察内容情報表示１３４中の症状に関する情報は、２種類の背景色で表示される。例えば、介護記録プログラム１２から入力された症状に関する情報の背景色は、図中の薄い灰色で表示される。これに対し、健康ケア記録プログラム１３から入力された症状に関する情報の背景色は、図中の白色で表示される。介護者が、介護記録プログラム１２から入力した症状に関する情報は、健康ケア記録プログラム１３を使用する看護師により選別され、最終的に、必要な情報だけが確定される。この結果、図１（ａ）に示す医師管理プログラム１４によって病態記録表示画面１３０を表示させた場合、観察内容情報表示１３４には、健康ケア記録プログラム１３によって確定された症状に関する情報だけが表示されるようになる。すなわち、医師管理プログラム１４を使用する医師は、介護者及び看護師が入力した情報のうち、看護師が必要と考える情報だけが伝えられる。一方、介護者は、必要な情報か否かを深く考えずに、被介護者に異常な点があれば、観察内容を介護記録プログラム１２に入力して報告すればよい。
【０３４２】
観察内容情報表示１３４のタイトルバーには、詳細情報表示ボタン１３４ｂ及び情報追加ボタン１３４ｃが配置される。詳細情報表示ボタン１３４ｂを選択すると、症状に関する詳細情報が記録された画面が表示される。一方、情報追加ボタン１３４ｃは、図１（ａ）に示す健康ケア記録プログラム１３によって病態記録表示画面１３０を表示させた場合に限り、選択することが可能となる。すなわち、健康ケア記録プログラム１３を使用する看護師のみが、一の被介護者の症状に関する情報を追加できる。情報追加ボタン１３４ｃを選択すると、図１７の症状入力画面３０と同様の入力画面が表示される。
【０３４３】
特記事項情報表示１３５は、バイタルサイン情報表示１３１及びリスクファクター情報表示１３３の下に配置される。特記事項情報表示１３５には、一の被介護者の観察・問診の結果が異常であった場合、及び意識レベルが異常であった場合に入力された特記事項情報（フリーコメント）の情報が表示される。特記事項情報表示１３５に表示される特記事項情報は、例えば、図３０に示す観察・問診結果入力部９７ｉの「異常」を選択した場合のフリーコメント、図３０に示す意識レベル入力部９７ｊの「異常」を選択した場合のフリーコメント、及び図１（ａ）に示す健康ケア記録プログラム１３に入力された特記事項情報に基づく。スクロールバー１３５ａを操作することにより、特記事項情報表示１３５に含まれる全ての特記事項情報を表示させることが可能である。
【０３４４】
特記事項情報表示１３５のタイトルバーには、詳細情報表示ボタン１３５ｂ及び情報追加ボタン１３５ｃが配置される。詳細情報表示ボタン１３５ｂを選択すると、特記事項情報に関する詳細情報が記録された画面が表示される。一方、情報追加ボタン１３５ｃは、図１（ａ）に示す健康ケア記録プログラム１３によって病態記録表示画面１３０を表示させた場合に限り、選択することが可能となる。すなわち、健康ケア記録プログラム１３を使用する看護師のみが、一の被介護者の特記事項情報を追加できる。情報追加ボタン１３５ｃを選択すると、一の被介護者の特記事項情報を追加するためのフリーコメント入力画面が表示される。看護師は、このフリーコメント入力画面に任意の文章を入力して、特記事項情報表示１３５に表示される特記事項情報を追加することが可能である。
【０３４５】
頓服薬情報表示１３６は、観察内容情報表示１３４の下に配置される。頓服薬情報表示１３６には、図２６に示す頓服薬情報入力表示９３Ｄ及び図１（ａ）に示す健康ケア記録プログラム１３に入力された頓服薬情報が表示される。一の頓服薬情報には、頓服薬を服用する原因となった症状と、服用した薬剤名とが含まれる。スクロールバー１３６ａを操作することにより、頓服薬情報表示１３６に含まれる全ての頓服薬情報を表示させることが可能である。頓服薬情報表示１３６のタイトルバーには、詳細情報表示ボタン１３６ｂが配置される。詳細情報表示ボタン１３６ｂを選択すると、頓服薬情報に関する詳細情報が記録された画面が表示される。
【０３４６】
＜＜リハビリ記録表示画面１００＞＞
図１８〜図３０に示す「リハビリ記録」のリンクボタン２６７を選択すると、図３４に示すリハビリ記録表示画面１００が表示される。リハビリ記録表示画面１００は、被介護者ごとのリハビリ記録を作成し、作成したリハビリ記録を削除、閲覧又はアップロードするためのものである。
【０３４７】
図３４に示すリハビリ記録表示画面１００の構成について説明する。リハビリ記録表示画面１００の最も上には、上述したリンクボタン２６１〜２６７が配置される。「リハビリ記録」のリンクボタン２６７は、他のリンクボタン２６１〜２６６と異なる色で表示され、現在、選択された状態であることを示している。
【０３４８】
リンクボタン２６１〜２６７の下、図３４の左側の約１／３のスペースには、施設棟表示１０１Ａ、フロア表示１０１Ｂ、複数の被介護者情報表示１０１Ｃ、スクロールバー１０１Ｄが一纏まりに配置される。施設棟表示１０１Ａ及びフロア表示１０１Ｂが横並びに配置され、その下に複数の被介護者情報表示１０１Ｃが縦方向に配置される。
【０３４９】
施設棟表示１０１Ａは、その横に設けられたボタンを選択することにより、複数の施設棟名を含むドロップダウンリストを展開する。このドロップダウンリスト中の複数の施設棟名のうちから１つを選択する。例えば、図３４では「東棟」が選択されている。
【０３５０】
フロア表示１０１Ｂは、複数のフロア番号を含むドロップダウンリストを展開する。このドロップダウンリスト中の複数のフロア番号のうちから１つを選択する。例えば、図３４では「２Ｆ」が選択されている。
【０３５１】
施設棟表示１０１Ａ及びフロア表示１０１Ｂがそれぞれ選択されると、選択された施設棟及びフロアの各部屋番号とそこに入居する被介護者の氏名とが、複数の被介護者情報表示１０１Ｃのそれぞれに個別に表示される。複数の被介護者情報表示１０１Ｃの横には、スクロールバー１０１Ｄが配置される。ユーザーは、複数の被介護者情報表示１０１Ｃを縦方向にスクロールさせ、リハビリ記録の作成等の対象となるいずれか一の被介護者情報表示１０１Ｃを選択する。各被介護者情報表示１０１Ｃは、それぞれ円形のインジケータを備えており、選択された一の被介護者情報表示１０１Ｃのインジケータに丸印が表示される。
【０３５２】
リンクボタン２６１〜２６７の下、図３４の右側の約２／３のスペースには、「リハビリ記録」のデータファイルの一覧表が表示される。「リハビリ記録」のデータファイルの一覧表は、第１及び第２日付表示１０２Ａ、１０２Ｂ、ファイル表示ウィンドウ１０３、ファイル選択ボタン１０４Ａ、ファイルパス表示窓１０４Ｂ、作成ボタン１０５、削除ボタン１０６、閲覧ボタン１０７、アップロードボタン１０８によって構成される。
【０３５３】
「リハビリ記録」のタイトル表示の下には、第１及び第２日付表示１０２Ａ、１０２Ｂが配置される。第１及び第２日付表示１０２Ａ、１０２Ｂは、リハビリ記録のデータファイルが作成又は更新された期間を指定するためのものである。第１日付表示１０２Ａには、指定する期間の始めとなる年月日が入力される。第２日付表示１０２Ｂには、指定する期間の終わりとなる年月日が入力される。第１及び第２日付表示１０２Ａ、１０２Ｂのそれぞれの横に設けられたボタンを選択することにより、カレンダー表示１０２Ｃが展開される。ユーザーは、任意の年月のカレンダー表示１０２Ｃから任意の日を選択することにより、第１及び第２日付表示１０２Ａ、１０２Ｂのそれぞれに任意の年月日を入力することができる。なお、第１及び第２日付表示１０２Ａ、１０２Ｂのそれぞれに同じ年月日を入力することにより、特定の１日を指定することも可能である。
【０３５４】
第１及び第２日付表示１０２Ａ、１０２Ｂの下には、ファイル表示ウィンドウ１０３が配置される。第１及び第２日付表示１０２Ａ、１０２Ｂにより任意の期間を指定すると、その期間に作成又は更新されたリハビリ記録の「ファイル名」と「更新日時」とがファイル表示ウィンドウ１０３に表示される。なお、「更新日時」には、リハビリ記録のデータファイルが最初に作成された日時も含まれる。ここで、ファイル表示ウィンドウ１０３に表示されるのは、既にサーバにアップロードされたリハビリ記録のデータファイルである。ユーザーは、ファイル表示ウィンドウ１０３に表示されるいずれかのリハビリ記録のデータファイルを選択し、後述する削除又は閲覧のいずれかの処理をすることが可能である。
【０３５５】
ファイル表示ウィンドウ１０３の下には、ファイル選択ボタン１０４Ａとファイルパス表示窓１０４Ｂとが横並びに配置される。ここで、ユーザーが作成したリハビリ記録のデータファイルは、介護記録プログラム１２をインストールしたコンピュータに保存される。ファイル選択ボタン１０４Ａを選択すると、リハビリ記録のデータファイルが保存された所定のフォルダーが開かれる。ユーザーがいずれかのデータファイルを選択すると、選択されたデータファイルの場所を示すパス（path）がファイルパス表示窓１０４Ｂに表示される。ファイルパス表示窓１０４Ｂに表示されたリハビリ記録のデータファイルは、サーバにアップロードすることができる。
【０３５６】
ファイル選択ボタン１０４Ａ及びファイルパス表示窓１０４Ｂの下には、作成ボタン１０５、削除ボタン１０６、閲覧ボタン１０７、アップロードボタン１０８が横並びに配置される。
【０３５７】
作成ボタン１０５は、新たなリハビリ記録を作成する場合に用いられる。ユーザーが作成ボタン１０５を選択すると、サーバから当該コンピュータにリハビリ記録のテンプレートのデータがダウンロードされる。リハビリ記録のテンプレートは、例えば、汎用の表計算ソフトの形式で作成される。ユーザーは、リハビリ記録のテンプレートをベースにして、選択したいずれか一の被介護者情報表示１０１Ｃに対応する被介護者のリハビリ記録を作成する。作成したリハビリ記録のデータファイルは、汎用の表計算ソフトの保存機能により、介護記録プログラム１２をインストールしたコンピュータの所定のフォルダーに保存される。
【０３５８】
削除ボタン１０６は、サーバにアップロードされたリハビリ記録のデータファイルを削除する場合に用いられる。ユーザーは、ファイル表示ウィンドウ１０３に表示されるいずれかのリハビリ記録のデータファイルを選択した後に、削除ボタン１０６を選択する。すると、選択されたリハビリ記録のデータファイルがサーバから削除される。
【０３５９】
閲覧ボタン１０７は、サーバにアップロードされたリハビリ記録のデータファイルを閲覧する場合に用いられる。ユーザーは、ファイル表示ウィンドウ１０３に表示されるいずれかのリハビリ記録のデータファイルを選択した後に、閲覧ボタン１０７を選択する。すると、選択されたリハビリ記録のデータファイルがサーバから当該コンピュータの所定のフォルダーにダウンロードされ、閲覧可能となる。
【０３６０】
アップロードボタン１０８は、当該コンピュータの所定のフォルダーに保存されたリハビリ記録のデータファイルをサーバにアップロードするために用いられる。上述したように、ファイル選択ボタン１０４Ａを選択すると、リハビリ記録のデータファイルが保存された所定のフォルダーが開かれる。ユーザーがいずれかのデータファイルを選択すると、選択されたデータファイルの場所を示すパス（path）がファイルパス表示窓１０４Ｂに表示される。この状態において、ユーザーがアップロードボタン１０８を選択すると、ファイルパス表示窓１０４Ｂに表示されたリハビリ記録のデータファイルがサーバにアップロードされる。サーバにアップロードされたリハビリ記録のデータファイルは、全てのユーザーの介護記録プログラム１２で閲覧可能となる。
【０３６１】
＜＜支援経過記録表示画面＞＞
既に述べたように、図１９〜図３４に示す遷移ボタン４１Ｄを選択すると、図４に示す介護サービス情報一括入力画面２０に遷移する。介護サービス情報一括入力画面２０において、上述した記録ボタン２３Ｃの隣には、支援経過記録表示ボタン２３Ｄが配置されている。図３５は、支援経過記録表示ボタン２３Ｄが選択された状態を示す。支援経過記録表示ボタン２３Ｄが選択されると、介護サービス情報一括入力画面２０が暗転して操作できない状態となり、暗転した介護サービス情報一括入力画面２０の上に支援経過記録表示画面１１０が表示される。
【０３６２】
図３６に支援経過記録表示画面１１０の詳細を示す。支援経過記録表示画面１１０は、ユーザーが被介護者ごとの支援経過記録を作成するためのものである。支援経過記録は、一の被介護者に提供された日々の介護サービスの具体的な内容の記録である。
【０３６３】
図３６に示す支援経過記録表示画面１１０において、「支援経過記録」のタイトルバーの下、左側の約１／３のスペースには、施設棟表示１１０Ａ、フロア表示１１０Ｂ、複数の被介護者情報表示１１０Ｃ、スクロールバー１１０Ｄが一纏まりに配置される。施設棟表示１１０Ａ及びフロア表示１１０Ｂが横並びに配置され、その下に複数の被介護者情報表示１１０Ｃが縦方向に配置される。
【０３６４】
施設棟表示１１０Ａは、その横に設けられたボタンを選択することにより、複数の施設棟名を含むドロップダウンリストを展開する。このドロップダウンリスト中の複数の施設棟名のうちから１つを選択する。例えば、図３６では「東棟」が選択されている。
【０３６５】
フロア表示１１０Ｂは、複数のフロア番号を含むドロップダウンリストを展開する。このドロップダウンリスト中の複数のフロア番号のうちから１つを選択する。例えば、図３６では「２Ｆ」が選択されている。
【０３６６】
施設棟表示１１０Ａ及びフロア表示１１０Ｂがそれぞれ選択されると、選択された施設棟及びフロアの各部屋番号とそこに入居する被介護者の氏名とが、複数の被介護者情報表示１１０Ｃのそれぞれに個別に表示される。複数の被介護者情報表示１１０Ｃの横には、スクロールバー１０１Ｄが配置される。ユーザーは、複数の被介護者情報表示１１０Ｃを縦方向にスクロールさせ、支援経過記録の作成等の対象となるいずれか一の被介護者情報表示１１０Ｃを選択する。各被介護者情報表示１１０Ｃは、それぞれ円形のインジケータを備えており、選択された一の被介護者情報表示１１０Ｃのインジケータに丸印が表示される。
【０３６７】
支援経過記録表示画面１１０において、「支援経過記録」のタイトルバーの下、右側の約２／３のスペースには、最も上に、第１日付表示１１１Ａ、第２日付表示１１１Ｂ、フリーコメントボタン１１２が横並びに配置され、これらの下に、支援経過情報表示１１３が配置される。
【０３６８】
第１及び第２日付表示１１１Ａ、１１１Ｂは、支援経過情報表示１１３に表示される情報の期間を指定するためのものである。すなわち、上述した被介護者情報表示１１０Ｃによって一の被介護者を選択し、且つ第１及び第２日付表示１１１Ａ、１１１Ｂによって所定の期間を指定すると、その期間内に一の被介護者に提供された介護サービスに関する情報が、支援経過情報表示１１３に表示される。
【０３６９】
第１日付表示１１１Ａには、指定する期間の始めとなる年月日が入力される。第２日付表示１１１Ｂには、指定する期間の終わりとなる年月日が入力される。第１及び第２日付表示１１１Ａ、１１１Ｂのそれぞれの横に設けられたボタンを選択することにより、図３４に示すものと同様のカレンダー表示が展開される。ユーザーは、任意の年月のカレンダー表示から任意の日を選択することにより、第１及び第２日付表示１１１Ａ、１１１Ｂのそれぞれに任意の年月日を入力することができる。なお、第１及び第２日付表示１１１Ａ、１１１Ｂのそれぞれに同じ年月日を入力することにより、特定の１日を指定することも可能である。
【０３７０】
支援経過情報表示１１３は、チェックボックス１１３Ａ、日付表示１１３Ｂ、時間表示１１３Ｃ、支援内容表示１１３Ｄ、記入者表示１１３Ｅ、スクロールバー１１３Ｆで構成される。チェックボックス１１３Ａ、日付表示１１３Ｂ、時間表示１１３Ｃ、支援内容表示１１３Ｄ、記入者表示１１３Ｅは、互いに行列配置されており、一行で１つの介護サービスに関する情報を形成する。日付表示１１３Ｂには、介護サービスが提供された年月日が表示される。時間表示１１３Ｃには、介護サービスが提供された時分が表示される。支援内容表示１１３Ｄは、提供された介護サービスの内容が表示される。記入者表示１１３Ｅには、支援内容表示１１３Ｄに表示される情報を入力した介護者の氏名が表示される。
【０３７１】
チェックボックス１１３Ａ、日付表示１１３Ｂ、時間表示１１３Ｃ、支援内容表示１１３Ｄ、記入者表示１１３Ｅは、スクロールバー１１３Ｆを操作することにより、行列配置を維持したままで全体を縦方向にスクロールさせることが可能である。チェックボックス１１３Ａは、支援経過情報表示１１３に表示される情報のうちから必要なものだけを選択するために用いられる。
【０３７２】
ユーザーは、行列配置されたチェックボックス１１３Ａ、日付表示１１３Ｂ、時間表示１１３Ｃ、支援内容表示１１３Ｄ、記入者表示１１３Ｅを縦方向にスクロールさせ、各支援内容表示１１３Ｄに表示される情報を確認する。支援経過記録に記載すべき内容の支援内容表示１１３Ｄがあれば、この支援内容表示１１３Ｄと同じ行に配置されたチェックボックス１１３Ａを選択してチェックマークを表示させる。支援経過情報表示１１３において、チェックボックス１１３Ａが選択された行の表示は、例えば、白色の背景色と黒色のフォントとで構成され、明確化される。一方、チェックボックス１１３Ａが選択されていない行の表示は、例えば、灰色の背景色と白色のフォントとで構成され、意図的に不明確化される。
【０３７３】
支援経過情報表示１１３の最も下の中央には、閉じるボタン１１４、作成ボタン１１５が横並びに配置される。ユーザーは、支援経過記録に記載すべき全ての情報を選択した後、作成ボタン１１５を選択する。これにより、ユーザーが選択した情報だけが記載された支援経過記録が作成される。支援経過記録は、例えば、汎用の表計算ソフトの形式で作成され、出力される。一方、閉じるボタン１１４は、支援経過記録表示画面１１０を閉じるために用いられる。閉じるボタン１１４が選択されると、支援経過記録表示画面１１０が閉じて、図４に示す介護サービス情報一括入力画面２０が入力可能な状態に戻る。
【０３７４】
フリーコメントボタン１１２は、支援経過情報表示１１３にフリーコメントを登録するために用いられる。フリーコメントボタン１１２を選択すると、図３７に示すような、フリーコメント入力ウィンドウ１１２１が開く。フリーコメント入力ウィンドウ１１２１には、上から順に、担当者表示１１２１ａ、日時設定表示１１２１ｂ、フリーコメント入力欄１１２１ｃが配置され、最も下の中央に閉じるボタン１１２１ｄ、登録ボタン１１２１ｅが横並びに配置される。
【０３７５】
担当者表示１１２１ａには、フリーコメントボタン１１２を選択した現在のユーザーの氏名が表示される。日時設定表示１１２１ｂは、年月日、時分の入力部で構成される。日時設定表示１１２１ｂの年月日は、図３４に示すものと同様のカレンダー表示から選択して入力する。日時設定表示１１２１ｂの時分は、それぞれドロップダウンリストから選択して入力する。フリーコメント入力欄１１２１ｃには、任意のテキスト情報を入力することが可能である。
【０３７６】
登録ボタン１１２１ｅを選択すると、フリーコメント入力ウィンドウ１１２１の情報が支援経過情報表示１１３に登録される。すなわち、フリーコメント入力ウィンドウ１１２１の日時設定表示１１２１ｂに入力した年月日、時分の情報は、支援経過情報表示１１３の日付表示１１３Ｂ、時間表示１１３Ｃにそれぞれ表示される。フリーコメント入力ウィンドウ１１２１のフリーコメント入力欄１１２１ｃに入力した任意のテキスト情報は、支援経過情報表示１１３の支援内容表示１１３Ｄに表示される。フリーコメント入力ウィンドウ１１２１の担当者表示１１２１ａの氏名は、支援経過情報表示１１３の記入者表示１１３Ｅに表示される。一方、閉じるボタン１１２１ｄを選択すると、フリーコメント入力ウィンドウ１１２１が閉じて、支援経過記録表示画面１１０が入力可能な状態になる。
【０３７７】
＜＜ユーザーの変更＞＞
介護施設では、複数の介護者が交代で被介護者の介護にあたっている。このため、上述した介護記録プログラム１２をインストールしたコンピュータは、複数のユーザーに交代で使用されることが想定される。既に述べたとおり、一のユーザーが介護記録プログラム１２を利用するためには、図１（ａ）に示す健康管理プログラム１０Ｂを起動させ、図２（ａ）、（ｂ）に示すようなログインの手続をする必要がある。このため、介護記録プログラム１２をインストールしたコンピュータを第１ユーザーから第２ユーザーへ引き継ぐ場合は、まず、第１ユーザーが、介護記録プログラム１２を終了させ、健康管理プログラム１０Ｂからログアウトし、その後、第２ユーザーが、健康管理プログラム１０Ｂにログインし、介護記録プログラム１２を起動させるという、重複した手間が掛かる。
【０３７８】
このようなユーザー間の重複した手間を解消するため、本実施形態の介護記録プログラム１２は、起動中の介護記録プログラム１２を終了させることなく、現状のまま、第１ユーザーから第２ユーザーへ引き継ぐことが可能な構成となっている。
【０３７９】
図３８に示すように、介護サービス情報一括入力画面２０における担当者表示２４Ｃの右端には、担当者変更ボタン２４ｃが配置される。担当者変更ボタン２４ｃが選択されると、介護サービス情報一括入力画面２０上に、ログイン画面３００が表示される。
【０３８０】
ログイン画面３００は、図２（ａ）と同様のユーザー名入力部３０１、パスワード入力部３０２、ログインボタン３０３を備える。第２ユーザーは、ユーザー名入力部３０１、パスワード入力部３０２のそれぞれに「ユーザー名」、「パスワード」を入力し、ログインボタン３０３を選択することで、図１（ａ）に示す健康管理プログラム１０Ｂにログインすることができる。第２ユーザーのログインが承認されると同時に、第１ユーザーを健康管理プログラム１０Ｂからログアウトさせる処理が実行される。
【０３８１】
一方、第２ユーザーは、図１（ａ）に示すＩＣカードリーダー／ライター９にＩＣカードをかざすことによって、健康管理プログラム１０Ｂにログインすることも可能である。ＩＣカードリーダー／ライター９がＩＣカードから必要な情報を読み込んだ場合は、図３９に示すＰＩＮコード入力画面３１０が表示される。
【０３８２】
ＰＩＮコード入力画面３１０は、図２（ｂ）と同様のＰＩＮコード入力部３１１、閉じるボタン３１２、決定ボタン３１３を備える。第２ユーザーは、ＰＩＮコード入力部３１１にＰＩＮコードを入力し、決定ボタン３１３を選択することで、図１（ａ）に示す健康管理プログラム１０Ｂにログインすることができる。第２ユーザーのログインが承認されると同時に、第１ユーザーを健康管理プログラム１０Ｂからログアウトさせる処理が実行される。なお、第２ユーザーがＰＩＮコードの入力をキャンセルしたい場合は、閉じるボタン３１２を選択すればよい。
【０３８３】
以上の操作により、介護記録プログラム１２をインストールしたコンピュータは、第１ユーザーが使用していた状態のままで、第１ユーザーから第２ユーザーへ引き継がれる。第１ユーザーによる介護記録プログラム１２の終了、健康管理プログラム１０Ｂのログアウト、第１ユーザーによる健康管理プログラム１０Ｂ及び介護記録プログラム１２の再起動の手間が省略され、第１ユーザーから第２ユーザーへ引き継ぎがよりスムーズになる。
【符号の説明】
【０３８４】
１  介護記録装置
２  制御部
３  記憶部
４  タッチパネルディスプレイ
５  ユーザーインターフェース
６  音声入力部
７  音声出力部
８  無線通信部
９  ＩＣカードリーダー／ライター
１０Ａ  オペレーティングシステム（ＯＳ）
１０Ｂ  健康管理プログラム
１１  バイタル入力プログラム
１２  介護記録プログラム
１２Ａ  表示制御手段
１２Ｂ  入力制御手段
１２Ｃ  記憶制御手段
１２Ｄ  介護記録作成手段
１２Ｅ  通信制御手段
１２Ｆ  認証制御手段
１３  健康ケア記録プログラム
１４  医師管理プログラム
１５  管理プログラム
２０  介護サービス情報一括入力画面
２０Ａ  入力操作表示領域
２０Ｂ  被介護者情報表示領域
２０Ｃ  時間表示領域
２０Ｄ  選択表示領域
２１Ａ  第１入力操作表示
２１Ｂ  第２入力操作表示
２１Ｃ  第３入力操作表示
２２Ａ  保存ボタン
２２Ｂ  クリアボタン
２２Ｃ  閲覧ボタン
２３Ａ  ホームボタン
２３Ｂ  症状入力ボタン
２３Ｃ  記録ボタン
２３Ｄ  支援経過記録表示ボタン
２４Ａ  フロア表示
２４Ｂ  日付表示
２４Ｃ  担当者表示
２４ｃ  担当者変更ボタン
２５Ａ  被介護者情報表示
２５Ｂ  バイタル表示ボタン
２５Ｃ  症状表示ボタン
２６  時間表示
２７  選択表示
２７ａ  チェックマーク
３０  症状入力画面
３１  大項目入力部
３１ａ  大項目入力ボタン
３２  小項目入力部
３２ａ  小項目ドロップダウンリスト
３２ｂ  フリーコメント入力欄
３３Ａ  被介護者情報表示
３３Ｂ  被介護者詳細表示ボタン
３４Ａ  保存ボタン
３４Ｂ  閉じるボタン
４０  週間サービス計画表入力画面
４１Ａ  フロア表示
４１Ｂ  日付表示
４１Ｃ  担当者表示
４１Ｄ  遷移ボタン
４２  被介護者情報表示
４３  曜日表示
４４  時間表示
４５  時間枠表示領域
４５ａ  前半枠
４５ｂ  後半枠
４６Ａ  サービス内容ボタン
４６Ｂ  処理ボタン
４７Ａ  クリアボタン
４７Ｂ  保存ボタン
４８Ａ、４８Ｂ  フリー入力欄
５０  業務日誌表示画面
５１Ａ  施設棟表示
５１Ｂ  フロア表示
５１Ｃ  日付表示
５２  部屋番号表示
５３  被介護者情報表示
５３ａ  チェックボックス
５４  時間表示
５５  支援内容表示
５６  記入者表示
５７  スクロールバー
５８  作成ボタン
６０  報告書一覧表示画面
６１Ａ  施設棟表示
６１Ｂ  フロア表示
６１Ｃ  被介護者情報表示
６１Ｄ  スクロールバー
６２Ａ  第１日付表示
６２Ｂ  第２日付表示
６２Ｃ  カレンダー表示
６３  ファイル表示ウィンドウ
６４Ａ  ファイル選択ボタン
６４Ｂ  ファイルパス表示窓
６５  作成ボタン
６６  削除ボタン
６７  閲覧ボタン
６８  アップロードボタン
７０  測定値一覧表示画面
７１Ａ  施設棟表示
７１Ｂ  フロア表示
７１Ｃ  日付表示
７１Ｄ  担当者表示
７１Ｅ  印刷ボタン
７２  部屋番号表示
７３  被介護者情報表示
７４Ａ  体温表示
７４Ｂ  最高血圧表示
７４Ｃ  最低血圧表示
７４Ｄ  脈圧表示
７４Ｅ  脈拍数表示
７４Ｆ  ＳｐＯ２表示
７４Ｇ  呼吸回数表示
７４Ｈ  体重表示
７４Ｉ  血糖値表示
７４Ｊ  意識レベル表示
７５  スクロールバー
８０  サービス実施表表示画面
８１Ａ  施設棟表示
８１Ｂ  フロア表示
８１Ｃ  被介護者情報表示
８１Ｄ  スクロールバー
８２Ａ  日付表示
８２Ｂ  カレンダー表示
８３  閲覧ボタン
９０  個別登録画面
９０Ａ  担当者表示
９０Ｂ  日付表示
９０Ｃ  施設棟表示
９０Ｄ  フロア表示
９０Ｅ  被介護者情報表示
９０Ｆ  スクロールバー
９０Ｇ  クリアボタン
９０Ｈ  保存ボタン
９１  排泄のタイトルバー
９１Ａ  詳細情報表示ボタン
９１Ｂ  陰部洗浄チェックボックス
９１Ｃ  排泄場所入力表示
９１Ｄ  尿情報入力表示
９１Ｅ  便情報入力表示
９１Ｆ  尿道カテーテル尿量入力表示
９１Ｇ  消化器官ストーマ状態入力表示
９２  食事のタイトルバー
９２Ａ  詳細情報表示ボタン
９２Ｂ  食事情報入力表示
９２Ｃ  水分情報入力表示
９２Ｄ  口腔ケア入力表示
９２Ｅ  介助レベル入力表示
９２Ｆ  経管栄養入力表示
９３  服薬のタイトルバー
９３Ａ  詳細情報表示ボタン
９３Ｂ  服薬担当者入力表示
９３Ｃ  定期薬情報入力表示
９３Ｄ  頓服薬情報入力表示
９３Ｅ  備考入力欄
９４  入浴のタイトルバー
９４Ａ  詳細情報表示ボタン
９４Ｂ  介助種別入力表示
９４Ｃ  身体異常入力表示
９４Ｄ  入浴中止チェックボックス
９４Ｅ  フリーコメント入力欄
９５  介護サービスのタイトルバー
９５Ａ  詳細情報表示ボタン
９５Ｂ  テーマ入力表示
９６  症状のタイトルバー
９６Ａ  詳細情報表示ボタン
９６Ｂ  大項目入力部
９６ｂ  スクロールバー
９６Ｃ  小項目入力部
９７  バイタルのタイトルバー
９７Ａ  詳細情報表示ボタン
９７Ｂ  測定値入力表示
９７ａ  体温入力部
９７ｂ  呼吸数入力部
９７ｃ  ＳｐＯ２入力部
９７ｄ  体重入力部
９７ｅ  最高血圧入力部
９７ｆ  最低血圧入力部
９７ｇ  脈拍数入力部
９７ｈ  血糖値入力部
９７ｉ  観察・問診結果入力部
９７ｊ  意識レベル入力部
９７Ｃ  熱型表表示ボタン
９７Ｄ  病態記録表示ボタン
１００  リハビリ記録表示画面
１０１Ａ  施設棟表示
１０１Ｂ  フロア表示
１０１Ｃ  被介護者情報表示
１０１Ｄ  スクロールバー
１０２Ａ  第１日付表示
１０２Ｂ  第２日付表示
１０２Ｃ  カレンダー表示
１０３  ファイル表示ウィンドウ
１０４Ａ  ファイル選択ボタン
１０４Ｂ  ファイルパス表示窓
１０５  作成ボタン
１０６  削除ボタン
１０７  閲覧ボタン
１０８  アップロードボタン
１１０  支援経過記録表示画面
１１０Ａ  施設棟表示
１１０Ｂ  フロア表示
１１０Ｃ  被介護者情報表示
１１０Ｄ  スクロールバー
１１１Ａ  第１日付表示
１１１Ｂ  第２日付表示
１１２  フリーコメントボタン
１１２１  フリーコメント入力ウィンドウ
１１２１ａ  担当者表示
１１２１ｂ  日時設定表示
１１２１ｃ  フリーコメント入力欄
１１２１ｄ  閉じるボタン
１１２１ｅ  登録ボタン
１１３  支援経過情報表示
１１３Ａ  チェックボックス
１１３Ｂ  日付表示
１１３Ｃ  時間表示
１１３Ｄ  支援内容表示
１１３Ｅ  記入者表示
１１３Ｆ  スクロールバー
１１４  閉じるボタン
１１５  作成ボタン
１２０  熱型表表示画面
１２１  表示範囲操作部
１２１ａ  年表示
１２１ｂ  月操作表示
１２１ｃ  週操作表示
１２１ｄ  戻すボタン
１２２  被介護者情報表示部
１２２ａ  被介護者情報表示
１２２ｂ  詳細情報表示ボタン
１２３  基本操作部
１２３ａ  設定ボタン
１２３ｂ  印刷ボタン
１２３ｃ  病態記録表示ボタン
１２３ｄ  戻るボタン
１２３ｅ  更新ボタン
１２４  グラフ表示部
１２４Ａ  血圧縦軸表示
１２４Ｂ  ＳｐＯ２縦軸表示
１２４Ｃ  脈拍数縦軸表示
１２４Ｄ  体温縦軸表示
１２４ａ〜１２４ｄ  拡大表示ボタン
１２４Ｅ  日付横軸表示
１２４１  血圧グラフ
１２４２  ＳｐＯ２グラフ
１２４３  脈拍数グラフ
１２４４  体温グラフ
１２４ｆ  基準域表示
１２４ｇ  通常ドット表示
１２４ｈ  服薬ドット表示
１２４ｉ  主値変更ドット表示
１２４ｊ  通常バー表示
１２４ｋ  服薬又は主値変更バー表示
１２４ｍ  測定結果表示
１２５  数値・記号表示部
１２５Ａ  便通情報表示
１２５Ｂ  尿回数情報表示
１２５Ｃ  食事割合情報表示
１２５Ｄ  入浴実施情報表示
１２５ｅ  警告表示
１２５ｆ  注意表示
１３０  病態記録表示画面
１３０ａ  被介護者情報表示
１３０ｂ  日付表示
１３１  バイタルサイン情報表示
１３１ａ  判定バー
１３１ｂ  体温表示
１３１ｃ  最高血圧表示
１３１ｄ  最低血圧表示
１３１ｅ  脈圧表示
１３１ｆ  脈拍数表示
１３１ｇ  呼吸数表示
１３１ｈ  ＳｐＯ２表示
１３１ｉ  体重表示
１３１ｊ  飲水表示
１３１ｋ  意識レベル表示
１３１ｌ  尿量表示
１３２  既往歴情報表示
１３２ａ  スクロールバー
１３２ｂ  詳細情報表示ボタン
１３３  リスクファクター情報表示
１３３ａ  詳細情報表示ボタン
１３４  観察内容情報表示
１３４ａ  スクロールバー
１３４ｂ  詳細情報表示ボタン
１３４ｃ  情報追加ボタン
１３５  特記事項情報表示
１３５ａ  スクロールバー
１３５ｂ  詳細情報表示ボタン
１３５ｃ  情報追加ボタン
１３６  頓服薬情報表示
１３６ａ  スクロールバー
１３６ｂ  詳細情報表示ボタン
２１１  水分入力ボタン
２１１１  水分入力ウィンドウ
２１１１ａ  数値入力欄
２１１２  テンキー表示
２１２  服薬入力ボタン
２１２１  服薬入力ウィンドウ
２１２１ａ  担当者氏名入力欄
２１３  主食入力ボタン
２１３１  主食入力ウィンドウ
２１４  副食入力ボタン
２１４１  副食入力ウィンドウ
２２１  便入力ボタン
２２１１  便入力ウィンドウ
２２１１ａ  フリーコメント入力欄
２２２  尿入力ボタン
２２２１  尿入力ウィンドウ
２２２１ａ  数値入力欄
２２２１ｂ  フリーコメント入力欄
２２２２  テンキー表示
２２３  入浴入力ボタン
２２３１  入浴入力ウィンドウ
２２４  フリーコメント入力ボタン
２２４１  フリーコメント入力ウィンドウ
２３０  介護サービス項目入力ウィンドウ
２３０１〜２３０７  項目選択チェックボックス
２３０８〜２３１０  ブランクチェックボックス
２３０８ａ〜２３１０ａ  項目追加ボタン
２３０８ｂ  項目編集ボタン
２３１１  項目入力ウィンドウ
２４０、２５０  閲覧ウィンドウ
２４１〜２４５、２５１〜２５５  被介護者情報タブ
２４６Ｌ、２４６Ｒ、２５６Ｌ、２５６Ｒ  スピンボタン
２６１〜２６７  リンクボタン
２７１〜２７４  第１〜第４領域
２７２ａ、２７３ａ  枠線
２８１〜２８７  リンクボタン
３００  ログイン画面
３０１  ユーザー名入力部
３０２  パスワード入力部
３０３  ログインボタン
３１０  ＰＩＮコード入力画面
３１１  ＰＩＮコード入力部
３１２  閉じるボタン
３１３  決定ボタン
【図１】
2020135734.tif 000003
【図２】
2020135734.tif 000004
【図３】
2020135734.tif 000005
【図４】
2020135734.tif 000006
【図５】
2020135734.tif 000007
【図６】
2020135734.tif 000008
【図７】
2020135734.tif 000009
【図８】
2020135734.tif 000010
【図９】
2020135734.tif 000011
【図１０】
2020135734.tif 000012
【図１１】
2020135734.tif 000013
【図１２】
2020135734.tif 000014
【図１３】
2020135734.tif 000015
【図１４】
2020135734.tif 000016
【図１５】
2020135734.tif 000017
【図１６】
2020135734.tif 000018
【図１７】
2020135734.tif 000019
【図１８】
2020135734.tif 000020
【図１９】
2020135734.tif 000021
【図２０】
2020135734.tif 000022
【図２１】
2020135734.tif 000023
【図２２】
2020135734.tif 000024
【図２３】
2020135734.tif 000025
【図２４】
2020135734.tif 000026
【図２５】
2020135734.tif 000027
【図２６】
2020135734.tif 000028
【図２７】
2020135734.tif 000029
【図２８】
2020135734.tif 000030
【図２９】
2020135734.tif 000031
【図３０】
2020135734.tif 000032
【図３１】
2020135734.tif 000033
【図３２】
2020135734.tif 000034
【図３３】
2020135734.tif 000035
【図３４】
2020135734.tif 000036
【図３５】
2020135734.tif 000037
【図３６】
2020135734.tif 000038
【図３７】
2020135734.tif 000039
【図３８】
2020135734.tif 000040
【図３９】
2020135734.tif 000041